(57)【特許請求の範囲】
【請求項１】
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現の前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと、
を備える、ワイヤレス通信のための方法。
【請求項２】
リソースの前記第１のセットが利用できないことを前記ＣＣＡが示す場合、前記無認可スペクトルの非利用可能性を示すシグナリングを、前記認可スペクトルを使用して送信すること
をさらに備える、請求項１に記載の方法。
【請求項３】
リソースの前記第１のセットおよびリソースの前記第２のセットの各々は、
いくつかのサブフレーム、連続するサブフレーム間の時間間隔、および前記アップリンク許可の受信の時間とリソースサブセットの前記第１のセットまたはフォールバックリソースの前記第２のセットの中のサブフレームの最初の出現との間の初期オフセット
のうちの、１つまたは複数の観点から規定される、請求項１に記載の方法。
【請求項４】
リソースの前記第１のセットは、フォールバックリソースの前記第２のセットに時間的に重複する、請求項１に記載の方法。
【請求項５】
リソースの前記第１のセットおよびリソースの前記第２のセットは、同じサブフレームの中で開始する、請求項１に記載の方法。
【請求項６】
リソースの前記第１のセットは、第１のサブフレームの中で開始し、
リソースの前記第２のセットは、前記第１のサブフレームから遅延した第２のサブフレームの中で開始する、
請求項１に記載の方法。
【請求項７】
前記アップリンク許可は、アップリンク許可の優先シーケンスを備え、アップリンク許可の前記優先シーケンスの中の各アップリンク許可は、それぞれのコンポーネントキャリアに関連付けられ、
ＣＣＡを実行することは、前記１つまたは複数のそれぞれのコンポーネントキャリアの利用可能性を決定するために、アップリンク許可の前記優先シーケンスに関連付けられている前記それぞれのコンポーネントキャリアのうちの１つまたは複数のコンポーネントキャリア上で１つまたは複数のＣＣＡを実行することを備え、前記方法は、
前記１つまたは複数のコンポーネントキャリアのうちの１つのコンポーネントキャリアを前記１つまたは複数のＣＣＡに少なくとも部分的に基づいて利用できると識別することと
をさらに備える、請求項１に記載の方法。
【請求項８】
前記識別することは、前記１つまたは複数のコンポーネントキャリアのうちの複数のコンポーネントキャリアを利用できると識別することを備え、前記複数のコンポーネントキャリアは、アップリンク許可の前記優先シーケンスの中のアップリンク許可のサブセットに対応し、前記識別されたコンポーネントキャリアは、前記複数のコンポーネントキャリアから選択され、アップリンク許可の前記サブセットの中で最も優先度の高い第２のアップリンク許可に対応する、請求項７に記載の方法。
【請求項９】
アップリンク許可の前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
請求項７に記載の方法。
【請求項１０】
サブフレームの前記サブセットは、
サブフレームの前記サブセットの中のいくつかのサブフレーム、サブフレームの前記サブセットの中の連続するサブフレーム間の時間間隔、および前記アップリンク許可の受信の時間とサブフレームの前記サブセットの中のサブフレームの最初の出現との間の初期オフセット
のうちの、１つまたは複数の観点から規定される、請求項９に記載の方法。
【請求項１１】
アップリンク許可の前記優先シーケンスの中の第２のアップリンク許可の中のパラメータは、アップリンク許可の前記優先シーケンスの中の別のアップリンク許可の中のそれぞれのパラメータから暗黙のうちに決定される、請求項７に記載の方法。
【請求項１２】
前記優先シーケンスの相異なるアップリンク許可の中のパラメータ間の暗黙の関係は、無線リソース制御（ＲＲＣ）シグナリングを通じて少なくとも部分的に規定される、請求項７に記載の方法。
【請求項１３】
ＰＲＢのセットに対する前記無認可スペクトル上での最大アップリンクデータレートの指示を、前記認可スペクトルを介して受信することと、
前記指示に応答してサブフレームの中でＣＣＡを実行すること、前記ＣＣＡは、次のサブフレームの中で前記伝送を実行するための、前記無認可スペクトル中のＰＲＢの前記セットに対するコンポーネントキャリアの利用可能性を決定するために実行される、と、
をさらに備える、請求項１に記載の方法。
【請求項１４】
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記次のサブフレームの中でＣＣＡを実行することと
をさらに備える、請求項１３に記載の方法。
【請求項１５】
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記認可スペクトルを使用して前記伝送を実行することと
をさらに備える、請求項１３に記載の方法。
【請求項１６】
ＰＲＢの同じセットは、複数のユーザの各々に前記無認可スペクトルのアップリンク上で割り当てられる、請求項１３に記載の方法。
【請求項１７】
ＰＲＢの前記同じセットが割り当てられた前記複数のユーザから送信されるデータは、逐次干渉除去（ＳＩＣ）を使用して復号される、請求項１６に記載の方法。
【請求項１８】
ＰＲＢの前記同じセットが割り当てられた前記複数のユーザは、直交復調基準信号（ＤＭ−ＲＳ）シーケンスが割り当てられる、請求項１６に記載の方法。
【請求項１９】
前記複数のユーザの各々は、別個のスクランブリングコードが割り当てられる、請求項１８に記載の方法。
【請求項２０】
前記無認可スペクトル中のＰＲＢの前記セットに対する前記コンポーネントキャリアが利用できることを前記ＣＣＡが示す場合、前記方法は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信すること
をさらに備える、請求項１３に記載の方法。
【請求項２１】
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信すること
をさらに備える、請求項２０に記載の方法。
【請求項２２】
基地局が前記アップリンク許可をスケジュールするために、スケジューリング要求、バッファステータス報告、および電力ヘッドルーム報告のうちの１つまたは複数を送信すること
をさらに備える、請求項１に記載の方法。
【請求項２３】
前記電力ヘッドルーム報告は、前記認可スペクトルと関連した第１の電力ヘッドルームと、前記無認可スペクトルと関連した第２の電力ヘッドルームとを示す、請求項２２に記載の方法。
【請求項２４】
前記アップリンク許可によって示される変調コーディング方式（ＭＣＳ）からの変更を識別することと、
前記アップリンク許可によって割り振られたＰＲＢ内のリソース要素のセットを介してメッセージを送信すること、前記メッセージは、ＭＣＳの前記識別された変更を示す、と
をさらに備える、請求項１に記載の方法。
【請求項２５】
前記アップリンク許可は、アップリンク伝送に対してＭＣＳを割り振ることなく、アップリンク伝送に対してＰＲＢを割り振り、前記方法は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と
をさらに備える、請求項１に記載の方法。
【請求項２６】
プロセッサと、
前記プロセッサと電子通信しているメモリと、
前記メモリに記憶された命令、前記命令は、
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現の前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと、
を行うように前記プロセッサによって実行可能である、と、
を備える、ワイヤレス通信のための装置。
【請求項２７】
前記命令は、
リソースの前記第１のセットが利用できないことを前記ＣＣＡが示す場合、前記無認可スペクトルの非利用可能性を示すシグナリングを、前記認可スペクトルを使用して送信する、
ように前記プロセッサによって実行可能である、請求項２６に記載の装置。
【請求項２８】
リソースの前記第１のセットおよびリソースの前記第２のセットの各々は、
いくつかのサブフレーム、連続するサブフレーム間の時間間隔、および前記アップリンク許可の受信の時間とリソースの前記第１のセットまたはフォールバックリソースの前記第２のセットの中のサブフレームの最初の出現との間の初期オフセットのうちの、１つまたは複数の観点から規定される、請求項２６に記載の装置。
【請求項２９】
リソースの前記第１のセットは、第１のサブフレームの中で開始し、
リソースの前記第２のセットは、前記第１のサブフレームから遅延した第２のサブフレームの中で開始する、
請求項２６に記載の装置。
【請求項３０】
前記アップリンク許可は、アップリンク許可の優先シーケンスを備え、アップリンク許可の前記優先シーケンスの中の各アップリンク許可は、それぞれのコンポーネントキャリアに関連付けられ、
前記ＣＣＡを実行するための前記命令は、
前記１つまたは複数のそれぞれのコンポーネントキャリアの利用可能性を決定するために、アップリンク許可の前記優先シーケンスに関連付けられている前記それぞれのコンポーネントキャリアのうちの１つまたは複数のコンポーネントキャリア上で１つまたは複数のＣＣＡを実行する
ように前記プロセッサによってさらに実行可能であり、前記命令は、
前記１つまたは複数のコンポーネントキャリアのうちの１つのコンポーネントキャリアを前記１つまたは複数のＣＣＡに少なくとも部分的に基づいて利用できると識別する、
ように前記プロセッサによって実行可能である、請求項２６に記載の装置。
【請求項３１】
アップリンク許可の前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、請求項３０に記載の装置。
【請求項３２】
サブフレームの前記サブセットは、
サブフレームの前記サブセットの中のいくつかのサブフレーム、サブフレームの前記サブセットの中の連続するサブフレーム間の時間間隔、および前記アップリンク許可の受信の時間とサブフレームの前記サブセットの中のサブフレームの最初の出現との間の初期オフセット
のうちの、１つまたは複数の観点から規定される、請求項３１に記載の装置。
【請求項３３】
前記優先シーケンスの相異なるアップリンク許可の中のパラメータ間の暗黙の関係は、無線リソース制御（ＲＲＣ）シグナリングを通じて少なくとも部分的に規定される、請求項３０に記載の装置。
【請求項３４】
前記命令は、
ＰＲＢのセットに対する前記無認可スペクトル上での最大アップリンクデータレートの指示を、前記認可スペクトルを介して受信することと、
前記指示に応答してサブフレームの中でＣＣＡを実行すること、前記ＣＣＡは、次のサブフレームの中で前記伝送を実行するための、前記無認可スペクトル中のＰＲＢの前記セットに対するコンポーネントキャリアの利用可能性を決定するために実行される、
を行うように前記プロセッサによって実行可能である、請求項２６に記載の装置。
【請求項３５】
前記命令は、
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記次のサブフレームの中でＣＣＡを実行することと
を行うように前記プロセッサによって実行可能である、請求項３４に記載の装置。
【請求項３６】
前記命令は、
前記無認可スペクトル中のＰＲＢの前記セットに対する前記コンポーネントキャリアが利用できることを前記ＣＣＡが示す場合、前記アップリンク許可に少なくとも部分的に基づいて、前記無認可スペクトルを使用して前記伝送を実行することと、
前記無認可スペクトル中のＰＲＢの前記セットに対する前記コンポーネントキャリアが利用できないことを前記ＣＣＡが示す場合、前記アップリンク許可に少なくとも部分的に基づいて、前記認可スペクトルを使用して前記伝送を実行することと
を行うように前記プロセッサによって実行可能である、請求項３４に記載の装置。
【請求項３７】
ＰＲＢの同じセットは、複数のユーザの各々に前記無認可スペクトルのアップリンク上で割り当てられる、請求項３４に記載の装置。
【請求項３８】
ＰＲＢの前記同じセットが割り当てられた前記複数のユーザから送信されるデータは、逐次干渉除去（ＳＩＣ）を使用して復号される、請求項３７に記載の装置。
【請求項３９】
ＰＲＢの前記同じセットが割り当てられた前記複数のユーザは、直交復調基準信号（ＤＭ−ＲＳ）シーケンスが割り当てられる、請求項３７に記載の装置。
【請求項４０】
前記複数のユーザの各々は、別個のスクランブリングコードが割り当てられる、請求項３９に記載の装置。
【請求項４１】
前記無認可スペクトル中のＰＲＢの前記セットに対する前記コンポーネントキャリアが利用できることを前記ＣＣＡが示す場合、前記命令は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信する
ように前記プロセッサによって実行可能である、請求項３４に記載の装置。
【請求項４２】
前記命令は、
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信する
ように前記プロセッサによって実行可能である、請求項４１に記載の装置。
【請求項４３】
前記命令は、
基地局が前記アップリンク許可をスケジュールするために、スケジューリング要求、バッファステータス報告、および電力ヘッドルーム報告のうちの１つまたは複数を送信する
ように前記プロセッサによって実行可能である、請求項２６に記載の装置。
【請求項４４】
前記アップリンク許可は、アップリンク伝送に対して変調コーディング方式（ＭＣＳ）を割り振ることなく、アップリンク伝送に対してＰＲＢを割り振り、
前記命令は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と、
を行うように前記プロセッサによって実行可能である、請求項２６に記載の装置。
【請求項４５】
認可スペクトルおよび無認可スペクトルの両方を介して送信することが可能なユーザ機器（ＵＥ）において、前記認可スペクトルを介してアップリンク許可を受信するための手段、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行するための手段、前記ＣＣＡは、リソースの前記第１のセットおよびフォールバックリソースの前記第２のセットの出現前に実行される、と
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行するための手段と、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行するための手段と
を備える、ワイヤレス通信のための装置。
【請求項４６】
リソースの前記第１のセットが利用できないことを前記ＣＣＡが示す場合、前記無認可スペクトルの非利用可能性を示すシグナリングを、前記認可スペクトルを使用して送信するための手段
をさらに備える、請求項４５に記載の装置。
【請求項４７】
ワイヤレス通信のためのコンピュータプログラムであって、前記コンピュータプログラムは、
認可スペクトルおよび無認可スペクトルの両方を介して送信することが可能なユーザ機器（ＵＥ）において、前記認可スペクトルを介してアップリンク許可を受信すること、ここにおいて、前記アップリンク許可は、前記無認可スペクトル上のリソースの第１のセットおよび前記認可スペクトル上のフォールバックリソースの第２のセットが前記ＵＥのためにリザーブされることを示す、と、
前記無認可スペクトル上のリソースの前記第１のセットの利用可能性を決定するために、前記アップリンク許可に応答してクリアチャネルアセスメント（ＣＣＡ）を前記ＵＥによって実行すること、前記ＣＣＡは、リソースの前記第１のセットおよびフォールバックリソースの前記第２のセットの出現前に実行される、と、
リソースの前記第１のセットが利用できることを前記実行されたＣＣＡが示す場合、前記認可スペクトル上のフォールバックリソースの前記第２のセットの代わりに、前記無認可スペクトル上のリソースの前記第１のセットを使用して、伝送を前記ＵＥによって実行することと、
リソースの前記第１のセットが利用できないことを前記実行されたＣＣＡが示す場合、前記無認可スペクトル上のリソースの前記第１のセットの代わりに、前記認可スペクトル上のフォールバックリソースの前記第２のセットを使用して、フォールバック伝送を前記ＵＥによって実行することと
を行うようにプロセッサによって実行可能な命令を備える、ワイヤレス通信のためのコンピュータプログラム。
【請求項４８】
前記命令は、
リソースの前記第１のセットが利用できないことを前記ＣＣＡが示す場合、前記無認可スペクトルの非利用可能性を示すシグナリングを、前記認可スペクトルを使用して送信する
ように前記プロセッサによって実行可能である、請求項４７に記載のコンピュータプログラム。
【請求項４９】
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を備える、ワイヤレス通信のための方法。
【請求項５０】
リソースの前記第１のセットは、フォールバックリソースの前記第２のセットに時間的に重複する、請求項４９に記載の方法。
【請求項５１】
リソースの前記第１のセットおよびリソースの前記第２のセットは、同じサブフレームの中で開始する、請求項４９に記載の方法。
【請求項５２】
リソースの前記第１のセットは、第１のサブフレームの中で開始し、
リソースの前記第２のセットは、前記第１のサブフレームから遅延した第２のサブフレームの中で開始する、
請求項４９に記載の方法。
【請求項５３】
前記無認可スペクトルの中のリソースの前記第１のセットを介して前記伝送が受信される場合、前記認可スペクトルの中のフォールバックリソースの前記第２のセットを解放すること
をさらに備える、請求項５２に記載の方法。
【請求項５４】
前記スケジューリング情報は、
スケジューリング要求、
バッファステータス報告、ならびに
前記認可スペクトルと関連した第１の電力ヘッドルームおよび前記無認可スペクトルと関連した第２の電力ヘッドルームを示す電力ヘッドルーム報告
のうちの１つまたは複数を備える、請求項４９に記載の方法。
【請求項５５】
物理リソースブロック（ＰＲＢ）の同じセットを、前記無認可スペクトルのアップリンク上の複数のユーザに、前記送信されたアップリンク許可に少なくとも部分的に基づいて割り当てることと、
前記割り当てられたＰＲＢを使用する前記複数のユーザからアップリンクデータを受信することと、
前記アップリンクデータを逐次干渉除去（ＳＩＣ）を使用して復号することと
をさらに備える、請求項４９に記載の方法。
【請求項５６】
直交復調基準信号（ＤＭ−ＲＳ）シーケンスおよびスクランブリングコードのうちの一方または両方を、前記複数のユーザの各々に、前記アップリンクデータの伝送のために割り当てること
をさらに備える、請求項５５に記載の方法。
【請求項５７】
前記複数のユーザの各々から、前記アップリンクデータと一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を受信すること
をさらに備える、請求項５５に記載の方法。
【請求項５８】
プロセッサと、
前記プロセッサと電子通信しているメモリと、
前記メモリに記憶された命令、前記命令は、
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を行うように前記プロセッサによって実行可能である、と、
を備える、ワイヤレス通信のための装置。
【請求項５９】
前記スケジューリング情報は、
スケジューリング要求、
バッファステータス報告、ならびに
前記認可スペクトルと関連した第１の電力ヘッドルームおよび前記無認可スペクトルと関連した第２の電力ヘッドルームを示す電力ヘッドルーム報告
のうちの１つまたは複数を備える、請求項５８に記載の装置。
【請求項６０】
認可スペクトルを介してスケジューリング情報を受信するための手段と、
前記認可スペクトルおよび無認可スペクトルの両方を介して送信することが可能なユーザ機器（ＵＥ）に、前記認可スペクトルを介してアップリンク許可を送信するための手段、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、と、
リソースの前記第１のセットが利用できることを前記ＣＣＡが示す場合、前記無認可スペクトル上のリソースの前記第１のセットを介して伝送を受信するための手段と、
リソースの前記第１のセットが利用できないことを前記ＣＣＡが示す場合、前記認可スペクトル上のフォールバックリソースの前記第２のセットを介してフォールバック伝送を受信するための手段と
を備える、ワイヤレス通信のための装置。
【請求項６１】
ワイヤレス通信のためのコンピュータプログラムであって、
前記コンピュータプログラムは、
認可スペクトルを介してスケジューリング情報を受信することと、
前記認可スペクトルおよび無認可スペクトルの両方を介して送信することが可能なユーザ機器（ＵＥ）に、前記認可スペクトルを介してアップリンク許可を送信すること、前記アップリンク許可は、前記スケジューリング情報に少なくとも部分的に基づいており、かつ、前記無認可スペクトル上のリソースの第１のセットおよび前記認可スペクトル上のフォールバックリソースの第２のセットが前記ＵＥのためにリザーブされることを示し、前記アップリンク許可は、リソースの前記第１のセットおよびフォールバックリソースの前記第２のセットの出現の前に、前記無認可スペクトル上のリソースの前記第１のセットの利用可能性を決定するためのクリアチャネルアセスメント（ＣＣＡ）をトリガするように構成される、
リソースの前記第１のセットが利用できることを前記ＣＣＡが示す場合、前記無認可スペクトル上のリソースの前記第１のセットを介して伝送を受信することと、
リソースの前記第１のセットが利用できないことを前記ＣＣＡが示す場合、前記認可スペクトル上のフォールバックリソースの前記第２のセットを介してフォールバック伝送を受信することと
を行うようにプロセッサによって実行可能な命令を備える、ワイヤレス通信のためのコンピュータプログラム。
【発明の詳細な説明】
【技術分野】
【０００１】
相互参照
[0001]本特許出願は、その各々が本出願の譲受人に譲渡されている２０１３年１２月４日に出願された「ＬＴＥ／ＬＴＥ−Ａ  Ｕｐｌｉｎｋ  Ｃａｒｒｉｅｒ  Ａｇｇｒｅｇａｔｉｏｎ  Ｕｓｉｎｇ  Ｕｎｌｉｃｅｎｓｅｄ  Ｓｐｅｃｔｒｕｍ」と題するＭａｌｌａｄｉらによる同時係属米国特許出願第１４／０９６，６８６号、および２０１３年６月１１日に出願されたＭａｌｌａｄｉらによる「ＬＴＥ  Ｕｐｌｉｎｋ  Ｃａｒｒｉｅｒ  Ａｇｇｒｅｇａｔｉｏｎ  Ｕｓｉｎｇ  Ｕｎｌｉｃｅｎｓｅｄ  Ｓｐｅｃｔｒｕｍ」と題する米国仮特許出願第６１／８３３，６７４号の優先権の利益を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのユーザ機器（ＵＥ）のための通信をサポートするいくつかの基地局、ノードＢ（ＮＢ）、または発展型ノードＢ（ｅノードＢまたはｅＮＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００４】
[0004]ワイヤレス通信ネットワークがより混雑するようになるにつれて、オペレータは容量を増大させるための方法に注目し始めている。１つの手法は、トラフィックおよび／またはシグナリングの一部をオフロードするために、ワイヤレスローカルエリアネットワーク（ＷＬＡＮ）を使用することであり得る。認可スペクトルの中で動作するセルラーネットワークとは異なり、ＷＬＡＮ（すなわち、ＷｉＦｉ（登録商標）ネットワーク）は、一般に無認可スペクトルの中で動作するので魅力的である。その上、増大する量のスペクトルが、認可を伴わないアクセスのために割り振られており、トラフィックおよび／またはシグナリングをＷＬＡＮへオフロードすることのオプションをより魅力的にしている。ＷＬＡＮはセルラーネットワークほど効率よくスペクトルを使用しない傾向があるので、この手法は混雑の問題に部分的解決しかもたらさない場合がある。その上、ＷＬＡＮに関係する規制およびプロトコルは、セルラーネットワーク用のものとは異なる。したがって、無認可スペクトルは、より効率よく、また規制上の要件に従って使用され得る場合、依然として混雑を緩和するための妥当なオプションのままであり得る。
【発明の概要】
【０００５】
[0005]説明される特徴は、一般に、ワイヤレス通信のための１つまたは複数の改善された方法、システム、および／または装置に関する。
【０００６】
[0006]ワイヤレス通信のための方法について説明する。いくつかの構成では、方法は、認可スペクトルを介してアップリンク許可を受信することと、アップリンク許可に応答してクリアチャネルアセスメント（ＣＣＡ）を実行することとを含み得る。ＣＣＡは、無認可スペクトルの利用可能性を決定するために実行され得、アップリンク許可と関連した伝送の前に実行され得る。
【０００７】
[0007]方法のいくつかの実施形態では、無認可スペクトルが利用できるという決定がなされる場合、データは無認可スペクトルを使用して送信され得、無認可スペクトルが利用できないという決定がなされる場合、アップリンク許可は無視され得る。
【０００８】
[0008]方法のいくつかの実施形態では、無認可スペクトルが利用できるという決定がなされる場合、データは無認可スペクトルを使用して送信され得、無認可スペクトルが利用できないという決定がなされる場合、無認可スペクトルの非利用可能性を示すシグナリングは、認可スペクトルを使用して送信され得る。
【０００９】
[0009]いくつかの実施形態では、無認可スペクトルが利用できるという決定がなされる場合、データは無認可スペクトルを使用して送信され得、無認可スペクトルが利用できないという決定がなされる場合、データは認可スペクトルを使用して送信され得る。これらの実施形態では、無認可スペクトルを使用してデータを送信することは、アップリンク許可によって示されるサブフレームの第１のサブセットの中でデータを送信することを含み得、認可スペクトルを使用してデータを送信することは、アップリンク許可によって示されるサブフレームの第２のサブセットの中でデータを送信することを含み得る。場合によっては、サブフレームの第１および第２のサブセットの各々は、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、サブフレームの第１のサブセットは、サブフレームの第２のサブセットを含み得る。場合によっては、サブフレームの第１および第２のサブセットは、同じサブフレームの中で開始し得、他の場合には、サブフレームの第１のサブセットは、第１のサブフレームの中で開始し得、サブフレームの第２のサブセットは、第１のサブフレームから遅延した第２のサブフレームの中で開始し得る。
【００１０】
[0010]方法のいくつかの実施形態では、アップリンク許可は、アップリンク許可の優先シーケンスを含み得、優先シーケンスの中の各アップリンク許可は、それぞれのコンポーネントキャリアに関連付けられ得る。これらの実施形態では、無認可スペクトルの利用可能性を決定するためにＣＣＡを実行することは、利用可能性を決定するために、アップリンク許可の優先シーケンスに関連付けられているコンポーネントキャリアのうちの少なくとも１つでＣＣＡを実行することと、データを送信する際の使用のために利用できると認められたコンポーネントキャリアのうちの１つを識別することとを含み得る。場合によっては、優先シーケンスの中のアップリンク許可のサブセットに対応するコンポーネントキャリアは、利用できると認められ得、データを送信する際の使用のための１つのコンポーネントキャリアを識別することは、利用できると認められたコンポーネントキャリアの中から、サブセットの中で最も優先度の高いアップリンク許可に対応するコンポーネントキャリアを選択することを含み得る。いくつかの構成では、優先シーケンスの中の各アップリンク許可は、それぞれのコンポーネントキャリアに対する物理リソースブロック（ＰＲＢ）のセット、およびアップリンク許可が適用できるサブフレームのサブセットのうちの、１つまたは複数を含み得る。これらの構成では、サブフレームのサブセットは、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、優先シーケンスの中のアップリンク許可の中のパラメータは、優先シーケンスの中の別のアップリンク許可の中のそれぞれのパラメータから暗黙のうちに決定され得る。場合によっては、優先シーケンスの相異なるアップリンク許可の中のパラメータ間の暗黙の関係は、無線リソース制御（ＲＲＣ）シグナリングを通じて少なくとも部分的に規定され得る。
【００１１】
[0011]方法のいくつかの実施形態では、ＰＲＢのセットに対する無認可スペクトル上での最大アップリンクデータレートの指示は、認可スペクトルを介して受信され得、ＣＣＡは、指示に応答してサブフレームの中で実行され得る。ＣＣＡは、次のサブフレームの中でデータを送信するための、無認可スペクトル中のＰＲＢのセットに対するコンポーネントキャリアの利用可能性を決定するために実行され得る。これらの実施形態では、また場合によっては、無認可スペクトル中のＰＲＢのセットに対するコンポーネントキャリアが利用できるという決定がなされる場合、データは無認可スペクトルを使用して送信され得、無認可スペクトル中のＰＲＢのセットに対するコンポーネントキャリアが利用できないという決定がなされる場合、ＣＣＡは次のサブフレームの中で実行され得る。他の場合には、無認可スペクトル中のＰＲＢのセットに対するコンポーネントキャリアが利用できるという決定がなされる場合、データは無認可スペクトルを使用して送信され得、無認可スペクトル中のＰＲＢのセットに対するコンポーネントキャリアが利用できないという決定がなされる場合、データは認可スペクトルを使用して送信され得る。いくつかの構成では、ＰＲＢの同じセットは、複数のユーザの各々に無認可スペクトルのアップリンク上で割り当てられ得る。これらの構成では、ＰＲＢの同じセットが割り当てられた複数のユーザから送信されるデータは、逐次干渉除去（ＳＩＣ）を使用して復号され得る。同様にこれらの構成では、また場合によっては、ＰＲＢの同じセットが割り当てられた複数のユーザは、直交復調基準信号（ＤＭ−ＲＳ）シーケンスが割り当てられ得る。複数のユーザの各々は、また、別個のスクランブリングコードが割り当てられ得る。場合によっては、無認可スペクトル中のＰＲＢのセットに対するコンポーネントキャリアが利用できるという決定がなされる場合、方法は、割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信することを含み得る。これらの場合には、方法はまた、アップリンクデータ、アップリンク制御信号、およびアップリンク基準信号のうちの１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信することを含み得る。
【００１２】
[0012]方法のいくつかの実施形態では、方法は、基地局がアップリンク許可をスケジュールするために、スケジューリング要求、バッファステータス報告、および電力ヘッドルーム報告のうちの１つまたは複数を送信することを含み得る。電力ヘッドルーム報告は、場合によっては、認可スペクトルと関連した電力ヘッドルームと、無認可スペクトルと関連した電力ヘッドルームとを示し得る。
【００１３】
[0013]方法のいくつかの実施形態では、アップリンク許可によって示される変調コーディング方式（ＭＣＳ）からの変更は識別され得、メッセージは、アップリンク許可によって割り振られたＰＲＢ内のリソース要素のセットを介して送信され得る。メッセージは、識別されたＭＣＳの変更を示し得る。
【００１４】
[0014]方法のいくつかの実施形態では、アップリンク許可は、アップリンク伝送に対してＭＣＳを割り振ることなく、アップリンク伝送に対してＰＲＢを割り振り得る。これらの実施形態では、アップリンク許可を受信すると、アップリンク伝送に対してＭＣＳが決定され得、メッセージは、アップリンク伝送に対して割り振られたＰＲＢ内のリソース要素のセットを介して送信され得る。メッセージは、アップリンク伝送に対して決定されたＭＣＳを示し得る。
【００１５】
[0015]また、ワイヤレス通信のための装置について説明する。装置は、プロセッサと、プロセッサと電子通信しているメモリと、メモリに記憶された命令とを含み得る。命令は、認可スペクトルを介してアップリンク許可を受信することと、無認可スペクトルの利用可能性を決定するために、アップリンク許可に応答してＣＣＡを実行することとをするようにプロセッサによって実行可能であり得る。ＣＣＡは、アップリンク許可と関連した伝送の前に実行され得る。
【００１６】
[0016]装置のいくつかの実施形態では、命令は、無認可スペクトルが利用できるという決定がなされる場合、無認可スペクトルを使用してデータを送信することと、無認可スペクトルが利用できないという決定がなされる場合、アップリンク許可を無視することとをするようにプロセッサによって実行可能であり得る。
【００１７】
[0017]装置のいくつかの実施形態では、命令は、無認可スペクトルが利用できるという決定がなされる場合、無認可スペクトルを使用してデータを送信することと、無認可スペクトルが利用できないという決定がなされる場合、無認可スペクトルの非利用可能性を示すシグナリングを、認可スペクトルを使用して送信することとをするようにプロセッサによって実行可能であり得る。
【００１８】
[0018]装置のいくつかの実施形態では、命令は、無認可スペクトルが利用できるという決定がなされる場合、無認可スペクトルを使用してデータを送信することと、無認可スペクトルが利用できないという決定がなされる場合、認可スペクトルを使用してデータを送信することとをするようにプロセッサによって実行可能であり得る。これらの実施形態では、また場合によっては、無認可スペクトルを使用してデータを送信するようにプロセッサによって実行可能な命令は、アップリンク許可によって示されるサブフレームの第１のサブセットの中でデータを送信するようにプロセッサによって実行可能な命令を含み得、認可スペクトルを使用してデータを送信するようにプロセッサによって実行可能な命令は、アップリンク許可によって示されるサブフレームの第２のサブセットの中でデータを送信するようにプロセッサによって実行可能な命令を含み得る。場合によっては、サブフレームの第１および第２のサブセットの各々は、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。いくつかの構成では、サブフレームの第１のサブセットは、第１のサブフレームの中で開始し得、サブフレームの第２のサブセットは、第１のサブフレームから遅延した第２のサブフレームの中で開始し得る。これらの構成では、アップリンク許可は、優先シーケンスの中の各アップリンク許可がそれぞれのコンポーネントキャリアに関連付けられて、アップリンク許可の優先シーケンスを含み得、無認可スペクトルの利用可能性を決定するためにＣＣＡを実行するようにプロセッサによって実行可能な命令は、利用可能性を決定するために、アップリンク許可の優先シーケンスに関連付けられているコンポーネントキャリアのうちの少なくとも１つでＣＣＡを実行することと、データを送信する際の使用のために利用できると認められたコンポーネントキャリアのうちの１つを識別することとをするようにプロセッサによって実行可能な命令を含み得る。場合によっては、優先シーケンスの中の各アップリンク許可は、それぞれのコンポーネントキャリアに対するＰＲＢのセット、およびアップリンク許可が適用できるサブフレームのサブセットのうちの、１つまたは複数を含み得る。サブフレームのサブセットは、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、優先シーケンスの相異なるアップリンク許可の中のパラメータ間の暗黙の関係は、ＲＲＣシグナリングを通じて少なくとも部分的に規定され得る。
【００１９】
[0019]装置のいくつかの実施形態では、命令は、ＰＲＢのセットに対する無認可スペクトル上での最大アップリンクデータレートの指示を、認可スペクトルを介して受信するようにプロセッサによって実行可能であり得る。ＣＣＡは、次いで、指示に応答してサブフレームの中で実行され得る。ＣＣＡは、次のサブフレームの中でデータを送信するための、無認可スペクトル中のＰＲＢのセットに対するコンポーネントキャリアの利用可能性を決定するために実行され得る。場合によっては、命令は、無認可スペクトル中のＰＲＢのセットに対するコンポーネントキャリアが利用できるという決定がなされる場合、無認可スペクトルを使用してデータを送信することと、無認可スペクトル中のＰＲＢのセットに対するコンポーネントキャリアが利用できないという決定がなされる場合、次のサブフレームの中でＣＣＡを実行することとをするようにプロセッサによって実行可能であり得る。場合によっては、命令は、無認可スペクトル中のＰＲＢのセットに対するコンポーネントキャリアが利用できるという決定がなされる場合、無認可スペクトルを使用してデータを送信することと、無認可スペクトル中のＰＲＢのセットに対するコンポーネントキャリアが利用できないという決定がなされる場合、認可スペクトルを使用してデータを送信することとをするようにプロセッサによって実行可能であり得る。いくつかの構成では、ＰＲＢの同じセットは、複数のユーザの各々に無認可スペクトルのアップリンク上で割り当てられ得る。場合によっては、ＰＲＢの同じセットが割り当てられた複数のユーザから送信されるデータは、ＳＩＣを使用して復号され得る。場合によっては、ＰＲＢの同じセットが割り当てられた複数のユーザは、直交復調基準信号（ＤＭ−ＲＳ）シーケンスが割り当てられ得る。複数のユーザの各々は、また、別個のスクランブリングコードが割り当てられ得る。場合によっては、無認可スペクトル中のＰＲＢのセットに対するコンポーネントキャリアが利用できるという決定がなされる場合、命令は、割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信するようにプロセッサによって実行可能であり得る。これらの場合には、命令はまた、アップリンクデータ、アップリンク制御信号、およびアップリンク基準信号のうちの１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信するようにプロセッサによって実行可能であり得る。
【００２０】
[0020]装置のいくつかの実施形態では、命令は、基地局がアップリンク許可をスケジュールするために、スケジューリング要求、バッファステータス報告、および電力ヘッドルーム報告のうちの１つまたは複数を送信するようにプロセッサによって実行可能であり得る。
【００２１】
[0021]装置のいくつかの実施形態では、アップリンク許可は、アップリンク伝送に対してＭＣＳを割り振ることなく、アップリンク伝送に対してＰＲＢを割り振り得、命令は、アップリンク許可を受信すると、アップリンク伝送に対してＭＣＳを決定することと、アップリンク伝送に対して割り振られたＰＲＢ内のリソース要素のセットを介してメッセージを送信することとをするようにプロセッサによって実行可能であり得る。メッセージは、アップリンク伝送に対して決定されたＭＣＳを示し得る。
【００２２】
[0022]また、ワイヤレス通信のための別の装置について説明する。装置は、認可スペクトルを介してアップリンク許可を受信するための手段と、無認可スペクトルの利用可能性を決定するために、アップリンク許可に応答してＣＣＡを実行するための手段とを含み得る。ＣＣＡは、アップリンク許可と関連した伝送の前に実行され得る。
【００２３】
[0023]いくつかの実施形態では、装置は、無認可スペクトルが利用できるという決定がなされる場合、無認可スペクトルを使用してデータを送信するための手段と、無認可スペクトルが利用できないという決定がなされる場合、アップリンク許可を無視するための手段とをさらに含み得る。
【００２４】
[0024]いくつかの実施形態では、装置は、無認可スペクトルが利用できるという決定がなされる場合、無認可スペクトルを使用してデータを送信するための手段と、無認可スペクトルが利用できないという決定がなされる場合、無認可スペクトルの非利用可能性を示すシグナリングを、認可スペクトルを使用して送信するための手段とをさらに含み得る。
【００２５】
[0025]いくつかの実施形態では、装置は、無認可スペクトルが利用できるという決定がなされる場合、無認可スペクトルを使用してデータを送信するための手段と、無認可スペクトルが利用できないという決定がなされる場合、認可スペクトルを使用してデータを送信するための手段とをさらに含み得る。無認可スペクトルを使用してデータを送信するための手段は、アップリンク許可によって示されるサブフレームの第１のサブセットの中でデータを送信するための手段を含み得、認可スペクトルを使用してデータを送信するための手段は、アップリンク許可によって示されるサブフレームの第２のサブセットの中でデータを送信するための手段を含み得る。場合によっては、サブフレームの第１および第２のサブセットの各々は、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、サブフレームの第１のサブセットは、サブフレームの第２のサブセットを含み得る。場合によっては、サブフレームの第１および第２のサブセットは、同じサブフレームの中で開始し得、他の場合には、サブフレームの第１のサブセットは、第１のサブフレームの中で開始し得、サブフレームの第２のサブセットは、第１のサブフレームから遅延した第２のサブフレームの中で開始し得る。
【００２６】
[0026]装置のいくつかの実施形態では、アップリンク許可は、優先シーケンスの中の各アップリンク許可がそれぞれのコンポーネントキャリアに関連付けられて、アップリンク許可の優先シーケンスを含み得、無認可スペクトルの利用可能性を決定するためにＣＣＡを実行するための手段は、利用可能性を決定するために、アップリンク許可の優先シーケンスに関連付けられているコンポーネントキャリアのうちの少なくとも１つでＣＣＡを実行するための手段と、データを送信する際の使用のために利用できると認められたコンポーネントキャリアのうちの１つを識別するための手段とを含み得る。場合によっては、優先シーケンスの中のアップリンク許可のサブセットに対応するコンポーネントキャリアは、利用できると認められ得、データを送信する際の使用のための１つのコンポーネントキャリアを識別するための手段は、利用できると認められたコンポーネントキャリアの中から、サブセットの中で最も優先度の高いアップリンク許可に対応するコンポーネントキャリアを選択するための手段を含み得る。場合によっては、優先シーケンスの中の各アップリンク許可は、それぞれのコンポーネントキャリアに対する物理リソースブロック（ＰＲＢ）のセット、およびアップリンク許可が適用できるサブフレームのサブセットのうちの、１つまたは複数を含み得る。サブフレームのサブセットは、場合によっては、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、優先シーケンスの中のアップリンク許可の中のパラメータは、優先シーケンスの中の別のアップリンク許可の中のそれぞれのパラメータから暗黙のうちに決定され得る。場合によっては、優先シーケンスの相異なるアップリンク許可の中のパラメータ間の暗黙の関係は、ＲＲＣシグナリングを通じて少なくとも部分的に規定され得る。
【００２７】
[0027]いくつかの実施形態では、装置は、ＰＲＢのセットに対する無認可スペクトル上での最大アップリンクデータレートの指示を、認可スペクトルを介して受信するための手段をさらに含み得る。装置はまた、指示に応答してサブフレームの中でＣＣＡを実行するための手段を含み得る。ＣＣＡは、次のサブフレームの中でデータを送信するための、無認可スペクトル中のＰＲＢのセットに対するコンポーネントキャリアの利用可能性を決定するために実行され得る。これらの実施形態では、また場合によっては、装置は、無認可スペクトル中のＰＲＢのセットに対するコンポーネントキャリアが利用できるという決定がなされる場合、無認可スペクトルを使用してデータを送信するための手段と、無認可スペクトル中のＰＲＢのセットに対するコンポーネントキャリアが利用できないという決定がなされる場合、次のサブフレームの中でＣＣＡを実行するための手段とをさらに含み得る。同様にこれらの実施形態では、また場合によっては、装置は、無認可スペクトル中のＰＲＢのセットに対するコンポーネントキャリアが利用できるという決定がなされる場合、無認可スペクトルを使用してデータを送信するための手段と、無認可スペクトル中のＰＲＢのセットに対するコンポーネントキャリアが利用できないという決定がなされる場合、認可スペクトルを使用してデータを送信するための手段とをさらに含み得る。いくつかの構成では、ＰＲＢの同じセットは、複数のユーザの各々に無認可スペクトルのアップリンク上で割り当てられ得る。これらの構成では、ＰＲＢの同じセットが割り当てられた複数のユーザから送信されるデータは、ＳＩＣを使用して復号され得る。同様にこれらの構成では、また場合によっては、ＰＲＢの同じセットが割り当てられた複数のユーザは、直交ＤＭ−ＲＳシーケンスが割り当てられ得る。複数のユーザの各々は、また、別個のスクランブリングコードが割り当てられ得る。場合によっては、無認可スペクトル中のＰＲＢのセットに対するコンポーネントキャリアが利用できるという決定がなされる場合、装置は、割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信するための手段を含み得る。これらの場合には、装置はまた、アップリンクデータ、アップリンク制御信号、およびアップリンク基準信号のうちの１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信するための手段を含み得る。
【００２８】
[0028]いくつかの実施形態では、装置は、基地局がアップリンク許可をスケジュールするために、スケジューリング要求、バッファステータス報告、および電力ヘッドルーム報告のうちの１つまたは複数を送信するための手段をさらに含み得る。場合によっては、電力ヘッドルーム報告は、認可スペクトルと関連した電力ヘッドルームと、無認可スペクトルと関連した電力ヘッドルームとを示し得る。
【００２９】
[0029]いくつかの実施形態では、装置は、アップリンク許可によって示されるＭＣＳからの変更を識別するための手段と、アップリンク許可によって割り振られたＰＲＢ内のリソース要素のセットを介してメッセージを送信するための手段とを含み得、メッセージは、ＭＣＳの識別された変更を示す。
【００３０】
[0030]いくつかの実施形態では、アップリンク許可は、アップリンク伝送に対してＭＣＳを割り振ることなく、アップリンク伝送に対してＰＲＢを割り振り得る。これらの実施形態では、アップリンク許可を受信すると、アップリンク伝送に対してＭＣＳを決定するための手段と、アップリンク伝送に対して割り振られたＰＲＢ内のリソース要素のセットを介してメッセージを送信するための手段とをさらに含み得る。メッセージは、アップリンク伝送に対して決定されたＭＣＳを示し得る。
【００３１】
[0031]また、ワイヤレス通信のためのコンピュータプログラム製品について説明する。コンピュータプログラム製品は、認可スペクトルを介してアップリンク許可を受信することと、無認可スペクトルの利用可能性を決定するために、アップリンク許可に応答してＣＣＡを実行することとをするようにプロセッサによって実行可能な命令を記憶する非一時的コンピュータ可読媒体を含み得る。ＣＣＡは、アップリンク許可と関連した伝送の前に実行され得る。
【００３２】
[0032]コンピュータプログラム製品のいくつかの実施形態では、命令は、無認可スペクトルが利用できるという決定がなされる場合、無認可スペクトルを使用してデータを送信することと、無認可スペクトルが利用できないという決定がなされる場合、アップリンク許可を無視することとをするようにプロセッサによって実行可能であり得る。
【００３３】
[0033]コンピュータプログラム製品のいくつかの実施形態では、命令は、無認可スペクトルが利用できるという決定がなされる場合、無認可スペクトルを使用してデータを送信することと、無認可スペクトルが利用できないという決定がなされる場合、無認可スペクトルの非利用可能性を示すシグナリングを、認可スペクトルを使用して送信することとをするようにプロセッサによって実行可能であり得る。
【００３４】
[0034]コンピュータプログラム製品のいくつかの実施形態では、命令は、無認可スペクトルが利用できるという決定がなされる場合、無認可スペクトルを使用してデータを送信することと、無認可スペクトルが利用できないという決定がなされる場合、認可スペクトルを使用してデータを送信することとをするようにプロセッサによって実行可能であり得る。
【００３５】
[0035]コンピュータプログラム製品のいくつかの実施形態では、アップリンク許可は、アップリンク許可の優先シーケンスを含み得る。優先シーケンスの中の各アップリンク許可は、それぞれのコンポーネントキャリアに関連付けられ得、無認可スペクトルの利用可能性を決定するためにＣＣＡを実行するようにプロセッサによって実行可能な命令は、利用可能性を決定するために、アップリンク許可の優先シーケンスに関連付けられているコンポーネントキャリアのうちの少なくとも１つでＣＣＡを実行することと、データを送信する際の使用のために利用できると認められたコンポーネントキャリアのうちの１つを識別することとをするようにプロセッサによって実行可能な命令を含み得る。
【００３６】
[0036]コンピュータプログラム製品のいくつかの実施形態では、命令は、ＰＲＢのセットに対する無認可スペクトル上での最大アップリンクデータレートの指示を、認可スペクトルを介して受信することと、指示に応答してサブフレームの中でＣＣＡを実行することとをするようにプロセッサによって実行可能であり得る。ＣＣＡは、次のサブフレームの中でデータを送信するための、無認可スペクトル中のＰＲＢのセットに対するコンポーネントキャリアの利用可能性を決定するために実行され得る。
【００３７】
[0037]コンピュータプログラム製品のいくつかの実施形態では、ＰＲＢの同じセットは、複数のユーザの各々に無認可スペクトルのアップリンク上で割り当てられ得る。これらの実施形態では、また場合によっては、ＰＲＢの同じセットが割り当てられた複数のユーザから送信されるデータは、ＳＩＣを使用して復号され得る。場合によっては、ＰＲＢの同じセットが割り当てられる複数のユーザは、直交ＤＭ−ＲＳシーケンスが割り当てられ得る。場合によっては、複数のユーザの各々は、また、別個のスクランブリングコードが割り当てられ得る。
【００３８】
[0038]コンピュータプログラム製品のいくつかの実施形態では、無認可スペクトル中のＰＲＢのセットに対するコンポーネントキャリアが利用できるという決定がなされ得る。これらの実施形態では、命令は、割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信するようにプロセッサによって実行可能であり得る。同様にこれらの実施形態では、命令は、アップリンクデータ、アップリンク制御信号、およびアップリンク基準信号のうちの１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信するようにプロセッサによって実行可能であり得る。
【００３９】
[0039]コンピュータプログラム製品のいくつかの実施形態では、命令は、基地局がアップリンク許可をスケジュールするために、スケジューリング要求、バッファステータス報告、および電力ヘッドルーム報告のうちの１つまたは複数を送信するようにプロセッサによって実行可能であり得る。
【００４０】
[0040]また、ワイヤレス通信のための別の方法について説明する。いくつかの構成では、方法は、認可スペクトルを介してスケジューリング情報を受信することと、認可スペクトルを介してアップリンク許可を送信することとを含み得る。アップリンク許可は、スケジューリング情報に少なくとも部分的に基づき得、アップリンク許可は、アップリンク許可と関連した伝送の前に、無認可スペクトルの利用可能性を決定するためのＣＣＡをトリガするように構成され得る。
【００４１】
[0041]方法のいくつかの実施形態では、無認可スペクトルが利用できるという決定がなされる場合、データは無認可スペクトルを介して受信され得、無認可スペクトルが利用できないという決定がなされる場合、データは認可スペクトルを介して受信され得る。場合によっては、無認可スペクトルを介してデータを受信することは、アップリンク許可によって示されるサブフレームの第１のサブセットを介して送信されたデータを受信することを含み得、認可スペクトルを介してデータを受信することは、アップリンク許可によって示されるサブフレームの第２のサブセットを介して送信されたデータを受信することを含み得る。いくつかの構成では、サブフレームの第１のサブセットは、サブフレームの第２のサブセットを含み得る。いくつかの構成では、サブフレームの第１および第２のサブセットは、同じサブフレームの中で開始し得、他の構成では、サブフレームの第１のサブセットは、第１のサブフレームの中で開始し得、サブフレームの第２のサブセットは、第１のサブフレームから遅延した第２のサブフレームの中で開始し得る。これらの後者の構成の場合、サブフレームの第１のサブセットを介して送信されたデータが受信される場合、サブフレームの第２のサブセットを介したデータの伝送と関連した認可スペクトルの中のリソースは解放され得る。
【００４２】
[0042]いくつかの実施形態では、スケジューリング情報は、スケジューリング要求、バッファステータス報告、ならびに認可スペクトルと関連した電力ヘッドルームおよび無認可スペクトルと関連した電力ヘッドルームを示す電力ヘッドルーム報告のうちの、１つまたは複数を含み得る。
【００４３】
[0043]いくつかの実施形態では、方法は、ＰＲＢの同じセットを、無認可スペクトルのアップリンク上の複数のユーザに、送信されたアップリンク許可に少なくとも部分的に基づいて割り当てることと、割り当てられたＰＲＢを使用する複数のユーザからアップリンクデータを受信することと、アップリンクデータをＳＩＣを使用して復号することと含み得る。これらの実施形態では、また場合によっては、方法は、直交ＤＭ−ＲＳシーケンスおよびスクランブリングコードのうちの一方または両方を、複数のユーザの各々に、アップリンクデータの伝送のために割り当てることをさらに含み得る。場合によっては、送信フォーマット選択、ＨＡＲＱ−ＩＤ、およびＨＡＲＱ  ＲＶのうちの１つまたは複数を示す信号は、複数のユーザの各々からアップリンクデータと一緒に受信され得る。
【００４４】
[0044]また、ワイヤレス通信のための別の装置について説明する。装置は、プロセッサと、プロセッサと電子通信しているメモリと、メモリに記憶された命令とを含み得る。命令は、認可スペクトルを介してスケジューリング情報を受信することと、認可スペクトルを介してアップリンク許可を送信することとをするようにプロセッサによって実行可能であり得る。アップリンク許可は、スケジューリング情報に少なくとも部分的に基づき得、アップリンク許可と関連した伝送の前に、無認可スペクトルの利用可能性を決定するためのＣＣＡをトリガするように構成され得る。
【００４５】
[0045]装置のいくつかの実施形態では、命令は、無認可スペクトルが利用できるという決定がなされる場合、無認可スペクトルを介してデータを受信することと、無認可スペクトルが利用できないという決定がなされる場合、認可スペクトルを介してデータを受信することとをするようにプロセッサによって実行可能であり得る。これらの実施形態では、無認可スペクトルを介してデータを受信するようにプロセッサによって実行可能な命令は、アップリンク許可によって示されるサブフレームの第１のサブセットを介して送信されたデータを受信するようにプロセッサによって実行可能な命令を含み得、認可スペクトルを介してデータを受信するようにプロセッサによって実行可能な命令は、アップリンク許可によって示されるサブフレームの第２のサブセットを介して送信されたデータを受信するようにプロセッサによって実行可能な命令を含み得る。
【００４６】
[0046]装置のいくつかの実施形態では、スケジューリング情報は、スケジューリング要求、バッファステータス報告、ならびに認可スペクトルと関連した電力ヘッドルームおよび無認可スペクトルと関連した電力ヘッドルームを示す電力ヘッドルーム報告のうちの、１つまたは複数を含み得る。
【００４７】
[0047]また、ワイヤレス通信のためのさらに別の装置について説明する。いくつかの構成では、装置は、認可スペクトルを介してスケジューリング情報を受信するための手段と、認可スペクトルを介してアップリンク許可を送信するための手段とを含み得る。アップリンク許可は、スケジューリング情報に少なくとも部分的に基づき得、アップリンク許可と関連した伝送の前に、無認可スペクトルの利用可能性を決定するためのＣＣＡをトリガするように構成され得る。
【００４８】
[0048]いくつかの実施形態では、装置は、無認可スペクトルが利用できるという決定がなされる場合、無認可スペクトルを介してデータを受信するための手段と、無認可スペクトルが利用できないという決定がなされる場合、認可スペクトルを介してデータを受信するための手段とをさらに含み得る。これらの実施形態では、また場合によっては、無認可スペクトルを介してデータを受信するための手段は、アップリンク許可によって示されるサブフレームの第１のサブセットを介して送信されるデータを受信するための手段を含み得、認可スペクトルを介してデータを受信するための手段は、アップリンク許可によって示されるサブフレームの第２のサブセットを介して送信されるデータを受信するための手段を含み得る。場合によっては、サブフレームの第１のサブセットは、サブフレームの第２のサブセットを含み得る。場合によっては、サブフレームの第１および第２のサブセットは、同じサブフレームの中で開始し得、他の場合には、サブフレームの第１のサブセットは、第１のサブフレームの中で開始し得、サブフレームの第２のサブセットは、第１のサブフレームから遅延した第２のサブフレームの中で開始し得る。場合によっては、装置は、サブフレームの第１のサブセットを介して送信されたデータが受信される場合、サブフレームの第２のサブセットを介したデータの伝送と関連した認可スペクトルの中のリソースを解放するための手段を含み得る。
【００４９】
[0049]装置のいくつかの実施形態では、スケジューリング情報は、スケジューリング要求、バッファステータス報告、ならびに認可スペクトルと関連した電力ヘッドルームおよび無認可スペクトルと関連した電力ヘッドルームを示す電力ヘッドルーム報告のうちの、１つまたは複数を含み得る。
【００５０】
[0050]また、ワイヤレス通信のためのコンピュータプログラム製品について説明する。コンピュータプログラム製品は、認可スペクトルを介してスケジューリング情報を受信することと、認可スペクトルを介してアップリンク許可を送信することとをするようにプロセッサによって実行可能な命令を記憶する非一時的コンピュータ可読媒体を含み得、アップリンク許可は、スケジューリング情報に少なくとも部分的に基づき、アップリンク許可は、アップリンク許可と関連した伝送の前に、無認可スペクトルの利用可能性を決定するためのＣＣＡをトリガするように構成される。
【００５１】
[0051]コンピュータプログラム製品のいくつかの実施形態では、命令は、無認可スペクトルが利用できるという決定がなされる場合、無認可スペクトルを介してデータを受信することと、無認可スペクトルが利用できないという決定がなされる場合、認可スペクトルを介してデータを受信することとをするようにプロセッサによって実行可能であり得る。場合によっては、無認可スペクトルを介してデータを受信するようにプロセッサによって実行可能な命令は、アップリンク許可によって示されるサブフレームの第１のサブセットを介して送信されたデータを受信するようにプロセッサによって実行可能な命令を含み得、認可スペクトルを介してデータを受信するようにプロセッサによって実行可能な命令は、アップリンク許可によって示されるサブフレームの第２のサブセットを介して送信されたデータを受信するようにプロセッサによって実行可能な命令を含み得る。
【００５２】
[0052]コンピュータプログラム製品のいくつかの実施形態では、スケジューリング情報は、スケジューリング要求、バッファステータス報告、ならびに認可スペクトルと関連した電力ヘッドルームおよび無認可スペクトルと関連した電力ヘッドルームを示す電力ヘッドルーム報告のうちの、１つまたは複数を含み得る。
【００５３】
[0053]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【００５４】
[0054]以下の図面を参照すれば、本発明の性質および利点のさらなる理解が得られ得る。添付の図において、同様の構成要素または特徴は同じ参照ラベルを有し得る。さらに、同じタイプの様々な構成要素は、同様の構成要素の中で区別するダッシュおよび第２のラベルを参照ラベルの後に付けることによって区別され得る。第１の参照ラベルのみが明細書において使用される場合、その説明は、第２の参照ラベルにかかわらず、同じ第１の参照ラベルを有する同様の構成要素のうちのいずれにも適用可能である。
【図面の簡単な説明】
【００５５】
【図１】[0055]ワイヤレス通信システムのブロック図。
【図２Ａ】[0056]様々な実施形態による、ロングタームエボリューション（ＬＴＥ）および／またはＬＴＥアドバンスト（ＬＴＥ−Ａ）の無認可スペクトルを使用するための展開シナリオの例を示す図。
【図２Ｂ】[0057]様々な実施形態による、ＬＴＥ／ＬＴＥ−Ａ無認可スペクトルを使用するキャリアアグリゲーションの一例を示す図。
【図３】[0058]様々な実施形態による、ＵＥとｅＮＢとの間の通信の一例を示すメッセージフロー図。
【図４】[0059]様々な実施形態による、ｅＮＢおよびＵＥによって行われる伝送の一例を示すタイミング図。
【図５】[0060]様々な実施形態による、ＵＥとｅＮＢとの間の通信の別の例を示すメッセージフロー図。
【図６Ａ】[0061]様々な実施形態による、ｅＮＢおよびＵＥによって行われる伝送のさらなる例を示すタイミング図。
【図６Ｂ】[0061]様々な実施形態による、ｅＮＢおよびＵＥによって行われる伝送のさらなる例を示すタイミング図。
【図７】[0062]様々な実施形態による、認可スペクトルと無認可スペクトルとを使用するワイヤレス通信のための方法の一例のフローチャート。
【図８】[0063]様々な実施形態による、ＵＥとｅＮＢとの間の通信のさらに別の例を示すメッセージフロー図。
【図９Ａ】[0064]様々な実施形態による、ｅＮＢおよびＵＥによって行われる伝送のさらなる例を示すタイミング図。
【図９Ｂ】[0064]様々な実施形態による、ｅＮＢおよびＵＥによって行われる伝送のさらなる例を示すタイミング図。
【図１０Ａ】[0065]様々な実施形態による、ワイヤレス通信における使用のためのＵＥなどのデバイスの例のブロック図。
【図１０Ｂ】[0065]様々な実施形態による、ワイヤレス通信における使用のためのＵＥなどのデバイスの例のブロック図。
【図１１Ａ】[0066]様々な実施形態による、ワイヤレス通信における使用のためのｅＮＢなどのデバイスの例のブロック図。
【図１１Ｂ】[0066]様々な実施形態による、ワイヤレス通信における使用のためのｅＮＢなどのデバイスの例のブロック図。
【図１２】[0067]様々な実施形態による、ＵＥのアーキテクチャの一例を示すブロック図。
【図１３】[0068]様々な実施形態による、基地局のアーキテクチャの一例を示すブロック図。
【図１４】[0069]様々な実施形態による、多入力多出力（ＭＩＭＯ）通信システムの一例を示すブロック図。
【図１５】[0070]様々な実施形態による、認可スペクトルと無認可スペクトルとを（たとえば、ＵＥにおいて）使用するワイヤレス通信のための方法の例のフローチャート。
【図１６】[0070]様々な実施形態による、認可スペクトルと無認可スペクトルとを（たとえば、ＵＥにおいて）使用するワイヤレス通信のための方法の例のフローチャート。
【図１７】[0070]様々な実施形態による、認可スペクトルと無認可スペクトルとを（たとえば、ＵＥにおいて）使用するワイヤレス通信のための方法の例のフローチャート。
【図１８】[0070]様々な実施形態による、認可スペクトルと無認可スペクトルとを（たとえば、ＵＥにおいて）使用するワイヤレス通信のための方法の例のフローチャート。
【図１９】[0070]様々な実施形態による、認可スペクトルと無認可スペクトルとを（たとえば、ＵＥにおいて）使用するワイヤレス通信のための方法の例のフローチャート。
【図２０】[0071]様々な実施形態による、認可スペクトルと無認可スペクトルとを（たとえば、ｅＮＢにおいて）使用するワイヤレス通信のための方法の一例のフローチャート。
【発明を実施するための形態】
【００５６】
[0072]無認可スペクトルがＬＴＥ／ＬＴＥ−Ａ通信のために使用される方法、装置、システム、およびデバイスが説明される。様々な展開シナリオは、ＬＴＥ／ＬＴＥ−Ａを無認可スペクトルへ拡張するときにサポートされ得る。１つのシナリオは、ＬＴＥ／ＬＴＥ−Ａダウンリンクトラフィックが無認可スペクトルへオフロードされ得る補助ダウンリンクモードを含む。別のシナリオは、基地局（たとえば、ｅＮＢ）とＵＥとの間のＬＴＥ／ＬＴＥ−Ａダウンリンク通信およびＬＴＥ／ＬＴＥ−Ａアップリンク通信が無認可スペクトルの中で行われ得るスタンドアロンモードを含む。さらに別のシナリオでは、キャリアアグリゲーションモードが、ＬＴＥ／ＬＴＥ−ＡダウンリンクトラフィックとＬＴＥ／ＬＴＥ−Ａアップリンクトラフィックの両方を、認可スペクトルから無認可スペクトルへオフロードするために使用され得る。キャリアアグリゲーションモードが無認可スペクトルの中でＬＴＥ／ＬＴＥ−Ａ通信のために使用されている場合、アップリンク伝送のための異なる方式が存在し得る。基地局およびＵＥは、これらまたは同様の動作モードのうちの１つまたは複数をサポートし得る。直交周波数分割多元接続（ＯＦＤＭＡ）通信信号が、無認可スペクトルの中でＬＴＥ／ＬＴＥ−Ａダウンリンク通信のために使用され得、シングルキャリア周波数分割多元接続（ＳＣ−ＦＤＭＡ）通信信号が、無認可スペクトルの中でＬＴＥ／ＬＴＥ−Ａアップリンク通信のために使用され得る。
【００５７】
[0073]一般に、オペレータは、セルラーネットワークにおいて常に増大する混雑のレベルを緩和するために無認可スペクトルを使用するための主なメカニズムとして、ＷｉＦｉに注目してきた。しかしながら、ＬＴＥ／ＬＴＥ−Ａ無認可スペクトルに基づくニューキャリアタイプ（ＮＣＴ）は、キャリア階層のＷｉＦｉと互換性があり得、ＬＴＥ／ＬＴＥ−Ａ無認可スペクトルを、ネットワークの混雑の緩和へ誘導されるＷｉＦｉ解決策の代替物にさせる。ＬＴＥ／ＬＴＥ−Ａ無認可スペクトルは、ＬＴＥ／ＬＴＥ−Ａの多くの概念を活用し得、無認可スペクトルにおける効率のよい運用をもたらすとともに規制上の要件を満たすために、ネットワークまたはネットワークデバイスの物理レイヤ（ＰＨＹ）およびメディアアクセス制御（ＭＡＣ）の態様にいくつかの修正を加え得る。無認可スペクトルは、たとえば、６００メガヘルツ（ＭＨｚ）から６ギガヘルツ（ＧＨｚ）までわたり得る。場合によっては、ＬＴＥ／ＬＴＥ−Ａ無認可スペクトルはＷｉＦｉよりも著しく良好に働き得る。たとえば、無認可スペクトルの中のすべてＬＴＥ／ＬＴＥ−Ａの（単一または複数のオペレータに対する）展開が、すべてＷｉＦｉの展開になぞらえられる場合、または高密度な小さいセルの展開が存在する場合、ＬＴＥ／ＬＴＥ−Ａ無認可スペクトルはＷｉＦｉよりも著しく良好に働き得る。ＬＴＥ／ＬＴＥ−Ａ無認可スペクトルが（単一または複数のオペレータに対して）ＷｉＦｉと混合される場合などの他の場合に、ＬＴＥ／ＬＴＥ−Ａ無認可スペクトルはまた、ＷｉＦｉよりも良好に働き得る。
【００５８】
[0074]単一のサービスプロバイダ（ＳＰ）にとって、無認可スペクトルの中で動作中のＬＴＥ／ＬＴＥ−Ａネットワークは、認可スペクトルの中で動作しているＬＴＥ／ＬＴＥ−Ａネットワークと同期しているように構成され得る。しかしながら、無認可スペクトルの中の、所与のチャネル上で複数のＳＰによって展開されるＬＴＥ／ＬＴＥ−Ａネットワークは、複数のＳＰにわたって同期しているように構成され得る。上記の特徴の両方を組み入れるための１つの手法は、認可スペクトルの中のＬＴＥ／ＬＴＥ−Ａと所与のＳＰのための無認可スペクトルのネットワークとの間で、一定のタイミングオフセットを使用することを伴い得る。無認可スペクトルの中のＬＴＥ／ＬＴＥ−Ａネットワークは、ＳＰの必要性に従って、ユニキャストおよび／またはマルチキャストのサービスを提供し得る。その上、無認可スペクトルの中のＬＴＥ／ＬＴＥ−Ａネットワークは、ＬＴＥ／ＬＴＥ−Ａセルがアンカーとして振る舞うとともに、関連するＬＴＥ／ＬＴＥ−Ａ無認可スペクトルのセル情報（たとえば、無線フレームタイミング、共通チャネルの構成、システムフレーム番号すなわちＳＦＮなど）を提供する、ブートストラップモードで動作し得る。このモードでは、認可スペクトルの中のＬＴＥ／ＬＴＥ−Ａネットワークと無認可スペクトルの中のＬＴＥ／ＬＴＥ−Ａネットワークとの間に、緊密な相互作用が存在し得る。たとえば、ブートストラップモードは、上記で説明した補助ダウンリンクモードとキャリアアグリゲーションモードとをサポートし得る。無認可スペクトルの中のＬＴＥ／ＬＴＥ−ＡネットワークのＰＨＹ−ＭＡＣレイヤは、無認可スペクトルの中のＬＴＥ／ＬＴＥ−Ａネットワークが認可スペクトルの中のＬＴＥ／ＬＴＥ−Ａネットワークから独立に動作するスタンドアロンモードで動作し得る。この場合、たとえば、一緒に置かれたＬＴＥ／ＬＴＥ−Ａの認可スペクトルおよび無認可スペクトルのセルを伴う無線リンク制御（ＲＬＣ）レベルのアグリゲーション、または複数のセルおよび／もしくは基地局にわたるマルチフローに基づいて、認可スペクトルの中のＬＴＥ／ＬＴＥ−Ａネットワークと無認可スペクトルの中のＬＴＥ／ＬＴＥ−Ａネットワークとの間に緩い相互作用が存在し得る。
【００５９】
[0075]本明細書で説明する技法は、ＬＴＥ／ＬＴＥ−Ａに限定されず、ＣＤＭＡ、ＴＤＭＡ、ＦＤＭＡ、ＯＦＤＭＡ、ＳＣ−ＦＤＭＡ、および他のシステムなどの様々なワイヤレス通信システムにも使用され得る。「システム」と「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６の標準規格を含む。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。ＬＴＥおよびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる組織からの文書に記載されている。ＣＤＭＡ２０００およびＵＭＢは、「第３世代パートナーシッププロジェクト２」（３ＧＰＰ２：3rd Generation Partnership Project 2）と呼ばれる組織からの文書に記載されている。本明細書において説明される技法は、上記のシステムおよび無線技術、ならびに他のシステムおよび無線技術に使用され得る。ただし、以下の説明では、例として認可スペクトルおよび／または無認可スペクトルにおけるＬＴＥ／ＬＴＥ−Ａシステムについて説明し、以下の説明の大部分においてＬＴＥ／ＬＴＥ−Ａの用語が使用されるが、本技法はＬＴＥ／ＬＴＥ−Ａの適用例以外に適用可能である。
【００６０】
[0076]以下の説明は例を提供するものであり、特許請求の範囲に記載される範囲、適用性、または構成を限定するものではない。本開示の趣旨および範囲から逸脱することなく、説明する要素の機能および構成において変更が行われ得る。様々な実施形態は、必要に応じて様々な手順または構成要素を省略、置換、または追加することができる。たとえば、説明する方法は、説明する順序とは異なる順序で実施され得、様々なステップが追加、省略、または組み合わせられ得る。また、いくつかの実施形態に関して記載される特徴は、他の実施形態において組み合わせられ得る。
【００６１】
[0077]最初に図１を参照すると、図はワイヤレス通信システムまたはネットワーク１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホール１３２を介してコアネットワーク１３０と制御情報および／またはユーザデータを通信し得る。実施形態では、基地局１０５は、有線またはワイヤレスの通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信し得る。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００６２】
[0078]基地局１０５は、１つまたは複数の基地局アンテナを介してデバイス１１５とワイヤレス通信し得る。基地局１０５のサイトの各々は、それぞれの地理的カバレージエリア１１０に通信カバレージを提供し得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の適切な用語で呼ばれる場合がある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術に対して重複するカバレージエリアが存在し得る。
【００６３】
[0079]いくつかの実施形態では、システム１００は、１つまたは複数のＬＴＥ／ＬＴＥ−Ａ無認可スペクトルの動作モードまたは展開シナリオをサポートするＬＴＥ／ＬＴＥ−Ａネットワークであり得る。他の実施形態では、システム１００は、無認可スペクトルおよびＬＴＥ／ＬＴＥ−Ａと異なるアクセス技術、または認可スペクトルおよびＬＴＥ／ＬＴＥ−Ａと異なるアクセス技術を使用する、ワイヤレス通信をサポートし得る。発展型ノードＢ（ｅＮＢ）およびユーザ機器（ＵＥ）という用語は、一般に、それぞれ基地局１０５とデバイス１１５とを説明するために使用され得る。システム１００は、異なるタイプのｅＮＢが様々な地理的領域にカバレージを提供する、認可スペクトルおよび無認可スペクトルにおける異種ＬＴＥ／ＬＴＥ−Ａネットワークであり得る。たとえば、各ｅＮＢ１０５は、マクロセル、ピコセル、フェムトセル、および／または他のタイプのセルに通信カバレージを提供し得る。ピコセル、フェムトセル、および／または他のタイプのセルなどのスモールセルは、低電力ノードすなわちＬＰＮを含み得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００６４】
[0080]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホール１３２を介して（たとえば、コアネットワーク１３０を通して）、直接的または間接的に互いに通信し得る。システム１００は同期動作または非同期動作をサポートし得る。同期動作の場合、ｅＮＢは同様のフレームタイミングおよび／またはゲーティングタイミングを有し得、異なるｅＮＢからの伝送は時間的にほぼ整合され得る。非同期動作の場合、ｅＮＢは異なるフレームタイミングおよび／またはゲーティングタイミングを有し得、異なるｅＮＢからの伝送は時間的に整合されない場合がある。本明細書で説明される技法は、同期動作または非同期動作のいずれかに対して使用され得る。
【００６５】
[0081]ＵＥ１１５はシステム１００全体にわたって分散され、各ＵＥは固定またはモバイルであり得る。ＵＥ１１５はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれる場合がある。ＵＥ１１５は、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００６６】
[0082]システム１００中に示された通信リンク１２５は、モバイルデバイス１１５から基地局１０５へのアップリンク（ＵＬ）伝送、および／または基地局１０５からモバイルデバイス１１５へのダウンリンク（ＤＬ）伝送を含み得る。ダウンリンク伝送は順方向リンク伝送と呼ばれることもあり、一方、アップリンク伝送は逆方向リンク伝送と呼ばれることもある。ダウンリンク伝送は、認可スペクトル（たとえば、ＬＴＥ／ＬＴＥ−Ａ認可スペクトル）、無認可スペクトル（たとえば、ＬＴＥ／ＬＴＥ−Ａ無認可スペクトル）、または両方を使用して行われ得る。同様に、アップリンク伝送は、認可スペクトル（たとえば、ＬＴＥ／ＬＴＥ−Ａ認可スペクトル）、無認可スペクトル（たとえば、ＬＴＥ／ＬＴＥ−Ａ無認可スペクトル）、または両方を使用して行われ得る。
【００６７】
[0083]システム１００のいくつかの実施形態では、ＬＴＥ／ＬＴＥ−Ａ無認可スペクトルのための様々な展開シナリオは、認可スペクトルの中のＬＴＥ／ＬＴＥ−Ａダウンリンク容量が無認可スペクトルへオフロードされ得る補助ダウンリンクモードと、ＬＴＥ／ＬＴＥ−Ａダウンリンク容量とＬＴＥ／ＬＴＥ−Ａアップリンク容量の両方が認可スペクトルから無認可スペクトルへオフロードされ得るキャリアアグリゲーションモードと、基地局（たとえば、ｅＮＢ）とＵＥとの間のＬＴＥ／ＬＴＥ−Ａダウンリンク通信およびＬＴＥ／ＬＴＥ−Ａアップリンク通信が無認可スペクトルの中で行われ得るスタンドアロンモードとを含んでサポートされ得る。基地局１０５およびＵＥ１１５は、これらまたは同様の動作モードのうちの１つまたは複数をサポートし得る。ＯＦＤＭＡ通信信号は、無認可スペクトルおよび／または認可スペクトルの中のＬＴＥ／ＬＴＥ−Ａダウンリンク伝送のために通信リンク１２５の中で使用され得、ＳＣ−ＦＤＭＡ通信信号は、無認可スペクトルおよび／または認可スペクトルの中のＬＴＥ／ＬＴＥ−Ａアップリンク伝送のために通信リンク１２５の中で使用され得る。システム１００などのシステムにおける、無認可スペクトルの中のＬＴＥ／ＬＴＥ−Ａの展開シナリオまたは動作モードの実装形態に関するさらなる詳細、およびより詳細には、無認可スペクトルの中のキャリアアグリゲーションモードでのＬＴＥ／ＬＴＥ−Ａアップリンク伝送に関するさらなる詳細、ならびにＬＴＥ／ＬＴＥ−Ａ無認可スペクトルの動作に関する他の特徴および機能を、図２Ａ〜図２０を参照しながら以下に提供する。
【００６８】
[0084]次に図２Ａを参照すると、図２００は、無認可スペクトルをサポートするＬＴＥ／ＬＴＥ−Ａネットワークのための補助ダウンリンクモードおよびキャリアアグリゲーションモードの例を示す。図２００は、図１のシステム１００の部分の一例であり得る。その上、基地局２０５は図１の基地局１０５の一例であり得、ＵＥ２１５、２１５−ａ、および２１５−ｂは図１のＵＥ１１５の例であり得る。
【００６９】
[0085]図２００における補助ダウンリンクモードの例では、基地局２０５は、ＯＦＤＭＡ通信信号をＵＥ２１５へダウンリンク２２０を使用して送信し得る。ダウンリンク２２０は、無認可スペクトルの中の周波数Ｆ１に関連付けられている。基地局２０５は、ＯＦＤＭＡ通信信号を同じＵＥ２１５に双方向リンク２２５を使用して送信し得、ＳＣ−ＦＤＭＡ通信信号をそのＵＥ２１５から双方向リンク２２５を使用して受信し得る。双方向リンク２２５は、認可スペクトルの中の周波数Ｆ４に関連付けられている。無認可スペクトルの中のダウンリンク２２０および認可スペクトルの中の双方向リンク２２５は、同時に動作し得る。ダウンリンク２２０は、ダウンリンク容量のオフロードを基地局２０５に提供し得る。いくつかの実施形態では、ダウンリンク２２０は、ユニキャストサービス（たとえば、１つのＵＥへアドレス指定される）のサービスのために、またはマルチキャストサービス（たとえば、いくつかのＵＥへアドレス指定される）のために使用され得る。このシナリオは、認可スペクトルを使用しトラフィックおよび／またはシグナリングの混雑のうちの一部を緩和する必要がある、任意のサービスプロバイダ（たとえば、従来のモバイルネットワークオペレータすなわちＭＮＯ）に対して生じ得る。
【００７０】
[0086]図２００におけるキャリアアグリゲーションモードの１つの例では、基地局２０５は、ＯＦＤＭＡ通信信号をＵＥ２１５−ａへ双方向リンク２３０を使用して送信し得、ＳＣ−ＦＤＭＡ通信信号を同じＵＥ２１５−ａから双方向リンク２３０を使用して受信し得る。双方向リンク２３０は、無認可スペクトル内の周波数Ｆ１に関連付けられている。基地局２０５はまた、ＯＦＤＭＡ通信信号を同じＵＥ２１５−ａへ双方向リンク２３５を使用して送信し得、ＳＣ−ＦＤＭＡ通信信号を同じＵＥ２１５−ａから双方向リンク２３５を使用して受信し得る。双方向リンク２３５は、認可スペクトルの中の周波数Ｆ２に関連付けられている。双方向リンク２３０は、ダウンリンク容量およびアップリンク容量のオフロードを基地局２０５に提供し得る。上記で説明した補助ダウンリンクのように、このシナリオは、認可スペクトルを使用しトラフィックおよび／またはシグナリングの混雑のうちの一部を緩和する必要がある、任意のサービスプロバイダ（たとえば、ＭＮＯ）に対して生じ得る。
【００７１】
[0087]図２００におけるキャリアアグリゲーションモードの別の例では、基地局２０５は、ＯＦＤＭＡ通信信号をＵＥ２１５−ｂへ双方向リンク２４０を使用して送信し得、ＳＣ−ＦＤＭＡ通信信号を同じＵＥ２１５−ｂから双方向リンク２４０を使用して受信し得る。双方向リンク２４０は、無認可スペクトルの中の周波数Ｆ３に関連付けられている。基地局２０５はまた、ＯＦＤＭＡ通信信号を同じＵＥ２１５−ｂへ双方向リンク２４５を使用して送信し得、ＳＣ−ＦＤＭＡ通信信号を同じＵＥ２１５−ｂから双方向リンク２４５を使用して受信し得る。双方向リンク２４５は、認可スペクトルの中の周波数Ｆ２に関連付けられている。双方向リンク２４０は、ダウンリンク容量およびアップリンク容量のオフロードを基地局２０５に提供し得る。この例および上記で提供した例は、説明のために提示され、容量のオフロードのために認可スペクトルおよび無認可スペクトルの中のＬＴＥ／ＬＴＥ−Ａを組み合わせる他の同様の動作モードまたは展開シナリオが存在し得る。
【００７２】
[0088]上記で説明したように、ＬＴＥ／ＬＴＥ−Ａ無認可スペクトルを使用することによって提供される容量のオフロードから利益を得ることができる典型的なサービスプロバイダは、ＬＴＥ／ＬＴＥ−Ａ認可スペクトルを用いる従来のＭＮＯである。これらのサービスプロバイダにとって、運用上の構成は、認可スペクトル上のＬＴＥ／ＬＴＥ−Ａ  １次コンポーネントキャリア（ＰＣＣ）と無認可スペクトル上のＬＴＥ／ＬＴＥ−Ａ  ２次コンポーネントキャリア（ＳＣＣ）とを使用するブートストラップモード（たとえば、補助ダウンリンク、キャリアアグリゲーション）を含み得る。
【００７３】
[0089]キャリアアグリゲーションモードでは、データおよび制御は、一般にＬＴＥ／ＬＴＥ−Ａ認可スペクトルの中で（たとえば、双方向リンク２２５、２３５、および２４５を介して）通信され得、データは、一般にＬＴＥ／ＬＴＥ−Ａ無認可スペクトルの中で（たとえば、双方向リンク２３０および２４０を介して）通信され得る。ＬＴＥ／ＬＴＥ−Ａ無認可スペクトルを使用する場合にサポートされるキャリアアグリゲーションメカニズムは、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００７４】
[0090]図２Ｂは、図２Ａに関して上記で説明したＬＴＥ／ＬＴＥ−Ａ無認可スペクトルのためのキャリアアグリゲーションモードのより詳細な例を示す図２５０を示す。この例では、基地局２０５は、ＯＦＤＭＡ通信信号をＵＥ２１５−ａへ双方向リンク２３０のダウンリンク（ＤＬ）を介して送信し得、ＳＣ−ＦＤＭＡ通信信号を同じＵＥ２１５−ａから双方向リンク２３０のアップリンク（ＵＬ）を介して受信し得る。上記で説明したように、双方向リンク２３０は、無認可スペクトルの中の周波数Ｆ１に関連付けられている。基地局２０５はまた、ＯＦＤＭＡ通信信号を同じＵＥ２１５−ａへ双方向リンク２３５のＤＬを介して送信し得、ＳＣ−ＦＤＭＡ通信信号を同じＵＥ２１５−ａから双方向リンク２３５のＵＬを介して受信し得る。双方向リンク２３５は、認可スペクトルの中の周波数Ｆ２に関連付けられている。双方向リンク２３０は、ダウンリンク容量およびアップリンク容量のオフロードを基地局２０５に提供し得る。このシナリオは、認可スペクトルを使用しトラフィックおよび／またはシグナリングの混雑のうちの一部を緩和する必要がある、任意のサービスプロバイダ（たとえば、ＭＮＯ）に対して生じ得る。シグナリングおよび／または制御情報は、一般に、基地局２０５とＵＥ２１５−ａとの間で双方向リンク２３５のＵＬとＤＬとを使用して通信され得る。しかしながら、一部のシグナリングおよび／または制御情報が、基地局２０５とＵＥ２１５−ａとの間で双方向リンク２３０のＵＬとＤＬとを使用して通信され得る事例があり得る。
【００７５】
[0091]図３は、キャリアアグリゲーション動作モードに関するＵＥ３１５とｅＮＢ３０５との間の通信の一例を示すメッセージフロー図３００である。ＵＥ３１５は、図１、図２Ａ、および／または図２Ｂを参照しながら説明したＵＥ１１５および２１５のうちの１つまたは複数の態様の一例であり得、ｅＮＢ３０５は、図１、図２Ａ、および／または図２Ｂを参照しながら説明したｅＮＢ１０５および２０５のうちの１つまたは複数の態様の一例であり得る。
【００７６】
[0092]メッセージフローは、スケジューリング情報３２０をｅＮＢ３０５へ、認可スペクトル（たとえば、ＬＴＥスペクトル）上で搬送されるアップリンクを介して送信するＵＥ３１５を含み得る。場合によっては、スケジューリング情報は、スケジューリング要求（ＳＲ）、バッファステータス報告（ＢＳＲ）、ならびに認可スペクトルと関連した電力ヘッドルームおよび無認可スペクトル（たとえば、ＬＴＥ／ＬＴＥ−Ａ無認可スペクトル）と関連した電力ヘッドルームを示す電力ヘッドルーム報告（ＰＨＲ）のうちの、１つまたは複数を含み得る。電力ヘッドルーム報告は、各スペクトルに対して、ＵＥ３１５の現在の送信電力とＵＥ３１５の最大送信電力との間の差を示し得る。このことにより、ｅＮＢ３０５は、認可スペクトルまたは無認可スペクトルの中のチャネル状態（たとえば、チャネル品質）に応じて、送信電力を調整できるようになり得る。場合によっては、ＰＨＲは、過去のクリアチャネルアセスメント（ＣＣＡ）履歴に基づいてバイアスをかけられ得る。
【００７７】
[0093]ｅＮＢ３０５は、スケジューリング情報３２０を受信し得、スケジューリング情報に少なくとも部分的に基づいて、アップリンク（ＵＬ）許可３３０をＵＥ３１５へ認可スペクトル上で搬送されるダウンリンクを介して送信し得る。ＵＬ許可（すなわち、「無認可スペクトルＵＬ許可」）３３０は、ＵＬ許可と関連したＵＥ３１５による伝送の前に、無認可スペクトルの利用可能性を決定するためのＣＣＡを実行するように、ＵＥ３１５をトリガするように構成され得る。
【００７８】
[0094]図４は、キャリアアグリゲーション動作モードに関してｅＮＢおよびＵＥによって行われる伝送の一例を示すタイミング図４００である。ｅＮＢによる伝送４１０は、図１、図２Ａ、図２Ｂ、および／または図３を参照しながら説明したｅＮＢ１０５、２０５、および３０５のうちの１つによって行われる伝送の一例であり得、ＵＥによる伝送４２０は、図１、図２Ａ、図２Ｂ、および／または図３を参照しながら説明したＵＥ１１５、２１５、および３１５のうちの１つによって行われる伝送の一例であり得る。ｅＮＢによる伝送４１０は、認可スペクトル（たとえば、ＬＴＥ／ＬＴＥ−Ａ認可スペクトル）のダウンリンク（ＤＬ）を介して行われ得、ＵＥによって行われる伝送４２０は、無認可スペクトル（たとえば、ＬＴＥ／ＬＴＥ−Ａ無認可スペクトル）のアップリンクを介して行われ得る。
【００７９】
[0095]最初に、ｅＮＢは、認可スペクトルのダウンリンク（ＤＬ）を介してＵＬ許可を送信（Ｔｘ）し得る。ＵＬ許可は、場合によっては、ｅＮＢによって（たとえば、ＵＥから）受信されたスケジューリング情報に少なくとも部分的に基づき得る。ＵＬ許可は、アップリンク許可と関連した伝送（たとえば、ＵＥによる伝送）の前に、無認可スペクトルの利用可能性を決定するためのクリアチャネルアセスメント（ＣＣＡ）をトリガするように構成され得る。
【００８０】
[0096]サブフレーム（ＳＦ）ｋにおいて、ＵＬ許可は、認可スペクトルのＤＬを介して受信され得る。パラメータｋの値は、伝送遅延および／または他の変数に基づき得、場合によっては、あらかじめｅＮＢおよびＵＥによって知られ得る。
【００８１】
[0097]サブフレームｋ＋ｎ−１において、ここでｎはＵＬ許可の中で規定される、またはあらかじめＵＥおよびｅＮＢによって知られているパラメータであり、ＵＥは、無認可スペクトルの利用可能性を決定するために、ＣＣＡ４３０を実行し得る。ＣＣＡ４３０は、ＵＬ許可と関連した伝送（たとえば、ＵＥによる伝送）の前に実行され得る。無認可スペクトルが利用できるという決定がなされる（すなわち、ＣＣＡが成功した）場合、データは、ｅＮＢへサブフレームｋ＋ｎの中の無認可スペクトルを使用して送信され得る。しかしながら、無認可スペクトルが利用できないという決定がなされる（すなわち、ＣＣＡが成功しなかった）場合、ＵＬ許可は、無視（ｉｇｎｏｒｅ）または無視（ｄｉｓｒｅｇａｒｄ）され得る。場合によっては、ＵＥは、無認可スペクトルが利用できないと決定すると、信号をｅＮＢへ認可スペクトルの中で送信し得る。信号は、無認可スペクトルの非利用可能性を示すメッセージを含み得る。
【００８２】
[0098]場合によっては、データの伝送は、サブフレームｋ＋ｎで始まりｐ個のサブフレームにわたって（たとえば、サブフレームｋ＋ｎ＋ｐ−１まで）継続してもよく、ここでｐはＵＬ許可の中で規定されるパラメータである。パラメータｐは、ＵＬ許可が適用できるサブフレームのサブセットを示し得る。サブフレームのサブセットは、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。ｐ＝１の場合、ＵＬ許可は非持続的と見なされ得る。ｐ＞１の場合、ＵＬ許可は持続的と見なされ得る。−すなわち、ＵＬ許可は、ＵＥが無認可スペクトルのアップリンクの、１つを越えるサブフレームの中でデータを送信できるようにし得る。場合によっては、ＵＥは、無認可スペクトルのアップリンクの、１つを越えるサブフレームの中でデータを送信する前に、ＣＣＡを一度実行してもよい。他の場合には、ＵＥは、ＵＥがその中で無認可スペクトルを介してデータを送信しようと望む各それぞれのサブフレームの前に、ＣＣＡを実行することが必要となる場合がある。
【００８３】
[0099]サブフレームｋ＋ｎ＋ｍにおいて、ｅＮＢは、ｅＮＢがＵＥからの伝送を無認可スペクトルのアップリンクを介して受信したかどうかに応じて、ハイブリッド自動再送要求（ＨＡＲＱ）のＡＣＫ／ＮＡＣＫなどの肯定応答（ＡＣＫ）または否定応答（ＮＡＣＫ）を送信し得る。ＡＣＫまたはＮＡＣＫは、信頼性を向上させるために、認可スペクトルのダウンリンクを介して送信され得る。
【００８４】
[0100]場合によっては、ｅＮＢによって提供されるＵＬ許可は、固定の物理リソースブロック（ＰＲＢ）の割振りと、変調コーディング方式（ＭＣＳ）とを規定し得る。他の場合には、ＵＬ許可は、固定のＰＲＢの割振りと、可変のＭＣＳの割振りとを規定し得る。可変のＭＣＳの割振りにより、ＵＥはチャネル状態に基づいてそのＭＣＳを変更できるようになり得る。他の場合には、ＵＬ許可は、ＭＣＳの割振りを規定することなく、固定のＰＲＢの割振りを規定し得る。それらの場合には、ＵＥは、ＵＬ許可を受信するとＭＣＳを決定し得、アップリンク伝送のために使用されるべきＭＣＳを示すために、割り振られたＰＲＢを伴うリソース要素のセットを介してメッセージをｅＮＢへ送信し得る。
【００８５】
[0101]図５は、ＵＥ５１５がそのＭＣＳを変更することを許可されている場合の、キャリアアグリゲーション動作モードに関するＵＥ５１５とｅＮＢ５０５との間の通信の一例を示すメッセージフロー図５００である。ＵＥ５１５は、図１、図２Ａ、図２Ｂ、および／または図３を参照しながら説明したＵＥ１１５、２１５、および３１５のうちの１つまたは複数の態様の一例であり得、ｅＮＢ５０５は、図１、図２Ａ、図２Ｂ、および／または図３を参照しながら説明したｅＮＢ１０５、２０５、および３０５のうちの１つまたは複数の態様の一例であり得る。図５に示すメッセージフローは、本明細書で説明される様々な他のメッセージフローと統合され得る。
【００８６】
[0102]メッセージフローは、ブロック５２０において、ＵＥ５１５がそのＭＣＳの変更を識別することを含み得る。ＵＥ５１５は、そのＵＬ許可によって割り振られたＰＲＢ内のリソース要素のセットを介して、メッセージ５３０を送信し得る。メッセージ５３０は、識別されたＭＣＳの変更を示すアップリンクのトランスポートフォーマット指標（ＴＦＩ）の一部として提供され得る。
【００８７】
[0103]ｅＮＢ５０５は、メッセージ５３０を受信し得、メッセージ５３０に少なくとも部分的に基づいて、ＭＣＳの割振りの変更に留意し得る。いくつかの実施形態では、ｅＮＢ５０５は、次のＵＬ許可をＵＥ５１５に与えるとき、ＭＣＳを考慮に入れることができる。すなわち、ｅＮＢ５０５とＵＥ５１５との間の後続の通信は、ＵＥ５１５によって識別されｅＮＢ５０５に通信されたＭＣＳの割振りの変更に基づき得る。
【００８８】
[0104]図６Ａは、キャリアアグリゲーション動作モードに関してｅＮＢおよびＵＥによって行われる伝送の別の例を示すタイミング図６００である。ｅＮＢによる伝送６１０は、図１、図２Ａ、図２Ｂ、図３、および／または図５を参照しながら説明したｅＮＢ１０５、２０５、２０５、および５０５のうちの１つによって行われる伝送の一例であり得、ＵＥによる伝送６２０、６４０は、図１、図２Ａ、図２Ｂ、図３、および／または図５を参照しながら説明したＵＥ１１５、２１５、３１５および５１５のうちの１つによって行われる伝送の一例であり得る。ｅＮＢによる伝送６１０は、認可スペクトル（たとえば、ＬＴＥ／ＬＴＥ−Ａ認可スペクトル）のダウンリンク（ＤＬ）を介して行われ得、ＵＥによる伝送６２０および６４０は、それぞれ無認可スペクトル（たとえば、ＬＴＥ／ＬＴＥ−Ａ無認可スペクトル）のアップリンクおよび認可スペクトルのアップリンクを介して行われ得る。
【００８９】
[0105]最初に、ｅＮＢは、ＵＬ許可を認可スペクトルのダウンリンクを介して送信し得る。ＵＬ許可は、場合によっては、ｅＮＢによって（たとえば、ＵＥから）受信されたスケジューリング情報に少なくとも部分的に基づき得る。ＵＬ許可は、アップリンク許可と関連した伝送（たとえば、ＵＥによる伝送）の前に、無認可スペクトルの利用可能性を決定するためのＣＣＡをトリガするように構成され得る。
【００９０】
[0106]サブフレームｋにおいて、ＵＬ許可は、認可スペクトルのＤＬを介して受信され得る。パラメータｋの値は、伝送遅延および／または他の変数に基づき得、場合によっては、あらかじめｅＮＢおよびＵＥによって知られ得る。
【００９１】
[0107]サブフレームｋ＋ｎ−１において、ここでｎはＵＬ許可の中で規定される、またはあらかじめＵＥおよびｅＮＢによって知られているパラメータであり、ＵＥは、無認可スペクトルの利用可能性を決定するために、ＣＣＡ６３０を実行し得る。ＣＣＡ４３０は、ＵＬ許可と関連した伝送（たとえば、ＵＥによる伝送）の前に実行され得る。無認可スペクトルが利用できるという決定がなされる場合、データは、ｅＮＢへサブフレームｋ＋ｎの中の無認可スペクトルを使用して送信され得る。しかしながら、無認可スペクトルが利用できないという決定がなされる場合、データは、ｅＮＢへ認可スペクトルを使用して送信され得る。
【００９２】
[0108]図６Ａに示すように、認可スペクトルを使用する伝送は、サブフレームｋ＋ｎ（すなわち、伝送が無認可スペクトルの中で行われることになる同じサブフレーム）において始まってもよい。交代に、また図６Ｂに示すように、認可スペクトルを使用する伝送は、伝送が無認可スペクトルの中で行われることになるサブフレームｋ＋ｎと異なる、サブフレームｋ＋ｎ＋ｄ１において始まってもよい。パラメータｄ１は、場合によっては、いくつかの数のサブフレームの遅延であり得る。パラメータｄ１を採用することによって、ＵＥが、無認可スペクトルが利用できると決定するとともに認可スペクトルに対するＵＬ許可が必要とされない場合、認可スペクトル上のフォールバック伝送を可能にするＵＬ許可は、譲渡および再割り振りされ得る。すなわち、ｅＮＢが、無認可スペクトルがアップリンク伝送のために使用されたことを検出する場合、認可スペクトルを介した伝送に対するＵＬ許可の一部として割り振られたリソースは、解放および再割り振りされ得る。
【００９３】
[0109]ｅＮＢは、複数のＵＥによる伝送の間の衝突の可能性を、異なるＵＥに異なるパイロットシーケンスを割り当てることによって軽減し得、それらのパイロットシーケンスは、ｅＮＢによって復号され、区別され得る。場合によっては、異なるパイロットシーケンスは、認可スペクトルの対応する物理アップリンク共有チャネル（ＰＵＳＣＨ）リソースの中の直交復調基準信号（ＤＭ−ＲＳ）であり得る。
【００９４】
[0110]場合によっては、ＵＥによるデータの伝送は、サブフレームｋ＋ｎまたはｋ＋ｎ＋ｄ１において始まりｐ０個またはｐ１個のサブフレームにわたって継続してもよく、ここで、ｐ０およびｐ１はＵＬ許可の中で規定されるパラメータである。パラメータｐ０は、ＵＬ許可が無認可スペクトルの中で適用できるサブフレームの第１のサブセットを示し得、パラメータｐ１は、ＵＬ許可が認可スペクトルの中で適用できるサブフレームの第２のサブセットを示し得る。たとえば、無認可スペクトルを使用してデータを送信する場合、ＵＥはサブフレームｐ０の第１のサブセット（または期間）の中でデータを送信し得るが、認可スペクトルを使用してデータを送信する場合、ＵＥはサブフレームｐ１の第２のサブセット（または期間）の中でデータを送信し得る。サブフレームの第１のサブセットは、サブフレームの第２のサブセットよりも小さくても、それと等しくても、またはそれよりも大きくてもよい。しかしながら、無認可スペクトルが認可スペクトルよりも多くの利用できる帯域幅を有する場合、サブフレームの第１のサブセットをサブフレームの第２のサブセットよりも大きくさせることは有用であり得る。場合によっては、サブフレームの第１のサブセットは、サブフレームの第２のサブセットを含み得る。サブフレームの第１および第２のサブセットは、同じサブフレームの中で、または異なる（すなわち、オフセットまたは遅延した）サブフレームにおいて開始し得る。サブフレームの第１および第２のサブセットの各々は、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。
【００９５】
[0111]サブフレームｋ＋ｎ＋ｍにおいて、ｅＮＢは、ｅＮＢが無認可スペクトルおよび／または認可スペクトルのアップリンクを介してＵＥから伝送を受信したかどうかに応じて、ＨＡＲＱのＡＣＫ／ＮＡＣＫなどの肯定応答（ＡＣＫ）または否定応答（ＮＡＣＫ）を送信し得る。ＡＣＫまたはＮＡＣＫは、信頼性を向上させるために、認可スペクトルのダウンリンクを介して送信され得る。
【００９６】
[0112]図７は、ワイヤレス通信のための方法７００の一例を示すフローチャートである。明快のために、方法７００について、図１、図２Ａ、図２Ｂ、図３、および／または図５に示す、ｅＮＢ１０５、２０５、３０５、および５０５、またはＵＥ１１５、２１５、３１５、および５１５のうちの１つを参照しながら以下で説明する。一実施形態では、ＵＥのうちの１つは、以下で説明する機能を実行するために、ＵＥの機能要素を制御するためのコードの１つまたは複数のセットを実行し得る。
【００９７】
[0113]ブロック７０５において、アップリンク許可は、認可スペクトルを介して受信され得る。いくつかの実施形態では、アップリンク許可は、ＵＥによってｅＮＢから受信され得る。いくつかの実施形態では、認可スペクトルは、ＬＴＥ／ＬＴＥ−Ａスペクトルを含み得る。アップリンク許可は、優先シーケンスの中の各アップリンク許可がそれぞれのコンポーネントキャリアにその中で関連付けられる、アップリンク許可の優先シーケンスを含み得る。
【００９８】
[0114]いくつかの実施形態では、優先シーケンスの中の各ＵＬ許可は、それぞれのコンポーネントキャリアに対するＰＲＢのセット、およびアップリンク許可が適用できるサブフレームのサブセットのうちの、一方または両方を含み得る。サブフレームのサブセットは、サブセットの中のいくつか（期間）のサブフレーム、サブセットの中の連続するサブフレーム間の時間間隔、およびアップリンク許可の受信の時間とサブセットの中のサブフレームの最初の出現との間の初期オフセットまたは遅延のうちの、１つまたは複数の観点から規定され得る。たとえば、アップリンク許可の優先シーケンスは、パラメータのセット｛Ｇｋ＝（ｆk，ｒk，ｐk）｜ｋ＝１，２，．．．，Ｎ｝を規定し得、ここで、各ｆkは無認可スペクトルまたは認可スペクトルの中のコンポーネントキャリアであり、ｒkはそれぞれのコンポーネントキャリアに対するＰＲＢのセットであり、ｐkは、たとえばサブフレーム単位で規定される、許可の持続性である。
【００９９】
[0115]場合によっては、優先シーケンスの中のＵＬ許可の中のパラメータは、優先シーケンスの中の別のＵＬ許可の中のそれぞれのパラメータから暗黙のうちに決定され得る。このことは、アップリンク許可の優先シーケンスの一部として送信されることを必要とするパラメータの数を低減し得る。たとえば、リストの中の最後の許可は、認可スペクトルの中のキャリアであり得る１次コンポーネントキャリア（ＰＣＣ）に対する許可であり得る。さらなる例として、パラメータｐk+1は、すべてのｋに対してｐk−１と等しくあり得、またはｐk+1はｃｅｉｌ（ｐk／２）と等しくあり得る。さらなる例として、ｋ＞１に対して、許可パラメータＧkは、無線リソース制御（ＲＲＣ）シグナリングを使用して体系的に構成され得る。この場合には、優先シーケンスは、シーケンスの中の第１の許可、Ｇ1を動的に生成し、優先シーケンスの中で先行するキャリアに対してＣＣＡが失敗したとき、持続的な割当てＧ2，Ｇ3，．．．，ＧNを活性化するために使用される。
【０１００】
[0116]ブロック７１０および７１５において、またアップリンク許可の優先シーケンスに応答して、ＣＣＡは、無認可スペクトルの利用可能性を決定するために実行され得る。場合によっては、ＣＣＡは、１）ブロック７１０において、利用可能性を決定するために、アップリンク許可の優先シーケンスに関連付けられているコンポーネントキャリアのうちの少なくとも１つでＣＣＡを実行すること、および２）ブロック７１５において、データを送信する際の使用のために利用できると認められたコンポーネントキャリアのうちの１つを識別することによって、実行され得る。１つの例では、ＵＥは、ｋ＝１で始まる各コンポーネントキャリアｆkに対してＣＣＡを連続的に実行し得る。ｆnに対応する無認可スペクトルが利用できると決定すると、さらなるＣＣＡは実行される必要が無くてもよい。別の例では、優先シーケンスの中のアップリンク許可のサブセットに対応するコンポーネントキャリアは、利用できると認められ得、データを送信する際の使用のための１つのコンポーネントキャリアは、利用できると認められたコンポーネントキャリアの中から、サブセットの中で最も優先度の高いアップリンク許可に対応するコンポーネントキャリアを選択することによって識別され得る。
【０１０１】
[0117]ブロック７２０において、ＵＬデータは、識別されたコンポーネントキャリアを使用して（たとえば、ＵＥ１１５からｅＮＢ１０５へ）送信され得る。たとえば、ＵＥは、次のｐn個のサブフレームに対して、コンポーネントキャリアｆn上でＰＲＢ  ｒnを使用してデータを送信し得る。図７に示さないが、特定の優先度のＵＬ許可に対するコンポーネントキャリアが利用できるものと決定される場合、より低い優先度の使用されていないＵＬ許可は解放され得る。
【０１０２】
[0118]いくつかの実施形態では、優先シーケンスの中のアップリンク許可の中のパラメータは、優先シーケンスの中の別のアップリンク許可の中のそれぞれのパラメータから暗黙のうちに決定され得る。いくつかの実施形態では、優先シーケンスの相異なるアップリンク許可の中のパラメータ間の暗黙の関係は、無線リソース制御（ＲＲＣ）シグナリングを通じて少なくとも部分的に規定され得る。
【０１０３】
[0119]したがって、方法７００はワイヤレス通信を提供し得る。方法７００は一実装形態にすぎず、方法７００の動作は、他の実装形態が可能であるように再構成あるいは修正されてよいことに留意されたい。
【０１０４】
[0120]図８は、ＵＥ８１５とｅＮＢ８０５との間の通信の一例を示すメッセージフロー図８００である。ＵＥ８１５は、図１、図２Ａ、図２Ｂ、図３、および／または図５を参照しながら説明したＵＥ１１５、２１５、３１５、および５１５のうちの１つまたは複数の態様の一例であり得、ｅＮＢ８０５は、図１、図２Ａ、図２Ｂ、図３、および／または図５を参照しながら説明したｅＮＢ１０５、２０５、３０５、および５０５のうちの１つまたは複数の態様の一例であり得る。
【０１０５】
[0121]メッセージフローは、ＵＥ８１５が、スケジューリング情報８２０をｅＮＢ８０５へ、認可スペクトル（たとえば、ＬＴＥ／ＬＴＥ−Ａ認可スペクトル）上で搬送されるアップリンクを介して送信することを含み得る。場合によっては、スケジューリング情報は、スケジューリング要求、バッファステータス報告、ならびに認可スペクトルと関連した電力ヘッドルームおよび無認可スペクトル（たとえば、ＬＴＥ／ＬＴＥ−Ａ無認可スペクトル）と関連した電力ヘッドルームを示す電力ヘッドルーム報告のうちの、１つまたは複数を含み得る。電力ヘッドルーム報告は、各スペクトルに対して、ＵＥ８１５の現在の送信電力とＵＥ８１５の最大送信電力との間の差を示し得る。このことにより、ｅＮＢ８０５は、認可スペクトルまたは無認可スペクトルの中のチャネル状態（たとえば、チャネル品質）に応じて、送信電力を調整できるようになり得る。場合によっては、電力ヘッドルームは、過去のＣＣＡ履歴に基づいてバイアスをかけられ得る。
【０１０６】
[0122]ｅＮＢ８０５は、スケジューリング情報８２０を受信し得、スケジューリング情報に少なくとも部分的に基づいて、ＰＲＢのセットに対する無認可スペクトル上での最大アップリンクデータレート（トランスポートフォーマットすなわちＴＦ）の指示８３０を送信し得る。ＵＥ８１５は、この指示を受信し得、指示に応答してサブフレームの中でＣＣＡを実行し得る。ＣＣＡは、次のサブフレームの中でデータを送信するための、無認可スペクトル中のＰＲＢのセットに対するコンポーネントキャリアの利用可能性を決定するために実行され得る。最大アップリンクデータレートの指示に応答してＣＣＡを実行することの例を、以下で説明する。
【０１０７】
[0123]図９Ａは、ｅＮＢおよびＵＥによって行われる伝送の別の例を示すタイミング図９００である。ｅＮＢによる伝送９１０は、図１、図２Ａ、図２Ｂ、図３、図５、および／または図８を参照しながら説明したｅＮＢ１０５、２０５、３０５、５０５、および８０５のうちの１つによって行われる伝送の一例であり得、ＵＥによる伝送９２０は、図１、図２Ａ、図２Ｂ、図３、図５、および／または図８を参照しながら説明したＵＥ１１５、２１５、３１５、５１５、および８１５のうちの１つによって行われる伝送の一例であり得る。ｅＮＢによる伝送９１０は、認可スペクトル（たとえば、ＬＴＥ／ＬＴＥ−Ａスペクトル）のダウンリンク（ＤＬ）を介して行われ得、ＵＥによって行われる伝送９２０は、無認可スペクトル（たとえば、ＬＴＥ／ＬＴＥ−Ａ無認可スペクトル）のアップリンクを介して行われ得る。
【０１０８】
[0124]最初に、ｅＮＢは、ＵＬ許可を認可スペクトルのダウンリンクを介して送信し得る。ｅＮＢはまた、最大アップリンクデータレート（たとえば、ＴＦ指示）を、認可スペクトルのダウンリンクを介して送信し得る。ＵＬ許可およびＴＦ指示に応答して、ＣＣＡは、アップリンク許可と関連した伝送（たとえば、ＵＥによる伝送）の前に、無認可スペクトルの利用可能性を決定するためにトリガされ得る。
【０１０９】
[0125]ＵＬ許可は、ブロードキャストまたはユニキャストされ得る。ブロードキャストされる場合、ＵＬ許可がブロードキャストされる先のＵＥのすべては、アップリンクＰＲＢのグループのすべてのＰＲＢＳ上で送信することを許可される。ユニキャストされる場合、各ＵＥは、ＰＲＢの固有のセット上で送信することを許可される。
【０１１０】
[0126]サブフレームｋにおいて、ＴＦ指示は、認可スペクトルのＤＬを介して受信され得る。パラメータｋの値は、伝送遅延および／または他の変数に基づき得、場合によっては、あらかじめｅＮＢおよびＵＥによって知られ得る。
【０１１１】
[0127]サブフレームｋ＋ｎ−１において、ここでｎはＵＬ許可の中で規定される、またはあらかじめＵＥおよびｅＮＢによって知られているパラメータであり、ＵＥは、無認可スペクトル中のＰＲＢのセットに対するコンポーネントキャリアの利用可能性を決定するために、ＣＣＡ９３０を実行し得る。ＣＣＡ９３０は、ＵＬ許可と関連した伝送（たとえば、ＵＥによる伝送）の前に実行され得る。無認可スペクトルが利用できるという決定がなされる場合、データは、ｅＮＢへサブフレームｋ＋ｎ（たとえば、次のサブフレーム）の中の無認可スペクトルを使用して送信され得る。しかしながら、無認可スペクトル中のＰＲＢのセットに対するコンポーネントキャリアが利用できないという決定がなされる場合、ＣＣＡ９３２は、サブフレームｋ＋ｎの中で実行され得る。ＣＣＡ９３２に応じて無認可スペクトルが利用できるという決定がなされる場合、データは、ｅＮＢへサブフレームｋ＋ｎ＋１の中の無認可スペクトルを使用して送信され得る。さもなければ、ｅＮＢによって規定または許可される限り、サイクルは継続し得る。
【０１１２】
[0128]いくつかのＵＥの各々は、図９Ａに関して説明した動作を並行して実行し得、符号分割多元接続（ＣＤＭＡ）技術（たとえば、拡散シーケンス）が、同じサブフレームの中でデータを送信するＵＥ間の干渉を軽減するために使用され得る。
【０１１３】
[0129]データがその中でｅＮＢへ送信される、または送信されないサブフレームからｍ個のサブフレームであるサブフレームにおいて、ｅＮＢは、ｅＮＢが無認可スペクトルのアップリンクを介してＵＥから伝送を受信したかどうかに応じて、ＨＡＲＱのＡＣＫ／ＮＡＣＫなどの肯定応答（ＡＣＫ）または否定応答（ＮＡＣＫ）を送信し得る。ＡＣＫまたはＮＡＣＫは、信頼性を向上させるために、認可スペクトルのダウンリンクを介して送信され得る。
【０１１４】
[0130]図９Ｂは、ｅＮＢおよびＵＥによって行われる伝送のさらに別の例を示すタイミング図９００である。ｅＮＢによる伝送９１０は、図１、図２Ａ、図２Ｂ、図３、図５、および／または図８を参照しながら説明したｅＮＢ１０５、２０５、３０５、５０５、および８０５のうちの１つによって行われる伝送の一例であり得、ＵＥによる伝送９２０および９５０は、図１、図２Ａ、図２Ｂ、図３、図５、および／または図８を参照しながら説明したＵＥ１１５、２１５、３１５、５１５、および８１５のうちの１つによって行われる伝送の一例であり得る。ｅＮＢによる伝送９１０は、認可スペクトル（たとえば、ＬＴＥ／ＬＴＥ−Ａ認可スペクトル）のダウンリンク（ＤＬ）を介して行われ得、ＵＥによる伝送９２０および９４０は、それぞれ無認可スペクトル（たとえば、ＬＴＥ／ＬＴＥ−Ａ無認可スペクトル）のアップリンクおよび認可スペクトルのアップリンクを介して行われ得る。
【０１１５】
[0131]最初に、ｅＮＢは、ＵＬ許可を認可スペクトルのダウンリンクを介して送信し得る。ｅＮＢはまた、最大アップリンクデータレート（たとえば、ＴＦ指示）を、認可スペクトルのダウンリンクを介して送信し得る。ＵＬ許可およびＴＦ指示に応答して、ＣＣＡは、アップリンク許可と関連した伝送（たとえば、ＵＥによる伝送）の前に、無認可スペクトルの利用可能性を決定するためにトリガされ得る。
【０１１６】
[0132]サブフレームｋにおいて、ＴＦ指示は、認可スペクトルのＤＬを介して受信され得る。パラメータｋの値は、伝送遅延および／または他の変数に基づき得、場合によっては、あらかじめｅＮＢおよびＵＥによって知られ得る。
【０１１７】
[0133]サブフレームｋ＋ｎ−１において、ここでｎはＵＬ許可の中で規定される、またはあらかじめＵＥおよびｅＮＢによって知られているパラメータであり、ＵＥは、無認可スペクトル中のＰＲＢのセットに対するコンポーネントキャリアの利用可能性を決定するために、ＣＣＡ９３０を実行し得る。ＣＣＡ９３０は、ＵＬ許可と関連した伝送（たとえば、ＵＥによる伝送）の前に実行され得る。無認可スペクトルが利用できるという決定がなされる場合、データは、ｅＮＢへサブフレームｋ＋ｎ（たとえば、次のサブフレーム）の中の無認可スペクトルを使用して送信され得る。しかしながら、無認可スペクトルが利用できないという決定がなされる場合、データは、ｅＮＢへＰＲＢのセットに対するサブフレームｋ＋ｎの中の認可スペクトルを使用して送信され得る。別のＣＣＡ９３２は、次いで、サブフレームｋ＋ｎの中で実行され得る。ＣＣＡ９３２に応じて無認可スペクトルが利用できるという決定がなされる場合、データは、ｅＮＢへサブフレームｋ＋ｎ＋１の中の無認可スペクトルを使用して送信され得る。さもなければ、データは、ｅＮＢへサブフレームｋ＋ｎの中の認可スペクトルを使用して送信され得る。ｅＮＢによって規定または許可される限り、サイクルは継続し得る。
【０１１８】
[0134]データがその中でｅＮＢへ送信される、または送信されないサブフレームからｍ個のサブフレームであるサブフレームにおいて、ｅＮＢは、ｅＮＢが無認可スペクトルのアップリンクを介してＵＥから伝送を受信したかどうかに応じて、ＨＡＲＱのＡＣＫ／ＮＡＣＫなどの肯定応答（ＡＣＫ）または否定応答（ＮＡＣＫ）を送信し得る。ＡＣＫまたはＮＡＣＫは、信頼性を向上させるために、認可スペクトルのダウンリンクを介して送信され得る。
【０１１９】
[0135]少なくとも図９Ａおよび図９Ｂで説明される特徴に関して、ＰＲＢの同じセットは、複数のユーザの各々に無認可スペクトルのアップリンク上で（たとえば、ｅＮＢ１０５によって）割り当てられ得る。ＰＲＢの同じセットが割り当てられた複数のユーザ（たとえば、複数のＵＥ１１５）から送信されるデータは、データがそれらのＰＲＢを占有する場合、逐次干渉除去（ＳＩＣ）を使用して（たとえば、ｅＮＢ１０５によって）復号され得る。ＰＲＢの同じセットが割り当てられた複数のユーザは、直交復調基準信号（ＤＭ−ＲＳ）シーケンスが（たとえば、ｅＮＢ１０５によって）割り当てられ得る。直交ＤＭ−ＲＳシーケンスが割り当てられたユーザの各々は、また、別個のスクランブリングコードが（たとえば、ｅＮＢ１０５によって）割り当てられ得る。無認可スペクトル中のＰＲＢのセットに対するコンポーネントキャリアが利用できるという決定がなされる（たとえば、ＣＣＡが成功した）場合、アップリンク基準信号、制御信号、および／またはデータ信号は、ユーザに割り当てられた直交ＤＭ−ＲＳシーケンスおよびスクランブリングコードのうちの一方または両方を使用して送信され得る。さらなる信号は、アップリンク基準信号、制御信号、および／またはデータ信号と一緒に送信され得、ここで、さらなる信号は、送信フォーマット選択（たとえば、送信フォーマット指示すなわちＴＦＩを通じて）、ハイブリッド自動再送要求識別子（ＨＡＲＱ−ＩＤ）、およびＨＡＲＱ冗長バージョン（ＲＶ）のうちの１つまたは複数を示す。
【０１２０】
[0136]次に図１０Ａを参照すると、ブロック図１０００は、様々な実施形態によるワイヤレス通信における使用のためのデバイス１０１５を示す。いくつかの実施形態では、デバイス１０１５は、図１、図２、図３、図５、および／または図８を参照しながら説明したＵＥ１１５、２１５、３１５、５１５、および８１５のうちの１つの、１つまたは複数の態様の一例であり得る。デバイス１０１５は、プロセッサでもあり得る。デバイス１０１５は、受信機モジュール１００５、ＵＥ  ＬＴＥ／ＬＴＥ−Ａ無認可スペクトルアップリンクキャリアアグリゲーションモジュール１０１０、および／または送信機モジュール１０２０を含み得る。これらの構成要素の各々は互いに通信し得る。
【０１２１】
[0137]デバイス１０１５の構成要素は、ハードウェアにおいて適用可能な機能の一部または全部を実行するように適応された１つまたは複数の特定用途向け集積回路（ＡＳＩＣ）とともに、個々にまたはまとめて実装され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１２２】
[0138]いくつかの実施形態では、受信機モジュール１００５は、認可スペクトル（たとえば、ＬＴＥ／ＬＴＥ−Ａ認可スペクトル）および／または無認可スペクトル（たとえば、ＬＴＥ／ＬＴＥ−Ａ無認可スペクトル）の中で伝送を受信するように動作可能なＲＦ受信機などの、無線周波数（ＲＦ）受信機であり得、または無線周波数（ＲＦ）受信機を含み得る。ＲＦ受信機は、認可スペクトルおよび無認可スペクトルに対して別個の受信機を含み得る。受信機モジュール１００５は、図１、図２Ａ、および／または図２Ｂを参照しながら説明したワイヤレス通信システム１００の１つまたは複数の通信リンクなどの、認可スペクトルと無認可スペクトルとを含むワイヤレス通信システムの１つまたは複数の通信リンクを介して、様々なタイプのデータおよび／または制御信号（すなわち、伝送）を受信するために使用され得る。
【０１２３】
[0139]いくつかの実施形態では、送信機モジュール１０２０は、認可スペクトルおよび／または無認可スペクトルの中で送信するように動作可能なＲＦ送信機などの、ＲＦ送信機であり得、またはＲＦ送信機を含み得る。ＲＦ送信機は、認可スペクトルおよび無認可スペクトルに対して別個の送信機を含み得る。送信機モジュール１０２０は、図１、図２Ａ、および／または図２Ｂを参照しながら説明したワイヤレス通信システム１００の１つまたは複数の通信リンクなどの、ワイヤレス通信システムの１つまたは複数の通信リンクを介して、様々なタイプのデータおよび／または制御信号（すなわち、伝送）を送信するために使用され得る。
【０１２４】
[0140]いくつかの実施形態では、ＵＥ  ＬＴＥ／ＬＴＥ−Ａ無認可スペクトルキャリアアグリゲーションモジュール１０１０は、認可スペクトルを介してアップリンク許可を受信し得、無認可スペクトルの利用可能性を決定するために、アップリンク許可に応答してＣＣＡを実行し得る。ＣＣＡは、アップリンク許可と関連した伝送の前に実行され得る。アップリンク許可は、たとえば、図１、図２Ａ、および／または図２Ｂを参照しながら説明した基地局またはｅＮＢ１０５および２０５のうちの１つから受信され得る。
【０１２５】
[0141]場合によっては、デバイス１０１５がスケジューリング要求、バッファステータス報告、および電力ヘッドルーム報告のうちの１つまたは複数を基地局またはｅＮＢへ送信した後、アップリンク許可は受信され得る。電力ヘッドルーム報告は、認可スペクトルと関連した電力ヘッドルームおよび／または無認可スペクトルと関連した電力ヘッドルームを示し得る。電力ヘッドルーム報告は、各スペクトルに対して、デバイス１０１５の現在の送信電力とデバイス１０１５の最大送信電力との間の差を示し得る。このことにより、ｅＮＢは、認可スペクトルまたは無認可スペクトルの中のチャネル状態（たとえば、チャネル品質）に応じて、送信電力を調整できるようになり得る。場合によっては、電力ヘッドルームは、過去のＣＣＡ履歴に基づいてバイアスをかけられ得る。
【０１２６】
[0142]無認可スペクトルが利用できるという決定を行うと（たとえば、ＣＣＡの実行に成功したことにより）、デバイス１０１５は、無認可スペクトルを使用してデータを送信し得る。（たとえば、デバイス１０１５は、アップリンク許可に従ってデータを送信し得る）。
【０１２７】
[0143]次に図１０Ｂを参照すると、ブロック図１０３０は、様々な実施形態によるワイヤレス通信における使用のためのデバイス１０３５を示す。いくつかの実施形態では、デバイス１０３５は、図１０Ａのデバイス１０１５の一例であり得る。デバイス１０３５は、プロセッサでもあり得る。デバイス１０３５は、受信機モジュール１００５、ＵＥ  ＬＴＥ／ＬＴＥ−Ａ無認可スペクトルアップリンクキャリアアグリゲーションモジュール１０４０、および／または送信機モジュール１０２０を含み得る。これらの構成要素の各々は互いに通信し得る。
【０１２８】
[0144]デバイス１０３５の構成要素は、個別にまたは集合的に、ハードウェア中の適用可能な機能の一部または全部を実行するように構成された１つまたは複数のＡＳＩＣを用いて実現され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１２９】
[0145]受信機モジュール１００５および送信機モジュール１０２０は、図１０Ａに関して説明したものと同様に構成され得る。ＵＥ  ＬＴＥ／ＬＴＥ−Ａ無認可スペクトルアップリンクキャリアアグリゲーションモジュール１０４０は、図１０Ａを参照しながら説明したＵＥ  ＬＴＥ／ＬＴＥ−Ａ無認可スペクトルアップリンクキャリアアグリゲーションモジュール１０１０の一例であり得、アップリンク許可モジュール１０５０、ＣＣＡモジュール１０６０、および／またはデータ送信モジュール１０７０を含み得る。これらの構成要素の各々は互いに通信し得る。
【０１３０】
[0146]いくつかの実施形態では、アップリンク許可モジュール１０５０は、認可スペクトルを介してアップリンク許可を受信し得る。アップリンク許可は、たとえば、図１、図２Ａ、および／または図２Ｂを参照しながら説明した基地局またはｅＮＢ１０５および２０５のうちの１つから受信され得る。
【０１３１】
[0147]いくつかの実施形態では、ＣＣＡモジュール１０６０は、無認可スペクトルの利用可能性を決定するために、アップリンク許可に応答してＣＣＡを実行し得る。ＣＣＡは、アップリンク許可と関連した伝送の前に実行され得る。
【０１３２】
[0148]いくつかの実施形態では、データ送信モジュール１０７０は、認可スペクトルモジュール１０７５および／または無認可スペクトルモジュール１０８０を使用して、データを送信し得る。たとえば、データ送信モジュール１０７０は、以下のシナリオのうちの１つまたは複数に従って、データを送信し得る。
【０１３３】
[0149]第１のシナリオでは、ＣＣＡモジュール１０６０が、無認可スペクトルが利用できるという決定を行った場合（たとえば、成功したＣＣＡに引き続いて）、データ送信モジュール１０７０は、無認可スペクトルモジュール１０８０を使用してデータを送信し得る。しかしながら、ＣＣＡモジュール１０６０が、無認可スペクトルが利用できないという決定を行った場合、データ送信モジュール１０５０は、関連したアップリンク許可を無視し得、いかなるデータも送信し得ない。動作のこの第１のシナリオの一例は、図４を参照しながら説明されている。
【０１３４】
[0150]第２のシナリオでは、ＣＣＡモジュール１０６０が、無認可スペクトルが利用できるという決定を行った場合（たとえば、成功したＣＣＡに引き続いて）、データ送信モジュール１０７０は、無認可スペクトルモジュール１０８０を使用してデータを送信し得る。しかしながら、ＣＣＡモジュール１０６０が、無認可スペクトルが利用できないという決定を行った場合、認可スペクトルモジュール１０７５は、認可スペクトルを使用してデータを送信し得る。いくつかの実施形態では、無認可スペクトルを使用してデータを送信することは、アップリンク許可によって示されるサブフレームの第１のサブセットの中でデータを送信することを含み得、認可スペクトルを使用してデータを送信することは、アップリンク許可によって示されるサブフレームの第２のサブセットの中でデータを送信することを含み得る。サブフレームの第１のサブセットは、サブフレームの第２のサブセットよりも小さくても、それと等しくても、またはそれよりも大きくてもよい。しかしながら、無認可スペクトルが認可スペクトルよりも多くの利用できる帯域幅を有する場合、サブフレームの第１のサブセットをサブフレームの第２のサブセットよりも大きくさせることは有用であり得る。場合によっては、サブフレームの第１のサブセットは、サブフレームの第２のサブセットを含む。サブフレームの第１および第２のサブセットは、同じサブフレームの中で、または異なるサブフレームにおいて開始し得る。後者の場合、また例として、サブフレームの第１のサブセットは第１のサブフレームの中で開始し得、第２のサブフレームが第１のサブフレームから遅延されて、サブフレームの第２のサブセットは第２のサブフレームの中で開始し得る。サブフレームの第１および第２のサブセットが同じサブフレームの中で開始する動作の第２のシナリオの一例は、図６Ａを参照しながら説明されている。サブフレームの第１および第２のサブセットが異なるサブフレームの中で開始する動作の第２のシナリオの一例は、図６Ｂを参照しながら説明されている。
【０１３５】
[0151]第３のシナリオでは、アップリンク許可モジュール１０５０によって受信されるアップリンク許可は、優先シーケンスの中の各アップリンク許可がそれぞれのコンポーネントキャリアに関連付けられる、アップリンク許可の優先シーケンスを含み得る。アップリンク許可の優先シーケンスに応答して、ＣＣＡモジュール１０６０は、無認可スペクトルの利用可能性を決定するために、１）利用可能性を決定するために、アップリンク許可の優先シーケンスに関連付けられているコンポーネントキャリアのうちの少なくとも１つでＣＣＡを実行すること、および２）データを送信する際の使用のために利用できると認められたコンポーネントキャリアのうちの１つを識別することによって、ＣＣＡを実行し得る。場合によっては、優先シーケンスの中のアップリンク許可のサブセットに対応するコンポーネントキャリアが利用できると認められ得、データを送信する際の使用のための１つのコンポーネントキャリアは、利用できると認められたコンポーネントキャリアの中から、サブセットの中で最も優先度の高いアップリンク許可に対応するコンポーネントキャリアを選択することによって識別され得る。
【０１３６】
[0152]第３のシナリオによれば、しかしいくつかの場合のみにおいて、優先シーケンスの中の各アップリンク許可は、それぞれのコンポーネントキャリアに対するＰＲＢのセット、およびアップリンク許可が適用できるサブフレームのサブセットのうちの、１つまたは複数を含み得る。サブフレームのサブセットは、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。場合によっては、優先シーケンスの中のアップリンク許可の中のパラメータは、優先シーケンスの中の別のアップリンク許可の中のそれぞれのパラメータから暗黙のうちに決定され得る。場合によっては、優先シーケンスの相異なるアップリンク許可の中のパラメータ間の暗黙の関係は、ＲＲＣシグナリングを通じて少なくとも部分的に規定され得る。
【０１３７】
[0153]第４のシナリオでは、アップリンク許可モジュール１０５０は、ＰＲＢのセットに対する無認可スペクトル上での最大アップリンクデータレートの指示を、認可スペクトルを介して受信し得る。ＣＣＡモジュール１０６０は、指示に応答してサブフレームの中でＣＣＡを実行し得る。ＣＣＡは、次のサブフレームの中でデータを送信するための、無認可スペクトル中のＰＲＢのセットに対するコンポーネントキャリアの利用可能性を決定するために実行され得る。無認可スペクトルモジュール１０８０は、次いで、無認可スペクトル中のＰＲＢのセットに対するコンポーネントキャリアが利用できるという決定がＣＣＡモジュール１０６０によってなされる場合、無認可スペクトルを使用してデータを送信し得る。さもなければ、無認可スペクトル中のＰＲＢのセットに対するコンポーネントキャリアが利用できないという決定がなされる場合、ＣＣＡモジュール１０６０は、次のサブフレームの中でＣＣＡを実行し得る。動作のこの第４のシナリオの一例は、図９Ａを参照しながら説明されている。
【０１３８】
[0154]第５のシナリオでは、アップリンク許可モジュール１０５０は、ＰＲＢのセットに対する無認可スペクトル上での最大アップリンクデータレートの指示を、認可スペクトルを介して受信し得る。ＣＣＡモジュール１０６０は、指示に応答してサブフレームの中でＣＣＡを実行し得る。ＣＣＡは、次のサブフレームの中でデータを送信するための、無認可スペクトル中のＰＲＢのセットに対するコンポーネントキャリアの利用可能性を決定するために実行され得る。無認可スペクトルモジュール１０８０は、次いで、無認可スペクトル中のＰＲＢのセットに対するコンポーネントキャリアが利用できるという決定がＣＣＡモジュール１０６０によってなされる場合、無認可スペクトルを使用してデータを送信し得る。さもなければ、無認可スペクトル中のＰＲＢのセットに対するコンポーネントキャリアが利用できないという決定がなされる場合、認可スペクトルモジュール１０７５は、認可スペクトルを使用してデータを送信し得る。動作のこの第５のシナリオの一例は、図９Ｂを参照しながら説明されている。
【０１３９】
[0155]第６のシナリオでは、アップリンク許可モジュール１０５０は、アップリンク許可を受信し得、アップリンク許可によって示されるＭＣＳからの変更を識別し得る。（第１〜第５のシナリオのうちのいずれかの一部を形成し得る）このシナリオでは、認可スペクトルモジュール１０７５は、アップリンク許可によって割り振られたＰＲＢ内のリソース要素のセットを介してメッセージを送信するために、認可スペクトルを使用し得る。メッセージは、識別されたＭＣＳの変更を示し得る。アップリンク許可がＭＣＳを示さない場合、デバイス１０３５は、アップリンク許可を受信するとアップリンク伝送に対するＭＣＳを決定し、アップリンク許可によって割り振られたＰＲＢ内のリソース要素のセットを介してメッセージを送信するように構成され得、ここで、メッセージは、アップリンク伝送に対して使用されるべきＭＣＳを示す。
【０１４０】
[0156]場合によっては、デバイス１０３５は、スケジューリング要求、バッファステータス報告、ならびに認可スペクトルと関連した電力ヘッドルームおよび無認可スペクトル（たとえば、ＬＴＥ／ＬＴＥ−Ａ無認可スペクトル）と関連した電力ヘッドルームを示す電力ヘッドルーム報告のうちの、１つまたは複数を送信した後、アップリンク許可を受信し得る。電力ヘッドルーム報告は、各スペクトルに対して、デバイス１０３５の現在の送信電力とデバイス１０３５の最大送信電力との間の差を示し得る。このことにより、ｅＮＢは、認可スペクトルまたは無認可スペクトルの中のチャネル状態（たとえば、チャネル品質）に応じて、送信電力を調整できるようになり得る。場合によっては、電力ヘッドルームは、過去のＣＣＡ履歴に基づいてバイアスをかけられ得る。スケジューリング報告、バッファステータス報告、および電力ヘッドルーム報告は、場合によっては、認可スペクトルモジュール１０７５によって認可スペクトルを使用して送信され得る。
【０１４１】
[0157]次に図１１Ａを参照すると、ブロック図１１００は、様々な実施形態によるワイヤレス通信における使用のためのデバイス１１０５を示す。いくつかの実施形態では、デバイス１１０５は、図１、図２、図３、図５、および／または図８を参照しながら説明した基地局またはｅＮＢ１０５、２０５、３０５、５０５、および８０５のうちの１つの、１つまたは複数の態様の一例であり得る。デバイス１１０５は、プロセッサでもあり得る。デバイス１１０５は、受信機モジュール１１１０、ｅＮＢ  ＬＴＥ／ＬＴＥ−Ａ無認可スペクトルアップリンクキャリアアグリゲーションモジュール１１１５、および／または送信機モジュール１１２０を含み得る。これらの構成要素の各々は互いに通信し得る。
【０１４２】
[0158]デバイス１１０５の構成要素は、個別にまたは集合的に、ハードウェア中の適用可能な機能の一部または全部を実行するように構成された１つまたは複数のＡＳＩＣを用いて実現され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１４３】
[0159]いくつかの実施形態では、受信機モジュール１１１０は、認可スペクトル（たとえば、ＬＴＥ／ＬＴＥ−Ａ認可スペクトル）および／または無認可スペクトル（たとえば、ＬＴＥ／ＬＴＥ−Ａ無認可スペクトル）の中で伝送を受信するように動作可能な受信機などの、ＲＦ受信機であり得、またはＲＦ受信機を含み得る。ＲＦ受信機は、認可スペクトルおよび無認可スペクトルに対して別個の受信機を含み得る。受信機モジュール１１１０は、図１、図２Ａ、および／または図２Ｂを参照しながら説明したワイヤレス通信システム１００の１つまたは複数の通信リンクなどの、認可スペクトルと無認可スペクトルとを含むワイヤレス通信システムの１つまたは複数の通信リンクを介して、様々なタイプのデータおよび／または制御信号（すなわち、伝送）を受信するために使用され得る。
【０１４４】
[0160]いくつかの実施形態では、送信機モジュール１１２０は、認可スペクトルおよび／または無認可スペクトルの中で送信するように動作可能な送信機などの、ＲＦ送信機であり得、またはＲＦ送信機を含み得る。ＲＦ送信機は、認可スペクトルおよび無認可スペクトルに対して別個の送信機を含み得る。送信機モジュール１１２０は、図１、図２Ａ、および／または図２Ｂを参照しながら説明したワイヤレス通信システム１００の１つまたは複数の通信リンクなどの、ワイヤレス通信システムの１つまたは複数の通信リンクを介して、様々なタイプのデータおよび／または制御信号（すなわち、伝送）を送信するために使用され得る。
【０１４５】
[0161]いくつかの実施形態では、ｅＮＢ  ＬＴＥ／ＬＴＥ−Ａ無認可スペクトルアップリンクキャリアアグリゲーションモジュール１１１５は、認可スペクトルを介してスケジューリング情報を（たとえば、図１、図２Ａ、図２Ｂ、図３、図５、図８、図１０Ａ、および／または図１０Ｂを参照しながら説明したＵＥ１１５、２１５、３１５、５１５、および８１５またはデバイス１０１５および１０３５のうちの１つなどのＵＥまたはデバイスから）受信し得、次いで、認可スペクトルを介してアップリンク許可を（たとえば、ＵＥへ）送信し得る。アップリンク許可は、スケジューリング情報に少なくとも部分的に基づき得、アップリンク許可と関連した伝送（たとえば、ＵＥからの伝送）の前に、無認可スペクトルの利用可能性を決定するためのＣＣＡをトリガするように構成され得る。アップリンク許可および／または無認可スペクトルの利用可能性に応じて、データは、デバイス１１０５によって認可スペクトルおよび／または無認可スペクトルを介して受信され得る。
【０１４６】
[0162]場合によっては、スケジューリング情報は、スケジューリング要求、バッファステータス報告、ならびに認可スペクトルと関連した電力ヘッドルームおよび無認可スペクトル（たとえば、ＬＴＥ／ＬＴＥ−Ａ無認可スペクトル）と関連した電力ヘッドルームを示す電力ヘッドルーム報告のうちの、１つまたは複数を含み得る。電力ヘッドルーム報告は、各スペクトルに対して、ＵＥの現在の送信電力とＵＥの最大送信電力との間の差を示し得る。このことにより、ｅＮＢは、認可スペクトルまたは無認可スペクトルの中のチャネル状態（たとえば、チャネル品質）に応じて、送信電力を調整できるようになり得る。場合によっては、電力ヘッドルームは、過去のＣＣＡ履歴に基づいてバイアスをかけられ得る。
【０１４７】
[0163]次に図１１Ｂを参照すると、ブロック図１１３０は、様々な実施形態によるワイヤレス通信における使用のためのデバイス１１３５を示す。いくつかの実施形態では、デバイス１１３５は、図１１Ａのデバイス１１０５の一例であり得る。デバイス１１３５は、プロセッサでもあり得る。デバイス１１３５は、受信機モジュール１１１０、ｅＮＢ  ＬＴＥ／ＬＴＥ−Ａ無認可スペクトルアップリンクキャリアアグリゲーションモジュール１１４０、および／または送信機モジュール１１２０を含み得る。これらの構成要素の各々は互いに通信し得る。
【０１４８】
[0164]デバイス１１３５の構成要素は、個別にまたは集合的に、ハードウェア中の適用可能な機能の一部または全部を実行するように構成された１つまたは複数のＡＳＩＣを用いて実現され得る。代替として、それらの機能は、１つまたは複数の他の処理ユニット（またはコア）によって、１つまたは複数の集積回路上で実施される場合がある。他の実施形態では、当技術分野で知られている任意の方法でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【０１４９】
[0165]受信機モジュール１１１０および送信機モジュール１１２０は、図１１Ａに関して説明したものと同様に構成され得る。ｅＮＢ  ＬＴＥ／ＬＴＥ−Ａ無認可スペクトルアップリンクキャリアアグリゲーションモジュール１１４０は、図１１Ａを参照しながら説明したｅＮＢ  ＬＴＥ／ＬＴＥ−Ａ無認可スペクトルアップリンクキャリアアグリゲーションモジュール１１１５の一例であり得、スケジューリング情報モジュール１１５０、アップリンク許可モジュール１１６０、データ受信モジュール１１７０、および／またはリソース管理モジュール１１９０を含み得る。これらの構成要素の各々は互いに通信し得る。
【０１５０】
[0166]いくつかの実施形態では、スケジューリング情報モジュール１１５０は、認可スペクトルを介してスケジューリング情報を（たとえば、図１、図２Ａ、図２Ｂ、図３、図５、図８、図１０Ａ、および／または図１０Ｂを参照しながら説明したＵＥ１１５、２１５、３１５、５１５、および８１５またはデバイス１０１５および１０３５のうちの１つなどの、ＵＥまたはデバイスから）受信し得る。場合によっては、スケジューリング情報は、スケジューリング要求、バッファステータス報告、ならびに認可スペクトルと関連した電力ヘッドルームおよび無認可スペクトル（たとえば、ＬＴＥ／ＬＴＥ−Ａ無認可スペクトル）と関連した電力ヘッドルームを示す電力ヘッドルーム報告のうちの、１つまたは複数を含み得る。電力ヘッドルーム報告は、各スペクトルに対して、ＵＥの現在の送信電力とＵＥの最大送信電力との間の差を示し得る。このことにより、ｅＮＢは、認可スペクトルまたは無認可スペクトルの中のチャネル状態（たとえば、チャネル品質）に応じて、送信電力を調整できるようになり得る。場合によっては、電力ヘッドルームは、過去のＣＣＡ履歴に基づいてバイアスをかけられ得る。
【０１５１】
[0167]いくつかの実施形態では、アップリンク許可モジュール１１６０は、認可スペクトルを介してアップリンク許可を（たとえば、ＵＥへ）送信し得る。アップリンク許可は、スケジューリング情報に少なくとも部分的に基づき得、アップリンク許可と関連した伝送（たとえば、ＵＥからの伝送）の前に、無認可スペクトルの利用可能性を決定するためのＣＣＡをトリガするように構成され得る。
【０１５２】
[0168]いくつかの実施形態では、データ受信モジュール１１７０は、認可スペクトルモジュール１１７５および／または無認可スペクトルモジュール１１８０を使用してデータを受信し得る。たとえば、無認可スペクトルモジュール１１８０は、無認可スペクトルが利用できるという決定が（たとえば、ＵＥによって）なされる場合、無認可スペクトルを介してデータを受信し得、認可スペクトルモジュール１１７５は、無認可スペクトルが利用できないという決定が（たとえば、ＵＥによって）なされる場合、認可スペクトルを介してデータを受信し得る。
【０１５３】
[0169]場合によっては、無認可スペクトルを介してデータを受信することは、アップリンク許可によって示されるサブフレームの第１のサブセットを介して送信されたデータを受信することを含み得、認可スペクトルを介してデータを受信することは、アップリンク許可によって示されるサブフレームの第２のサブセットを介して送信されたデータを受信することを含み得る。サブフレームの第１のサブセットは、サブフレームの第２のサブセットよりも小さくても、それと等しくても、またはそれよりも大きくてもよい。しかしながら、無認可スペクトルが認可スペクトルよりも多くの利用できる帯域幅を有する場合、サブフレームの第１のサブセットをサブフレームの第２のサブセットよりも大きくさせることは有用であり得る。場合によっては、サブフレームの第１のサブセットは、サブフレームの第２のサブセットを含む。サブフレームの第１および第２のサブセットは、同じサブフレームの中で、または異なるサブフレームにおいて開始し得る。後者の場合、また例として、サブフレームの第１のサブセットは第１のサブフレームの中で開始し得、第２のサブフレームが第１のサブフレームからオフセットまたは遅延されて、サブフレームの第２のサブセットは第２のサブフレームの中で開始し得る。
【０１５４】
[0170]いくつかの実施形態では、サブフレームの第１のサブセットを介して送信されたデータがデバイス１１３５によって受信される場合、リソース管理モジュール１１９０は、サブフレームの第２のサブセットを介したデータの伝送と関連した認可スペクトルの中のリソースを解放し得る。
【０１５５】
[0171]図１２を参照すると、ＬＴＥ／ＬＴＥ−Ａ無認可スペクトルの中での動作のために構成されるＵＥ１２１５を示す図１２００が示される。ＵＥ１２１５は、様々な他の構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどに含まれるか、またはその一部であり得る。ＵＥ１２１５は、モバイル動作を容易にするために、小型バッテリーなどの内蔵電源（図示せず）を有し得る。ＵＥ１２１５は、図１、図２Ａ、図２Ｂ、図３、図５、図８、図１０Ａ、および／または図１０Ｂを参照しながら説明したＵＥまたはデバイス１１５、２１５、３１５、５１５、８１５、１０１５、および１０３５のうちの１つまたは複数の一例であり得る。ＵＥ１２１５は、図１〜図１０Ｂに関して上述した特徴および機能のうちの少なくともいくつかを実施するように構成され得る。
【０１５６】
[0172]ＵＥ１２１５は、プロセッサモジュール１２０５と、メモリモジュール１２１０と、少なくとも１つのトランシーバモジュール（トランシーバモジュール１２７０によって表される）と、少なくとも１つのアンテナ（アンテナ１２８０によって表される）と、ＵＥ  ＬＴＥ／ＬＴＥ−Ａモジュール１２４０とを含み得る。これらのコンポーネントの各々は、１つまたは複数のバス１２３５を介して、直接的または間接的に互いに通信し得る。
【０１５７】
[0173]メモリモジュール１２１０は、ランダムアクセスメモリ（ＲＡＭ）と読取り専用メモリ（ＲＯＭ）とを含み得る。メモリモジュール１２１０は、実行されるとき、プロセッサモジュール１２０５に、キャリアアグリゲーション動作モードで認可スペクトルおよび／または無認可スペクトルを使用するアップリンク伝送に関する様々な態様を含む、認可スペクトルおよび／または無認可スペクトルの中でＬＴＥ／ＬＴＥ−Ａベースの通信を使用するために、本明細書で説明される様々な機能を実行させるように構成される命令を含むコンピュータ可読でコンピュータ実行可能なソフトウェア（ＳＷ）コード１２２０を記憶し得る。代替的に、ソフトウェアコード１２２０は、プロセッサモジュール１２０５によって直接的に実行可能でない場合があるが、（たとえば、コンパイルされ実行されると）ＵＥ１２１５に本明細書で説明する機能のうちのいくつかを実行させるように構成され得る。
【０１５８】
[0174]プロセッサモジュール１２０５は、インテリジェントハードウェアデバイス、たとえば、中央処理ユニット（ＣＰＵ）、マイクロコントローラ、ＡＳＩＣなどを含み得る。プロセッサモジュール１２０５は、トランシーバモジュール１２７０を介して受信された情報、および／またはアンテナ１２８０を介した送信のためにトランシーバモジュール１２７０へ送られるべき情報を処理し得る。プロセッサモジュール１２０５は、単独で、またはＵＥ  ＬＴＥ／ＬＴＥ−Ａモジュール１２４０とともに、キャリアアグリゲーション動作モードで認可スペクトルおよび／または無認可スペクトルを使用するアップリンク伝送に関する様々な態様を含む、認可スペクトルおよび／または無認可スペクトルの中でＬＴＥ／ＬＴＥ−Ａベースの通信を使用することの様々な態様を処理し得る。
【０１５９】
[0175]トランシーバモジュール１２７０は、基地局またはｅＮＢと双方向に通信するように構成され得る。トランシーバモジュール１２７０は、１つまたは複数の送信機モジュールおよび１つまたは複数の別個の受信機モジュールとして実装され得る。トランシーバモジュール１２７０は、少なくとも１つの認可スペクトル（たとえば、ＬＴＥ／ＬＴＥ−Ａスペクトル）の中の、および少なくとも１つの無認可スペクトル（たとえば、ＬＴＥ／ＬＴＥ−Ａ無認可スペクトル）の中の通信をサポートし得る。トランシーバモジュール１２７０は、パケットを変調するとともに変調されたパケットを送信のためにアンテナ１２８０に供給し、アンテナ１２８０から受信されたパケットを復調するように構成されるモデムを含み得る。ＵＥ１２１５は、単一のアンテナを含む場合があるが、ＵＥ１２１５が複数のアンテナ１２８０を含み得る実施形態が存在する場合がある。
【０１６０】
[0176]図１２のアーキテクチャによれば、ＵＥ１２１５はさらに、通信管理モジュール１２３０を含み得る。通信管理モジュール１２３０は、様々な基地局との通信を管理し得る。通信管理モジュール１２３０は、１つまたは複数のバス１２３５を介してＵＥ１２１５の他の構成要素の一部または全部と通信する、ＵＥ１２１５の構成要素であり得る。代替として、通信管理モジュール１２３０の機能性は、トランシーバモジュール１２７０の構成要素として、コンピュータプログラム製品として、および／またはプロセッサモジュール１２０５の１つもしくは複数のコントローラ要素として実装され得る。
【０１６１】
[0177]ＵＥ  ＬＴＥ／ＬＴＥ−Ａモジュール１２４０は、認可スペクトルおよび／または無認可スペクトルの中でＬＴＥ／ＬＴＥ−Ａベースの通信を使用することに関して図１〜図１０Ｂで説明した機能または態様の一部または全部を、実行および／または制御するように構成され得る。たとえば、ＵＥ  ＬＴＥ／ＬＴＥ−Ａモジュール１２４０は、補助ダウンリンクモード、キャリアアグリゲーションモード、および／またはスタンドアロンモードをサポートするように構成され得る。ＵＥ  ＬＴＥ／ＬＴＥ−Ａモジュール１２４０は、ＬＴＥ／ＬＴＥ−Ａ認可スペクトル通信を処理するように構成されるＬＴＥ／ＬＴＥ−Ａ認可モジュール１２４５と、ＬＴＥ／ＬＴＥ−Ａ無認可スペクトル通信を処理するように構成されるＬＴＥ／ＬＴＥ−Ａ無認可モジュール１２５０と、無認可スペクトルの中のＬＴＥ／ＬＴＥ−Ａ無認可スペクトル通信以外の通信を処理するように構成される無認可モジュール１２５５とを含み得る。ＵＥ  ＬＴＥ／ＬＴＥ−Ａモジュール１２４０はまた、図３、図４、図５、図６Ａ、図６Ｂ、図８、図９Ａ、図９Ｂ、図１０Ａ、および／または図１０Ｂを参照しながら説明したＵＥ機能のうちのいずれかを実行するように構成される、ＵＥ  ＬＴＥ／ＬＴＥ−Ａ無認可スペクトルアップリンクキャリアアグリゲーションモジュール１２６０を含み得る。ＵＥ  ＬＴＥ／ＬＴＥ−Ａ無認可スペクトルアップリンクキャリアアグリゲーションモジュール１２６０は、図１０Ａおよび図１０Ｂで説明した同様のモジュールの一例であり得る。ＵＥ  ＬＴＥ／ＬＴＥ−Ａモジュール１２４０またはそれの部分は、プロセッサを含み得る。その上、ＵＥ  ＬＴＥ／ＬＴＥ−Ａモジュール１２４０の機能性の一部または全部は、プロセッサモジュール１２０５によって、および／またはプロセッサモジュール１２０５とともに実行され得る。
【０１６２】
[0178]図１３を参照すると、ＬＴＥ／ＬＴＥ−Ａ無認可スペクトルの中での動作のために構成される基地局またはｅＮＢ１３０５を示す図１３００が示される。いくつかの実施形態では、基地局１３０５は、図１、図２Ａ、図２Ｂ、図３、図５、図８、図１１Ａ、および／または図１１Ｂを参照しながら説明したｅＮＢまたはデバイス１０５、２０５、３０５、５０５、８０５、１１０５、および１１３５のうちの１つまたは複数の一例であり得る。基地局１３０５は、図１〜図９、図１１Ａ、および図１１Ｂに関して上述した特徴および機能のうちの少なくともいくつかを実施するように構成され得る。基地局１３０５は、プロセッサモジュール１３３０と、メモリモジュール１３１０と、少なくとも１つのトランシーバモジュール（トランシーバモジュール１３５５によって表される）と、少なくとも１つのアンテナ（アンテナ１３６０によって表される）と、ｅＮＢ  ＬＴＥ／ＬＴＥ−Ａモジュール１３７０とを含み得る。基地局１３０５はまた、基地局通信モジュール１３２５およびネットワーク通信モジュール１３４０のうちの一方または両方を含み得る。これらのコンポーネントの各々は、１つまたは複数のバス１３３５を介して、直接的または間接的に互いに通信し得る。
【０１６３】
[0179]メモリモジュール１３１０は、ＲＡＭとＲＯＭとを含み得る。メモリモジュール１３１０はまた、実行されるとき、プロセッサモジュール１３３０に、キャリアアグリゲーション動作モードで認可スペクトルおよび／または無認可スペクトルを使用するアップリンク伝送に関する様々な態様を含む、認可スペクトルおよび／または無認可スペクトルの中でＬＴＥベースの通信を使用するために、本明細書で説明される様々な機能を実行させるように構成される命令を含むコンピュータ可読でコンピュータ実行可能なソフトウェア（ＳＷ）コード１３２０を記憶し得る。代替的に、ソフトウェアコード１３２０は、プロセッサモジュール１３３０によって直接的に実行可能でない場合があるが、たとえば、コンパイルされ実行されると、基地局またはｅＮＢ１３０５に本明細書で説明する機能のうちのいくつかを実行させるように構成され得る。
【０１６４】
[0180]プロセッサモジュール１３３０は、インテリジェントハードウェアデバイス、たとえば、ＣＰＵ、マイクロコントローラ、ＡＳＩＣなどを含み得る。プロセッサモジュール１３３０は、トランシーバモジュール１３５５、基地局通信モジュール１３２５、および／またはネットワーク通信モジュール１３４０を介して受信された情報を処理し得る。プロセッサモジュール１３３０はまた、アンテナ１３６０を通じた送信のためにトランシーバモジュール１３５５へ送られるべき情報、１つまたは複数の他の基地局またはｅＮＢ１３０５−ａおよび１３０５−ｂへの送信のために基地局通信モジュール１３２５へ送られるべき情報、および／または図１のコアネットワーク１３０の一例であり得るコアネットワーク１３４５への送信のためにネットワーク通信モジュール１３４０へ送られるべき情報を、処理し得る。プロセッサモジュール１３３０は、単独で、またはｅＮＢ  ＬＴＥ／ＬＴＥ−Ａモジュール１３７０とともに、キャリアアグリゲーション動作モードで認可スペクトルおよび／または無認可スペクトルを使用するアップリンク伝送に関する様々な態様を含む、認可スペクトルおよび／または無認可スペクトルの中でＬＴＥ／ＬＴＥ−Ａベースの通信を使用することの様々な態様を処理し得る。
【０１６５】
[0181]トランシーバモジュール１３５５は、パケットを変調するとともに変調されたパケットを送信のためにアンテナ１３６０に供給し、アンテナ１３６０から受信されたパケットを復調するように構成されるモデムを含み得る。トランシーバモジュール１３５５は、１つまたは複数の送信機モジュールおよび１つまたは複数の別個の受信機モジュールとして実装され得る。トランシーバモジュール１３５５は、少なくとも１つの認可スペクトル（たとえば、ＬＴＥ／ＬＴＥ−Ａ認可スペクトル）の中の、および少なくとも１つの無認可スペクトル（たとえば、ＬＴＥ／ＬＴＥ−Ａ無認可スペクトル）の中の通信をサポートし得る。トランシーバモジュール１３５５は、図１、図２Ａ、図２Ｂ、図３、図５、図８、図１０Ａ、図１０Ｂ、および／または図１２を参照しながら説明したＵＥまたはデバイス１１５、２１５、３１５、５１５、８１５、１０１５、１０３５、および１２１５のうちの１つまたは複数と、アンテナ１３６０を介して、双方向に通信するように構成され得る。基地局１３０５は、通常、複数のアンテナ１３６０（たとえば、アンテナアレイ）を含み得る。基地局１３０５は、ネットワーク通信モジュール１３４０を介してコアネットワーク１３４５と通信し得る。基地局１３０５は、基地局通信モジュール１３２５を使用して、ｅＮＢ１３０５−ａおよび１３０５−ｂなどの他の基地局と通信し得る。
【０１６６】
[0182]図１３のアーキテクチャによれば、基地局１３０５はさらに、通信管理モジュール１３５０を含み得る。通信管理モジュール１３５０は、他の基地局および／またはデバイスとの通信を管理し得る。通信管理モジュール１３５０は、１つまたは複数のバス１３３５を介して、基地局１３０５の他の構成要素の一部または全部と通信し得る。代替として、通信管理モジュール１３５０の機能性は、トランシーバモジュール１３５５の構成要素として、コンピュータプログラム製品として、および／またはプロセッサモジュール１３３０の１つもしくは複数のコントローラ要素として実装され得る。
【０１６７】
[0183]ｅＮＢ  ＬＴＥ／ＬＴＥ−Ａモジュール１３７０は、認可スペクトルおよび／または無認可スペクトルの中でＬＴＥ／ＬＴＥ−Ａベースの通信を使用することに関して図１〜図９Ｂ、図１１Ａ、および図１１Ｂを参照しながら説明した機能または態様の一部または全部を、実行および／または制御するように構成され得る。たとえば、ｅＮＢ  ＬＴＥ／ＬＴＥ−Ａモジュール１３７０は、補助ダウンリンクモード、キャリアアグリゲーションモード、および／またはスタンドアロンモードをサポートするように構成され得る。ｅＮＢ  ＬＴＥ／ＬＴＥ−Ａモジュール１３７０は、ＬＴＥ／ＬＴＥ−Ａ認可スペクトル通信を処理するように構成されるＬＴＥ／ＬＴＥ−Ａ認可モジュール１３７５と、ＬＴＥ／ＬＴＥ−Ａ無認可スペクトル通信を処理するように構成されるＬＴＥ／ＬＴＥ−Ａ無認可モジュール１３８０と、無認可スペクトルの中のＬＴＥ／ＬＴＥ−Ａ通信以外の通信を処理するように構成される無認可モジュール１３８５とを含み得る。ｅＮＢ  ＬＴＥ／ＬＴＥ−Ａモジュール１３７０はまた、たとえば、図３、図４、図５、図６Ａ、図６Ｂ、図８、図９Ａ、図９Ｂ、図１１Ａ、および／または図１１Ｂを参照しながら説明したｅＮＢ機能のうちのいずれかを実行するように構成される、ｅＮＢ  ＬＴＥ／ＬＴＥ−Ａ無認可スペクトルアップリンクキャリアアグリゲーションモジュール１３９０を含み得る。ｅＮＢ  ＬＴＥ／ＬＴＥ−Ａ無認可スペクトルアップリンクキャリアアグリゲーションモジュール１３９０は、図１１Ａおよび図１１Ｂで説明した同様のモジュールの一例であり得る。ｅＮＢ  ＬＴＥ／ＬＴＥ−Ａモジュール１３７０またはそれの部分は、プロセッサを含み得る。その上、ｅＮＢ  ＬＴＥ／ＬＴＥ−Ａモジュール１３７０の機能性の一部または全部は、プロセッサモジュール１３３０によって、および／またはプロセッサモジュール１３３０とともに実行され得る。
【０１６８】
[0184]次に図１４を参照すると、基地局１４０５（たとえば、ｅＮＢ）とＵＥ１４１５とを含む多入力多出力（ＭＩＭＯ）通信システム１４００のブロック図が示される。基地局１４０５およびＵＥ１４１５は、認可スペクトルおよび／または無認可スペクトル（たとえば、ＬＴＥ／ＬＴＥ−Ａ認可スペクトルおよび／またはＬＴＥ／ＬＴＥ−Ａ無認可スペクトル）を使用するＬＴＥ／ＬＴＥ−Ａベースの通信をサポートし得る。その上、基地局１４０５およびＵＥ１４１５は、キャリアアグリゲーション動作モードに関するアップリンク伝送のための異なる方式をサポートし得る。基地局１４０５は、図１、図２Ａ、図２Ｂ、図３、図５、図８、図１１Ａ、図１１Ｂ、および／または図１３を参照しながら説明した基地局またはデバイス１０５、２０５、３０５、５０５、８０５、１１０５、１１３５、および１３０５のうちの１つまたは複数の一例であり得、ＵＥ１４１５は、図１、図２Ａ、図２Ｂ、図３、図５、図８、図１０Ａ、図１０Ｂ、および／または図１２を参照しながら説明したＵＥまたはデバイス１１５、２１５、３１５、５１５、８１５、１０１５、１０３５、および１２１５のうちの１つまたは複数の一例であり得る。システム１４００は、図１、図２Ａ、および／または図２Ｂを参照しながら説明したワイヤレス通信システム１００の態様を示し得る。
【０１６９】
[0185]基地局１４０５は、アンテナ１４３４−ａ〜１４３４−ｘを備え得、ＵＥ１４１５は、アンテナ１４５２−ａ〜１４５２−ｎを備え得る。システム１４００において、基地局１４０５は、複数の通信リンクを介して同時にデータを送ることが可能であり得る。各通信リンクは「レイヤ」と呼ばれる場合があり、通信リンクの「ランク」は、通信に使用されるレイヤの数を示すことができる。たとえば、基地局１４０５が２つの「レイヤ」を送信する２×２ＭＩＭＯシステムでは、基地局１４０５とＵＥ１４１５との間の通信リンクのランクは２であり得る。
【０１７０】
[0186]基地局１４０５において、送信（Ｔｘ）プロセッサ１４２０は、データソースからデータを受け取り得る。送信プロセッサ１４２０は、データを処理し得る。送信プロセッサ１４２０はまた、基準シンボルおよび／またはセル固有基準信号を生成し得る。送信（Ｔｘ）ＭＩＭＯプロセッサ１４３０は、適用可能な場合、データシンボル、制御シンボル、および／または基準シンボルに対して空間処理（たとえば、プリコーディング）を実施し得、出力シンボルストリームを送信変調器１４３２−ａ〜１４３２−ｘに供給し得る。各変調器１４３２は、出力サンプルストリームを取得するために、（たとえば、ＯＦＤＭなどのために）それぞれの出力シンボルストリームを処理し得る。各変調器１４３２は、ダウンリンク（ＤＬ）信号を取得するために、出力サンプルストリームをさらに処理（たとえば、アナログ変換、増幅、フィルタ、およびアップコンバート）し得る。１つの例では、変調器１４３２−ａ〜１４３２−ｘからのＤＬ信号は、それぞれアンテナ１４３４−ａ〜１４３４−ｘを介して送信され得る。
【０１７１】
[0187]ＵＥ１４１５において、アンテナ１４５２−ａ〜１４５２−ｎは、基地局１４０５からＤＬ信号を受信し得、受信された信号をそれぞれ復調器１４５４−ａ〜１４５４−ｎに供給し得る。各復調器１４５４は、入力サンプルを取得するために、それぞれの受信された信号を調整（たとえば、フィルタ、増幅、ダウンコンバート、およびデジタル化）し得る。各復調器１４５４は、受信シンボルを取得するために、（たとえば、ＯＦＤＭなどのために）入力サンプルをさらに処理し得る。ＭＩＭＯ検出器１４５６は、すべての復調器１４５４−ａ〜１４５４−ｎから受信シンボルを取得し得、適用可能な場合、受信シンボルに対してＭＩＭＯ検出を実行し得、検出されたシンボルを供給し得る。受信（Ｒｘ）プロセッサ１４５８は、検出されたシンボルを処理（たとえば、復調、デインターリーブ、および復号）し得、ＵＥ５１５のための復号データをデータ出力に供給し、復号された制御情報をプロセッサ１４８０、またはメモリ１４８２に提供し得る。プロセッサ１４８０は、認可スペクトルおよび／または無認可スペクトルの中でＬＴＥ／ＬＴＥ−Ａベースの通信を使用することに関する様々な機能を実行し得るモジュールまたは機能１４８１を含み得る。たとえば、モジュールまたは機能１４８１は、図１〜図１０Ｂおよび図１２を参照しながら上記で説明した機能の一部または全部を実行し得る。
【０１７２】
[0188]アップリンク（ＵＬ）では、ＵＥ１４１５において、送信（Ｔｘ）プロセッサ１４６４は、データソースからのデータを受け取り、処理し得る。送信プロセッサ１４６４はまた、基準信号用の基準シンボルを生成し得る。送信プロセッサ１４６４からのシンボルは、適用可能な場合、送信（Ｔｘ）ＭＩＭＯプロセッサ１４６６によってプリコードされ得、（たとえば、ＳＣ−ＦＤＭＡなどのために）復調器１４５４−ａ〜１４５４−ｎによってさらに処理され得、基地局１４０５から受信した送信パラメータに従って基地局１４０５へ送信され得る。基地局１４０５において、ＵＥ１４１５からのＵＬ信号は、アンテナ１４３４によって受信され得、復調器１４３２によって処理され得、適用可能な場合、ＭＩＭＯ検出器１４３６によって検出され得、受信プロセッサによってさらに処理され得る。受信（Ｒｘ）プロセッサ１４３８は、復号データをデータ出力およびプロセッサ１４４０に供給し得る。プロセッサ１４４０は、認可スペクトルおよび／または無認可スペクトルの中でＬＴＥ／ＬＴＥ−Ａベースの通信を使用することに関する様々な態様を実行し得るモジュールまたは機能１４４１を含み得る。たとえば、モジュールまたは機能１４４１は、図１〜図９Ｂ、図１１Ａ、図１１Ｂ、および図１３を参照しながら上記で説明した機能の一部または全部を実行し得る。
【０１７３】
[0189]基地局１４０５の構成要素は、個別にまたは集合的に、ハードウェア中の適用可能な機能の一部または全部を実行するように構成された１つまたは複数のＡＳＩＣを用いて実現され得る。言及したモジュールの各々は、システム１４００の動作に関する１つまたは複数の機能を実行するための手段であり得る。同様に、ＵＥ１４１５の構成要素は、個別にまたは集合的に、ハードウェア中の適用可能な機能の一部または全部を実行するように構成された１つまたは複数のＡＳＩＣを用いて実現され得る。言及した構成要素の各々は、システム１４００の動作に関する１つまたは複数の機能を実行するための手段であり得る。
【０１７４】
[0190]図１５は、ワイヤレス通信のための方法１５００の一例を示すフローチャートである。明快のために、方法１５００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ＵＥのうちの１つは、以下で説明する機能を実行するためにＵＥの機能要素を制御するためのコードの１つまたは複数のセットを実行し得る。
【０１７５】
[0191]ブロック１５０５において、アップリンク許可は、認可スペクトルを介して受信され得る。いくつかの実施形態では、アップリンク許可は、ＵＥ（たとえば、ＵＥ１１５）によってｅＮＢ（たとえば、ｅＮＢ１０５）から受信され得る。いくつかの実施形態では、認可スペクトルは、ＬＴＥ／ＬＴＥ−Ａ認可スペクトルを含み得る。ブロック１５０５における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したアップリンク許可モジュール１０５０、または図１４を参照しながら説明したモジュールもしくは機能１４８１によって、実行され得る。
【０１７６】
[0192]ブロック１５１０において、ＣＣＡは、無認可スペクトルの利用可能性を決定するために、アップリンク許可に応答して実行され得る。ＣＣＡは、アップリンク許可と関連した伝送の前に（たとえば、ＵＥのＵＬ伝送の前に）実行され得る。いくつかの実施形態では、無認可スペクトルは、ＬＴＥ／ＬＴＥ−Ａ無認可スペクトルを含み得る。ブロック１５１０における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、および１２６０、または図１０Ｂを参照しながら説明したＣＣＡモジュール１０６０、または図１４を参照しながら説明したモジュールもしくは機能１４８１によって、実行され得る。
【０１７７】
[0193]方法１５００のいくつかの実施形態では、ＰＲＢのセットに対する無認可スペクトル上での最大アップリンクデータレートの指示は、認可スペクトルを介して受信される。方法は、指示に応答してサブフレームの中でＣＣＡを実行することを含み、ここで、ＣＣＡは、次のサブフレームの中でデータを送信するための、無認可スペクトル中のＰＲＢのセットに対するコンポーネントキャリアの利用可能性を決定するために実行される。ＰＲＢの同じセットは、複数のユーザの各々に無認可スペクトルのアップリンク上で割り当てられ得る。ＰＲＢの同じセットが割り当てられた複数のユーザ（たとえば、複数のＵＥ１１５）から送信されるデータは、データがそれらのＰＲＢを占有する場合、逐次干渉除去（ＳＩＣ）を使用して（たとえば、ｅＮＢ１０５によって）復号され得る。ＰＲＢの同じセットが割り当てられた複数のユーザは、直交復調基準信号（ＤＭ−ＲＳ）シーケンスが割り当てられ得る。ＰＲＢの同じセットが割り当てられたユーザの各々は、また、別個のスクランブリングコードが割り当てられ得る。無認可スペクトル中のＰＲＢのセットに対するコンポーネントキャリアが利用できるという決定がなされる（たとえば、ＣＣＡが成功した）場合、方法１５００は、アップリンク基準信号、制御信号および／またはデータ信号を、ユーザに割り当てられた直交ＤＭ−ＲＳシーケンスおよび別個のスクランブリングコードのうちの一方または両方を使用して送信することを含み得る。アップリンク伝送はまた、アップリンクデータに対する送信フォーマットの選択、ＨＡＲＱ−ＩＤ、およびＨＡＲＱ  ＲＶに基づいて、送信フォーマット指示（ＴＦＩ）のうちの１つまたは複数を示すさらなる信号を含み得る。
【０１７８】
[0194]したがって、方法１５００はワイヤレス通信を提供し得る。方法１５００は一実装形態にすぎず、方法１５００の動作は、他の実装形態が可能であるように再構成あるいは修正されてよいことに留意されたい。
【０１７９】
[0195]図１６は、ワイヤレス通信のための方法１６００の別の例を示すフローチャートである。明快のために、方法１６００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ＵＥのうちの１つは、以下で説明する機能を実行するためにＵＥの機能要素を制御するためのコードの１つまたは複数のセットを実行し得る。
【０１８０】
[0196]ブロック１６０５において、アップリンク許可は、認可スペクトルを介して受信され得る。いくつかの実施形態では、アップリンク許可は、ＵＥ（たとえば、ＵＥ１１５）によってｅＮＢ（たとえば、ｅＮＢ１０５）から受信され得る。いくつかの実施形態では、認可スペクトルは、ＬＴＥ／ＬＴＥ−Ａ認可スペクトルを含み得る。ブロック１６０５における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したアップリンク許可モジュール１０５０、または図１４を参照しながら説明したモジュールもしくは機能１４８１によって、実行され得る。
【０１８１】
[0197]ブロック１６１０において、ＣＣＡは、無認可スペクトルの利用可能性を決定するために、アップリンク許可に応答して実行され得る。ＣＣＡは、アップリンク許可と関連した伝送の前に（たとえば、ＵＥのＵＬ伝送の前に）実行され得る。いくつかの実施形態では、無認可スペクトルは、ＬＴＥ／ＬＴＥ−Ａ無認可スペクトルを含み得る。ブロック１６１０における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、および１２６０、または図１０Ｂを参照しながら説明したＣＣＡモジュール１０６０、または図１４を参照しながら説明したモジュールもしくは機能１４８１によって、実行され得る。
【０１８２】
[0198]ブロック１６１５において、無認可スペクトルが利用できるという決定がなされる場合、データは、無認可スペクトルを使用して送信され得る（たとえば、データは、ＵＥからｅＮＢへ送信され得る）。
【０１８３】
[0199]ブロック１６２０において、無認可スペクトルが利用できないという決定がなされる場合、アップリンク許可は無視され得る。
【０１８４】
[0200]ブロック１６１５および／または１６２０における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０。１０４０、および１２６０、または図１０Ｂを参照しながら説明したデータ送信モジュール１０７０、または図１４を参照しながら説明したモジュールもしくは機能１４８１によって、実行され得る。
【０１８５】
[0201]方法１６００の実装形態の一例は、図４を参照しながら説明されている。
【０１８６】
[0202]したがって、方法１６００はワイヤレス通信を提供し得る。方法１６００は一実装形態にすぎず、方法１６００の動作は、他の実装形態が可能であるように再構成あるいは修正されてよいことに留意されたい。
【０１８７】
[0203]図１７は、ワイヤレス通信のための方法１７００のさらに別の例を示すフローチャートである。明快のために、方法１７００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ＵＥのうちの１つは、以下で説明する機能を実行するためにＵＥの機能要素を制御するためのコードの１つまたは複数のセットを実行し得る。
【０１８８】
[0204]ブロック１７０５において、アップリンク許可は、認可スペクトルを介して受信され得る。いくつかの実施形態では、アップリンク許可は、ＵＥ（たとえば、ＵＥ１１５）によってｅＮＢ（たとえば、ｅＮＢ１０５）から受信され得る。いくつかの実施形態では、認可スペクトルは、ＬＴＥ／ＬＴＥ−Ａ認可スペクトルを含み得る。ブロック１７０５における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したアップリンク許可モジュール１０５０、または図１４を参照しながら説明したモジュールもしくは機能１４８１によって、実行され得る。
【０１８９】
[0205]ブロック１７１０において、ＣＣＡは、無認可スペクトルの利用可能性を決定するために、アップリンク許可に応答して実行され得る。ＣＣＡは、アップリンク許可と関連した伝送の前に（たとえば、ＵＥ１１５のＵＬ伝送の前に）実行され得る。いくつかの実施形態では、無認可スペクトルは、ＬＴＥ／ＬＴＥ−Ａ無認可スペクトルを含み得る。ブロック１７１０における動作は、場合によっては、図１０Ａ、図１０Ｂ、もしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したＣＣＡモジュール１０６０、または図１４を参照しながら説明したモジュールもしくは機能１４８１によって、実行され得る。
【０１９０】
[0206]ブロック１７１５において、無認可スペクトルが利用できるという決定がなされる場合、データは、無認可スペクトルを使用して送信され得る（たとえば、データは、ＵＥからｅＮＢへ送信され得る）。
【０１９１】
[0207]ブロック１７２０において、無認可スペクトルが利用できないという決定がなされる場合、データは、認可スペクトルを使用して送信され得る。
【０１９２】
[0208]いくつかの実施形態では、無認可スペクトルを使用してデータを送信することは、アップリンク許可によって示されるサブフレームの第１のサブセットの中でデータを送信することを含み得、認可スペクトルを使用してデータを送信することは、アップリンク許可によって示されるサブフレームの第２のサブセットの中でデータを送信することを含み得る。サブフレームの第１のサブセットは、サブフレームの第２のサブセットよりも小さくても、それと等しくても、またはそれよりも大きくてもよい。しかしながら、無認可スペクトルが認可スペクトルよりも多くの利用できる帯域幅を有する場合、サブフレームの第１のサブセットをサブフレームの第２のサブセットよりも大きくさせることは有用であり得る。場合によっては、サブフレームの第１のサブセットは、サブフレームの第２のサブセットを含む。サブフレームの第１および第２のサブセットは、同じサブフレームの中で、または異なるサブフレームにおいて開始し得る。後者の場合、また例として、サブフレームの第１のサブセットは第１のサブフレームの中で開始し得、第２のサブフレームが第１のサブフレームからオフセットまたは遅延されて、サブフレームの第２のサブセットは第２のサブフレームの中で開始し得る。サブフレームの第１および第２のサブセットの各々は、サブセットの中のいくつかのサブフレーム、サブセットの中の連続するサブフレーム間の時間間隔、およびアップリンク許可の受信の時間とサブセットの中のサブフレームの最初の出現との間の初期オフセットのうちの、１つまたは複数の観点から規定され得る。
【０１９３】
[0209]ブロック１７１５および／または１７２０における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したデータ送信モジュール１０７０、または図１４を参照しながら説明したモジュールもしくは機能１４８１によって、実行され得る。
【０１９４】
[0210]方法１７００の例示的な実装形態は、図６Ａおよび図６Ｂを参照しながら説明されている。
【０１９５】
[0211]したがって、方法１７００はワイヤレス通信を提供し得る。方法１７００は一実装形態にすぎず、方法１７００の動作は、他の実装形態が可能であるように再構成あるいは修正されてよいことに留意されたい。
【０１９６】
[0212]図１８は、ワイヤレス通信のための方法１８００の別の例を示すフローチャートである。明快のために、方法１８００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ＵＥのうちの１つは、以下で説明する機能を実行するためにＵＥの機能要素を制御するためのコードの１つまたは複数のセットを実行し得る。
【０１９７】
[0213]ブロック１８０５において、アップリンク許可は、認可スペクトルを介して受信され得る。アップリンク許可は、ＰＲＢのセットに対する無認可スペクトル上での最大アップリンクデータレートの指示という形をとっても、もしくはそうした指示を含んでもよく、またはそうした指示に加えて提供されてもよい。いくつかの実施形態では、アップリンク許可は、ＵＥ（たとえば、ＵＥ１１５）によってｅＮＢ（たとえば、ｅＮＢ１１５）から受信され得る。いくつかの実施形態では、認可スペクトルはＬＴＥ／ＬＴＥ−Ａスペクトルを含み得、無認可スペクトルはＬＴＥ／ＬＴＥ−Ａ無認可認可スペクトルを含み得る。ブロック１８０５における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したアップリンク許可モジュール１０５０、または図１４を参照しながら説明したモジュールもしくは機能１４８１によって、実行され得る。
【０１９８】
[0214]ブロック１８１０において、ＣＣＡは、指示に応答してサブフレームの中で実行され得る。ＣＣＡは、次のサブフレームの中でデータを送信するための、無認可スペクトル中のＰＲＢのセットに対するコンポーネントキャリアの利用可能性を決定するために実行され得る。ブロック１８１０における動作は、場合によっては、図１０Ａもしくは図１２を参照しながら説明したＵＥ  ＬＴＥ／ＬＴＥ−Ａ無認可スペクトルアップリンクキャリアアグリゲーションモジュール１０１０、または図１０Ｂを参照しながら説明したＣＣＡモジュール１０６０、または図１４を参照しながら説明したモジュールもしくは機能１４８１によって、実行され得る。
【０１９９】
[0215]ブロック１８１５において、無認可スペクトル中のＰＲＢのセットに対するコンポーネントキャリアが利用できるというという決定がなされる場合、データは、無認可スペクトルを使用して送信され得る（たとえば、データは、ＵＥ１１５からｅＮＢ１０５へ送信され得る）。ブロック１８１５における動作は、場合によっては、図１０Ａ、図１０Ｂ、もしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したデータ送信モジュール１０７０、または図１４を参照しながら説明したモジュールもしくは機能１４８１によって、実行され得る。
【０２００】
[0216]ブロック１８２０において、無認可スペクトル中のＰＲＢのセットに対するコンポーネントキャリアが利用できないという決定がなされる場合、ＣＣＡは、次のサブフレームの中で実行され得る。ブロック１８２０における動作は、場合によっては、図１０Ａ、図１０Ｂ、もしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したＣＣＡモジュール１０６０、または図１４を参照しながら説明したモジュールもしくは機能１４８１によって、実行され得る。
【０２０１】
[0217]方法１８００の実装形態の一例は、図９Ａを参照しながら説明されている。
【０２０２】
[0218]したがって、方法１８００はワイヤレス通信を提供し得る。方法１８００は一実装形態にすぎず、方法１８００の動作は、他の実装形態が可能であるように再構成あるいは修正されてよいことに留意されたい。
【０２０３】
[0219]図１９は、ワイヤレス通信のための方法１９００の別の例を示すフローチャートである。明快のために、方法１９００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ＵＥのうちの１つは、以下で説明する機能を実行するためにＵＥの機能要素を制御するためのコードの１つまたは複数のセットを実行し得る。
【０２０４】
[0220]ブロック１９０５において、アップリンク許可は、認可スペクトルを介して受信され得る。アップリンク許可は、ＰＲＢのセットに対する無認可スペクトル上での最大アップリンクデータレートの指示という形をとっても、またはそうした指示を含んでもよい。いくつかの実施形態では、アップリンク許可は、ＵＥ（たとえば、ＵＥ１１５）によってｅＮＢ（たとえば、ｅＮＢ１０５）から受信され得る。いくつかの実施形態では、認可スペクトルはＬＴＥ／ＬＴＥ−Ａ認可スペクトルを含み得、無認可スペクトルはＬＴＥ／ＬＴＥ−Ａ無認可スペクトルを含み得る。ブロック１９０５における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したアップリンク許可モジュール１０５０、または図１４を参照しながら説明したモジュールもしくは機能１４８１によって、実行され得る。
【０２０５】
[0221]ブロック１９１０において、ＣＣＡは、指示に応答してサブフレームの中で実行され得る。ＣＣＡは、次のサブフレームの中でデータを送信するための、無認可スペクトル中のＰＲＢのセットに対するコンポーネントキャリアの利用可能性を決定するために実行され得る。ブロック１９１０における動作は、場合によっては、図１０Ａ、図１０Ｂ、もしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したＣＣＡモジュール１０６０、または図１４を参照しながら説明したモジュールもしくは機能１４８１によって、実行され得る。
【０２０６】
[0222]ブロック１９１５において、無認可スペクトル中のＰＲＢのセットに対するコンポーネントキャリアが利用できるという決定がなされる場合、データは、無認可スペクトルを使用して送信され得る（たとえば、データは、ＵＥからｅＮＢへ送信され得る）。
【０２０７】
[0223]ブロック１９２０において、無認可スペクトル中のＰＲＢのセットに対するコンポーネントキャリアが利用できないという決定がなされる場合、データは、認可スペクトルを使用して送信され得る。
【０２０８】
[0224]ブロック１９１５および／または１９２０における動作は、場合によっては、図１０Ａ、図１０Ｂもしくは図１２を参照しながら説明したＵＥ  ＬＴＥ／ＬＴＥ−Ａ無認可スペクトルアップリンクキャリアアグリゲーションモジュール１０１０、１０４０、もしくは１２６０、または図１０Ｂを参照しながら説明したデータ送信モジュール１０７０、または図１４を参照しながら説明したモジュールもしくは機能１４８１によって、実行され得る。
【０２０９】
[0225]方法１９００の実装形態の一例は、図９Ｂを参照しながら説明されている。
【０２１０】
[0226]したがって、方法１９００はワイヤレス通信を提供し得る。方法１９００は一実装形態にすぎず、方法１９００の動作は、他の実装形態が可能であるように再構成あるいは修正されてよいことに留意されたい。
【０２１１】
[0227]図２０は、ワイヤレス通信のための方法２０００の一例を示すフローチャートである。明快のために、方法２０００について、図１、図２Ａ、図２Ｂ、図３、図５、図８、図１０Ａ、図１０Ｂ、図１１Ａ、図１１Ｂ、図１２、図１３、および／または図１４に示すｅＮＢ、ＵＥ、またはデバイスのうちの１つを参照しながら以下で説明する。一実施形態では、ｅＮＢのうちの１つは、以下で説明する機能を実行するためにｅＮＢの機能要素を制御するためのコードの１つまたは複数のセットを実行し得る。
【０２１２】
[0228]ブロック２００５において、スケジューリング情報は、認可スペクトルを介して受信され得る。いくつかの実施形態では、スケジューリング情報は、ｅＮＢ１０５によってＵＥ１１５から受信され得る。いくつかの実施形態では、認可スペクトルは、ＬＴＥ／ＬＴＥ−Ａ認可スペクトルを含み得る。ブロック２００５における動作は、場合によっては、図１１Ａ、図１１Ｂもしくは図１３を参照しながら説明したｅＮＢ  ＬＴＥ／ＬＴＥ−Ａ無認可スペクトルアップリンクキャリアアグリゲーションモジュール１１１５、１１４０、もしくは１３９０、または図１１Ｂを参照しながら説明したスケジューリング情報モジュール１１５０および／またはデータ受信モジュール１１７０、または図１４を参照しながら説明したモジュールもしくは機能１４４１によって、実行され得る。
【０２１３】
[0229]ブロック２０１０において、アップリンク許可は、認可スペクトルを介して送信され得る。アップリンク許可は、スケジューリング情報に少なくとも部分的に基づき得、アップリンク許可と関連した伝送の前に（たとえば、ＵＥのＵＬ伝送の前に）、無認可スペクトルの利用可能性を決定するためのＣＣＡをトリガするように構成され得る。いくつかの実施形態では、無認可スペクトルは、ＬＴＥ／ＬＴＥ−Ａ無認可スペクトルを含み得る。ブロック２０１０における動作は、場合によっては、図１１Ａ、図１１Ｂもしくは図１３を参照しながら説明したｅＮＢ  ＬＴＥ／ＬＴＥ−Ａ無認可スペクトルアップリンクキャリアアグリゲーションモジュール１１１５、１１４０、もしくは１３９０、または図１１Ｂを参照しながら説明したアップリンク許可モジュール１１６０、または図１４を参照しながら説明したモジュールもしくは機能１４４１によって、実行され得る。
【０２１４】
[0230]方法２０００のいくつかの実施形態では、ＰＲＢの同じセットは、送信されたアップリンク許可に少なくとも部分的に基づいて、マリトプルユーザ（たとえば、ＵＥ１１５）に無認可スペクトルのアップリンク上で（たとえば、ｅＮＢ１０５によって）割り当てられ得る。方法２０００は、割り当てられたＰＲＢを使用する複数のユーザからアップリンクデータを受信することと、ＳＩＣを使用してアップリンクデータを（たとえば、ｅＮＢ１０５において）復号することとを含む。方法２０００は、直交ＤＭ−ＲＳシーケンスおよび別個のスクランブリングコードのうちの一方または両方を、複数のユーザの各々にアップリンクデータの伝送のために割り当てることを含み得る。方法２０００はまた、送信フォーマット選択（たとえば、ＴＦＩを通じて）、ＨＡＲＱ−ＩＤ、およびＨＡＲＱ  ＲＶのうちの１つまたは複数を示す信号を、アップリンクデータと一緒に、複数のユーザの各々から受信することを含み得る。受信された信号は、ユーザに割り当てられた直交ＤＭ−ＲＳシーケンスおよび／またはスクランブリングコードに基づいて処理され得る。
【０２１５】
[0231]したがって、方法２０００はワイヤレス通信を提供し得る。方法２０００は一実装形態にすぎず、方法２０００の動作は、他の実装形態が可能であるように再構成あるいは修正されてよいことに留意されたい。
【０２１６】
[0232]添付の図面に関して上記に記載された発明を実施するための形態は、例示的な実施形態を記載しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、記載された技法の理解を与えるための具体的な詳細を含む。しかしながら、これらの技法は、これらの具体的な詳細なしに実践され得る。場合によっては、記載された実施形態の概念を不明瞭にしないために、よく知られている構造およびデバイスがブロック図の形態で示される。
【０２１７】
[0233]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０２１８】
[0234]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。プロセッサは、場合によっては、メモリと電子通信していてもよく、メモリは、プロセッサによって実行可能な命令を記憶する。
【０２１９】
[0235]本明細書で説明された機能は、ハードウェア、プロセッサによって実行されるソフトウェア、ファームウェア、またはそれらの任意の組合せで実現され得る。プロセッサによって実行されるソフトウェアで実現される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実現され得る。機能を実現する特徴はまた、機能の部分が、異なる物理的な場所において実現されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０２２０】
[0236]コンピュータプログラム製品またはコンピュータ可読媒体はいずれも、ある場所から別の場所へのコンピュータプログラムの転送を容易にする任意の媒体を含む、コンピュータ可読記憶媒体と通信媒体とを含む。記憶媒体は、汎用または専用コンピュータによってアクセスされ得る任意の媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のコンピュータ可読プログラムコードを搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他の遠隔ソースから伝送される場合、同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は通常、データを磁気的に再生し、ディスク（disc）は、データをレーザーで光学的に再生する。上記の組合せも、コンピュータ可読媒体の範囲内に含まれる。
【０２２１】
[0237]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書に記載された例および設計に限定されるべきでなく、本明細書で開示される原理および新規の特徴に合致する最も広い範囲を与えられるべきである。
以下に本願の出願当初の特許請求の範囲に記載された発明を付記する。
[Ｃ１]  認可スペクトルを介してアップリンク許可を受信することと、
無認可スペクトルの利用可能性を決定するために、前記アップリンク許可に応答してクリアチャネルアセスメント（ＣＣＡ）を実行すること、前記ＣＣＡは前記アップリンク許可と関連した伝送の前に実行される、と、
を備える、ワイヤレス通信のための方法。
[Ｃ２]  前記無認可スペクトルが利用できるという決定がなされる場合、前記無認可スペクトルを使用してデータを送信することと、
前記無認可スペクトルが利用できないという決定がなされる場合、前記アップリンク許可を無視することとをさらに備えるＣ１に記載の方法。
[Ｃ３]  前記無認可スペクトルが利用できるという決定がなされる場合、前記無認可スペクトルを使用してデータを送信することと、
前記無認可スペクトルが利用できないという決定がなされる場合、前記無認可スペクトルの非利用可能性を示すシグナリングを、前記認可スペクトルを使用して送信することとをさらに備えるＣ１に記載の方法。
[Ｃ４]  前記無認可スペクトルが利用できるという決定がなされる場合、前記無認可スペクトルを使用してデータを送信することと、
前記無認可スペクトルが利用できないという決定がなされる場合、前記認可スペクトルを使用してデータを送信することとをさらに備えるＣ１に記載の方法。
[Ｃ５]  前記無認可スペクトルを使用してデータを送信することは、前記アップリンク許可によって示されるサブフレームの第１のサブセットの中でデータを送信することを備え、
前記認可スペクトルを使用してデータを送信することは、前記アップリンク許可によって示されるサブフレームの第２のサブセットの中でデータを送信することを備える、Ｃ４に記載の方法。
[Ｃ６]  サブフレームの前記第１および第２のサブセットの各々は、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ５に記載の方法。
[Ｃ７]  サブフレームの前記第１のサブセットは、サブフレームの前記第２のサブセットを含む、Ｃ５に記載の方法。
[Ｃ８]  サブフレームの前記第１および第２のサブセットは、同じサブフレームの中で開始する、Ｃ５に記載の方法。
[Ｃ９]  サブフレームの前記第１のサブセットは、第１のサブフレームの中で開始し、
サブフレームの前記第２のサブセットは、前記第１のサブフレームから遅延した第２のサブフレームの中で開始する、Ｃ５に記載の方法。
[Ｃ１０]  前記アップリンク許可は、アップリンク許可の優先シーケンスを備え、前記優先シーケンスの中の各アップリンク許可は、それぞれのコンポーネントキャリアに関連付けられ、
前記無認可スペクトルの利用可能性を決定するためにＣＣＡを実行することは、
利用可能性を決定するために、アップリンク許可の前記優先シーケンスに関連付けられている前記コンポーネントキャリアのうちの少なくとも１つでＣＣＡを実行することと、
データを送信する際の使用のために利用できると認められた前記コンポーネントキャリアのうちの１つを識別することと
を備える、
Ｃ１に記載の方法。
[Ｃ１１]  前記優先シーケンスの中の前記アップリンク許可のサブセットに対応する前記コンポーネントキャリアは、利用できると認められ、
データを送信する際の使用のための前記１つのコンポーネントキャリアを識別することは、利用できると認められた前記コンポーネントキャリアの中から、前記サブセットの中で最も優先度の高い前記アップリンク許可に対応する前記１つを選択することを備える、
Ｃ１０に記載の方法。
[Ｃ１２]  前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
Ｃ１０に記載の方法。
[Ｃ１３]  サブフレームの前記サブセットは、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ１２に記載の方法。
[Ｃ１４]  前記優先シーケンスの中のアップリンク許可の中のパラメータは、前記優先シーケンスの中の別のアップリンク許可の中のそれぞれのパラメータから暗黙のうちに決定される、Ｃ１０に記載の方法。
[Ｃ１５]  前記優先シーケンスの相異なるアップリンク許可の中のパラメータ間の暗黙の関係は、無線リソース制御（ＲＲＣ）シグナリングを通じて少なくとも部分的に規定される、Ｃ１０に記載の方法。
[Ｃ１６]  ＰＲＢのセットに対する前記無認可スペクトル上での最大アップリンクデータレートの指示を、前記認可スペクトルを介して受信することと、
前記指示に応答してサブフレームの中でＣＣＡを実行すること、前記ＣＣＡは、次のサブフレームの中でデータを送信するための、前記無認可スペクトル中のＰＲＢの前記セットに対するコンポーネントキャリアの利用可能性を決定するために実行される、と、
をさらに備えるＣ１に記載の方法。
[Ｃ１７]  前記無認可スペクトル中のＰＲＢの前記セットに対する前記コンポーネントキャリアが利用できるという決定がなされる場合、前記無認可スペクトルを使用してデータを送信することと、
前記無認可スペクトル中のＰＲＢの前記セットに対する前記コンポーネントキャリアが利用できないという決定がなされる場合、前記次のサブフレームの中でＣＣＡを実行することとをさらに備えるＣ１６に記載の方法。
[Ｃ１８]  前記無認可スペクトル中のＰＲＢの前記セットに対する前記コンポーネントキャリアが利用できるという決定がなされる場合、前記無認可スペクトルを使用してデータを送信することと、
前記無認可スペクトル中のＰＲＢの前記セットに対する前記コンポーネントキャリアが利用できないという決定がなされる場合、前記認可スペクトルを使用してデータを送信することとをさらに備えるＣ１６に記載の方法。
[Ｃ１９]  ＰＲＢの前記同じセットは、複数のユーザの各々に前記無認可スペクトルの前記アップリンク上で割り当てられる、Ｃ１６に記載の方法。
[Ｃ２０]  ＰＲＢの前記同じセットが割り当てられた前記複数のユーザから送信されるデータは、逐次干渉除去（ＳＩＣ）を使用して復号される、Ｃ１９に記載の方法。
[Ｃ２１]  ＰＲＢの前記同じセットが割り当てられた前記複数のユーザは、直交復調基準信号（ＤＭ−ＲＳ）シーケンスが割り当てられる、Ｃ１９に記載の方法。
[Ｃ２２]  前記複数のユーザの各々は、別個のスクランブリングコードが割り当てられる、Ｃ２１に記載の方法。
[Ｃ２３]  前記無認可スペクトル中のＰＲＢの前記セットに対する前記コンポーネントキャリアが利用できるという決定がなされる場合、前記方法は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信すること
をさらに備える、
Ｃ１６に記載の方法。
[Ｃ２４]  前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信することをさらに備えるＣ２３に記載の方法。
[Ｃ２５]  基地局が前記アップリンク許可をスケジュールするために、スケジューリング要求、バッファステータス報告、および電力ヘッドルーム報告のうちの１つまたは複数を送信することをさらに備えるＣ１に記載の方法。
[Ｃ２６]  前記電力ヘッドルーム報告は、前記認可スペクトルと関連した電力ヘッドルームと、前記無認可スペクトルと関連した電力ヘッドルームとを示す、Ｃ２５に記載の方法。
[Ｃ２７]  前記アップリンク許可によって示される変調コーディング方式（ＭＣＳ）からの変更を識別することと、
前記アップリンク許可によって割り振られたＰＲＢ内のリソース要素のセットを介してメッセージを送信すること、前記メッセージは、ＭＣＳの前記識別された変更を示す、と
をさらに備えるＣ１に記載の方法。
[Ｃ２８]  前記アップリンク許可は、アップリンク伝送に対してＭＣＳを割り振ることなく、アップリンク伝送に対してＰＲＢを割り振り、前記方法は、
前記アップリンク許可を受信すると、アップリンク伝送に対して前記ＭＣＳを決定することと、
アップリンク伝送に対して割り振られた前記ＰＲＢ内のリソース要素のセットを介してメッセージを送信すること、前記メッセージは、アップリンク伝送に対して決定された前記ＭＣＳを示す、と
をさらに備える、
Ｃ１に記載の方法。
[Ｃ２９]  プロセッサと、
前記プロセッサと電子通信しているメモリと、
前記メモリに記憶された命令、
前記命令は、
認可スペクトルを介してアップリンク許可を受信する、および
無認可スペクトルの利用可能性を決定するために、前記アップリンク許可に応答してクリアチャネルアセスメント（ＣＣＡ）を実行する、前記ＣＣＡは、前記アップリンク許可と関連した伝送の前に実行される、
ように前記プロセッサによって実行可能である、と、
を備えるワイヤレス通信のための装置。
[Ｃ３０]  前記命令は、
前記無認可スペクトルが利用できるという決定がなされる場合、前記無認可スペクトルを使用してデータを送信する、および
前記無認可スペクトルが利用できないという決定がなされる場合、前記アップリンク許可を無視する、
ように前記プロセッサによって実行可能である、Ｃ２９に記載の装置。
[Ｃ３１]  前記命令は、
前記無認可スペクトルが利用できるという決定がなされる場合、前記無認可スペクトルを使用してデータを送信する、および
前記無認可スペクトルが利用できないという決定がなされる場合、前記無認可スペクトルの非利用可能性を示すシグナリングを、前記認可スペクトルを使用して送信する、
ように前記プロセッサによって実行可能である、Ｃ２９に記載の装置。
[Ｃ３２]  前記命令は、
前記無認可スペクトルが利用できるという決定がなされる場合、前記無認可スペクトルを使用してデータを送信する、および
前記無認可スペクトルが利用できないという決定がなされる場合、前記認可スペクトルを使用してデータを送信する、
ように前記プロセッサによって実行可能である、Ｃ２９に記載の装置。
[Ｃ３３]  前記無認可スペクトルを使用してデータを送信するように前記プロセッサによって実行可能な前記命令は、前記アップリンク許可によって示されるサブフレームの第１のサブセットの中でデータを送信するように前記プロセッサによって実行可能な命令を備え、
前記認可スペクトルを使用してデータを送信するように前記プロセッサによって実行可能な前記命令は、前記アップリンク許可によって示されるサブフレームの第２のサブセットの中でデータを送信するように前記プロセッサによって実行可能な命令を備える、
Ｃ３２に記載の装置。
[Ｃ３４]  サブフレームの前記第１および第２のサブセットの各々は、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ３３に記載の装置。
[Ｃ３５]  サブフレームの前記第１のサブセットは、第１のサブフレームの中で開始し、
サブフレームの前記第２のサブセットは、前記第１のサブフレームから遅延した第２のサブフレームの中で開始する、Ｃ３３に記載の装置。
[Ｃ３６]  前記アップリンク許可は、アップリンク許可の優先シーケンスを備え、前記優先シーケンスの中の各アップリンク許可は、それぞれのコンポーネントキャリアに関連付けられ、
前記無認可スペクトルの利用可能性を決定するためにＣＣＡを実行するように前記プロセッサによって実行可能な前記命令は、
利用可能性を決定するために、アップリンク許可の前記優先シーケンスに関連付けられている前記コンポーネントキャリアのうちの少なくとも１つでＣＣＡを実行する、および
データを送信する際の使用のために利用できると認められた前記コンポーネントキャリアのうちの１つを識別する、
ように前記プロセッサによって実行可能な命令を備える、
Ｃ２９に記載の装置。
[Ｃ３７]  前記優先シーケンスの中の各アップリンク許可は、
前記それぞれのコンポーネントキャリアに対する物理リソースブロック（ＰＲＢ）のセット、および
前記アップリンク許可が適用できるサブフレームのサブセット
のうちの１つまたは複数をさらに備える、
Ｃ３６に記載の装置。
[Ｃ３８]  サブフレームの前記サブセットは、前記サブセットの中のいくつかのサブフレーム、前記サブセットの中の連続するサブフレーム間の時間間隔、および前記アップリンク許可の受信の時間と前記サブセットの中のサブフレームの最初の出現との間の初期オフセットのうちの、１つまたは複数の観点から規定される、Ｃ３７に記載の装置。
[Ｃ３９]  前記優先シーケンスの相異なるアップリンク許可の中のパラメータ間の暗黙の関係は、無線リソース制御（ＲＲＣ）シグナリングを通じて少なくとも部分的に規定される、Ｃ３６に記載の装置。
[Ｃ４０]  前記命令は、
ＰＲＢのセットに対する前記無認可スペクトル上での最大アップリンクデータレートの指示を、前記認可スペクトルを介して受信する、および
前記指示に応答してサブフレームの中でＣＣＡを実行する、前記ＣＣＡは、次のサブフレームの中でデータを送信するための、前記無認可スペクトル中のＰＲＢの前記セットに対するコンポーネントキャリアの利用可能性を決定するために実行される、
ように前記プロセッサによって実行可能である、
Ｃ２９に記載の装置。
[Ｃ４１]  前記命令は、
前記無認可スペクトル中のＰＲＢの前記セットに対する前記コンポーネントキャリアが利用できるという決定がなされる場合、前記無認可スペクトルを使用してデータを送信する、および
前記無認可スペクトル中のＰＲＢの前記セットに対する前記コンポーネントキャリアが利用できないという決定がなされる場合、前記次のサブフレームの中でＣＣＡを実行する
ように前記プロセッサによって実行可能である、
Ｃ４０に記載の装置。
[Ｃ４２]  前記命令は、
前記無認可スペクトル中のＰＲＢの前記セットに対する前記コンポーネントキャリアが利用できるという決定がなされる場合、前記無認可スペクトルを使用してデータを送信する、および
前記無認可スペクトル中のＰＲＢの前記セットに対する前記コンポーネントキャリアが利用できないという決定がなされる場合、前記認可スペクトルを使用してデータを送信する
ように前記プロセッサによって実行可能である、
Ｃ４０に記載の装置。
[Ｃ４３]  ＰＲＢの前記同じセットは、複数のユーザの各々に前記無認可スペクトルの前記アップリンク上で割り当てられる、Ｃ４０に記載の装置。
[Ｃ４４]  ＰＲＢの前記同じセットが割り当てられた前記複数のユーザから送信されるデータは、逐次干渉除去（ＳＩＣ）を使用して復号される、Ｃ４３に記載の装置。
[Ｃ４５]  ＰＲＢの前記同じセットが割り当てられた前記複数のユーザは、直交復調基準信号（ＤＭ−ＲＳ）シーケンスが割り当てられる、Ｃ４３に記載の装置。
[Ｃ４６]  前記複数のユーザの各々は、別個のスクランブリングコードが割り当てられる、Ｃ４５に記載の装置。
[Ｃ４７]  前記無認可スペクトル中のＰＲＢの前記セットに対する前記コンポーネントキャリアが利用できるという決定がなされる場合、前記命令は、
割り当てられた直交ＤＭ−ＲＳシーケンスおよび割り当てられたスクランブリングコードのうちの一方または両方に従って、アップリンクデータ、アップリンク制御信号、およびアップリンク基準信号のうちの１つまたは複数を送信する
ように前記プロセッサによって実行可能である、
Ｃ４０に記載の装置。
[Ｃ４８]  前記命令は、
前記アップリンクデータ、前記アップリンク制御信号、および前記アップリンク基準信号のうちの前記１つまたは複数と一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を送信する
ように前記プロセッサによって実行可能である、
Ｃ４７に記載の装置。
[Ｃ４９]  前記命令は、
基地局が前記アップリンク許可をスケジュールするために、スケジューリング要求、バッファステータス報告、および電力ヘッドルーム報告のうちの１つまたは複数を送信する
ように前記プロセッサによって実行可能である、
Ｃ２９に記載の装置。
[Ｃ５０]  前記アップリンク許可は、アップリンク伝送に対して変調コーディング方式（ＭＣＳ）を割り振ることなく、アップリンク伝送に対してＰＲＢを割り振り、
前記命令は、
前記アップリンク許可を受信すると、アップリンク伝送に対して前記ＭＣＳを決定する、および
アップリンク伝送に対して割り振られた前記ＰＲＢ内のリソース要素のセットを介してメッセージを送信する、前記メッセージは、アップリンク伝送に対して決定された前記ＭＣＳを示す、
ように前記プロセッサによって実行可能である、
Ｃ２９に記載の装置。
[Ｃ５１]  認可スペクトルを介してアップリンク許可を受信するための手段と、
無認可スペクトルの利用可能性を決定するために、前記アップリンク許可に応答してクリアチャネルアセスメント（ＣＣＡ）を実行するための手段、前記ＣＣＡは、前記アップリンク許可と関連した伝送の前に実行される、と
を備えるワイヤレス通信のための装置。
[Ｃ５２]  前記無認可スペクトルが利用できるという決定がなされる場合、前記無認可スペクトルを使用してデータを送信するための手段と、
前記無認可スペクトルが利用できないという決定がなされる場合、前記アップリンク許可を無視するための手段とをさらに備えるＣ５１に記載の装置。
[Ｃ５３]  前記無認可スペクトルが利用できるという決定がなされる場合、前記無認可スペクトルを使用してデータを送信するための手段と、
前記無認可スペクトルが利用できないという決定がなされる場合、前記無認可スペクトルの非利用可能性を示すシグナリングを、前記認可スペクトルを使用して送信するための手段とをさらに備えるＣ５１に記載の装置。
[Ｃ５４]  前記無認可スペクトルが利用できるという決定がなされる場合、前記無認可スペクトルを使用してデータを送信するための手段と、
前記無認可スペクトルが利用できないという決定がなされる場合、前記認可スペクトルを使用してデータを送信するための手段とをさらに備えるＣ５１に記載の装置。
[Ｃ５５]  ワイヤレス通信のためのコンピュータプログラム製品であって、
前記コンピュータプログラム製品は、
認可スペクトルを介してアップリンク許可を受信する、および
無認可スペクトルの利用可能性を決定するために、前記アップリンク許可に応答してクリアチャネルアセスメント（ＣＣＡ）を実行する、前記ＣＣＡは、前記アップリンク許可と関連した伝送の前に実行される、
ようにプロセッサによって実行可能な命令を記憶する非一時的コンピュータ可読媒体
を備える、
ワイヤレス通信のためのコンピュータプログラム製品。
[Ｃ５６]  前記命令は、
前記無認可スペクトルが利用できるという決定がなされる場合、前記無認可スペクトルを使用してデータを送信する、および
前記無認可スペクトルが利用できないという決定がなされる場合、前記アップリンク許可を無視する
ように前記プロセッサによって実行可能である、
Ｃ５５に記載のコンピュータプログラム製品。
[Ｃ５７]  前記命令は、
前記無認可スペクトルが利用できるという決定がなされる場合、前記無認可スペクトルを使用してデータを送信する、および
前記無認可スペクトルが利用できないという決定がなされる場合、前記無認可スペクトルの非利用可能性を示すシグナリングを、前記認可スペクトルを使用して送信する
ように前記プロセッサによって実行可能である、
Ｃ５５に記載のコンピュータプログラム製品。
[Ｃ５８]  前記命令は、
前記無認可スペクトルが利用できるという決定がなされる場合、前記無認可スペクトルを使用してデータを送信する、および
前記無認可スペクトルが利用できないという決定がなされる場合、前記認可スペクトルを使用してデータを送信する
ように前記プロセッサによって実行可能である、
Ｃ５５に記載のコンピュータプログラム製品。
[Ｃ５９]  認可スペクトルを介してスケジューリング情報を受信することと、
前記認可スペクトルを介してアップリンク許可を送信すること、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、と、
を備える、ワイヤレス通信のための方法。
[Ｃ６０]  前記無認可スペクトルが利用できるという決定がなされる場合、前記無認可スペクトルを介してデータを受信することと、
前記無認可スペクトルが利用できないという決定がなされる場合、前記認可スペクトルを介してデータを受信することとをさらに備えるＣ５９に記載の方法。
[Ｃ６１]  前記無認可スペクトルを介してデータを受信することは、前記アップリンク許可によって示されるサブフレームの第１のサブセットを介して送信されたデータを受信することを備え、
前記認可スペクトルを介してデータを受信することは、前記アップリンク許可によって示されるサブフレームの第２のサブセットを介して送信されたデータを受信することを備える、Ｃ６０に記載の方法。
[Ｃ６２]  サブフレームの前記第１のサブセットは、サブフレームの前記第２のサブセットを含む、Ｃ６１に記載の方法。
[Ｃ６３]  サブフレームの前記第１および第２のサブセットは、同じサブフレームの中で開始する、Ｃ６１に記載の方法。
[Ｃ６４]  サブフレームの前記第１のサブセットは、第１のサブフレームの中で開始し、
サブフレームの前記第２のサブセットは、前記第１のサブフレームから遅延した第２のサブフレームの中で開始する、Ｃ６１に記載の方法。
[Ｃ６５]  サブフレームの前記第１のサブセットを介して送信されたデータが受信される場合、サブフレームの前記第２のサブセットを介したデータの前記伝送と関連した前記認可スペクトルの中のリソースを解放することをさらに備えるＣ６４に記載の方法。
[Ｃ６６]  前記スケジューリング情報は、
スケジューリング要求、
バッファステータス報告、ならびに
前記認可スペクトルと関連した電力ヘッドルームおよび前記無認可スペクトルと関連した電力ヘッドルームを示す電力ヘッドルーム報告のうちの１つまたは複数を備える、Ｃ５９に記載の方法。
[Ｃ６７]  物理リソースブロック（ＰＲＢ）の同じセットを、前記無認可スペクトルの前記アップリンク上の複数のユーザに、前記送信されたアップリンク許可に少なくとも部分的に基づいて割り当てることと、
前記割り当てられたＰＲＢを使用する前記複数のユーザからアップリンクデータを受信することと、
前記アップリンクデータを逐次干渉除去（ＳＩＣ）を使用して復号することとをさらに備えるＣ５９に記載の方法。
[Ｃ６８]  直交復調基準信号（ＤＭ−ＲＳ）シーケンスおよびスクランブリングコードのうちの一方または両方を、前記複数のユーザの各々に、前記アップリンクデータの伝送のために割り当てることをさらに備えるＣ６７に記載の方法。
[Ｃ６９]  前記複数のユーザの各々から、前記アップリンクデータと一緒に、送信フォーマット選択、ハイブリッド自動再送要求識別子（ＨＡＲＱ−ＩＤ）、およびＨＡＲＱ冗長バージョン（ＲＶ）のうちの１つまたは複数を示す信号を受信することをさらに備えるＣ６７に記載の方法。
[Ｃ７０]  プロセッサと、
前記プロセッサと電子通信しているメモリと、
前記メモリに記憶された命令、
前記命令は、
認可スペクトルを介してスケジューリング情報を受信する、および
前記認可スペクトルを介してアップリンク許可を送信する、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、    ように前記プロセッサによって実行可能である、と、
を備えるワイヤレス通信のための装置。
[Ｃ７１]  前記命令は、
前記無認可スペクトルが利用できるという決定がなされる場合、前記無認可スペクトルを介してデータを受信する、および
前記無認可スペクトルが利用できないという決定がなされる場合、前記認可スペクトルを介してデータを受信する
ように前記プロセッサによって実行可能である、
Ｃ７０に記載の装置。
[Ｃ７２]  前記無認可スペクトルを介してデータを受信するように前記プロセッサによって実行可能な前記命令は、前記アップリンク許可によって示されるサブフレームの第１のサブセットを介して送信されたデータを受信するように前記プロセッサによって実行可能な命令を備え、
前記認可スペクトルを介してデータを受信するように前記プロセッサによって実行可能な前記命令は、前記アップリンク許可によって示されるサブフレームの第２のサブセットを介して送信されたデータを受信するように前記プロセッサによって実行可能な命令を備える、
Ｃ７１に記載の装置。
[Ｃ７３]  前記スケジューリング情報は、
スケジューリング要求、
バッファステータス報告、ならびに
前記認可スペクトルと関連した電力ヘッドルームおよび前記無認可スペクトルと関連した電力ヘッドルームを示す電力ヘッドルーム報告
のうちの１つまたは複数を備える、
Ｃ７０に記載の装置。
[Ｃ７４]  認可スペクトルを介してスケジューリング情報を受信するための手段と、
前記認可スペクトルを介してアップリンク許可を送信するための手段、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、と、
を備えるワイヤレス通信のための装置。
[Ｃ７５]  前記無認可スペクトルが利用できるという決定がなされる場合、前記無認可スペクトルを介してデータを受信するための手段と、
前記無認可スペクトルが利用できないという決定がなされる場合、前記認可スペクトルを介してデータを受信するための手段とをさらに備えるＣ７４に記載の装置。
[Ｃ７６]  前記無認可スペクトルを介してデータを受信するための手段は、前記アップリンク許可によって示されるサブフレームの第１のサブセットを介して送信されたデータを受信することを備え、
前記認可スペクトルを介してデータを受信するための手段は、前記アップリンク許可によって示されるサブフレームの第２のサブセットを介して送信されたデータを受信することを備える、Ｃ７５に記載の装置。
[Ｃ７７]  ワイヤレス通信のためのコンピュータプログラム製品であって、
前記コンピュータプログラム製品は、
認可スペクトルを介してスケジューリング情報を受信する、および
前記認可スペクトルを介してアップリンク許可を送信する、前記アップリンク許可は、前記スケジューリング情報に少なくとも部分的に基づき、前記アップリンク許可は、前記アップリンク許可と関連した伝送の前に、無認可スペクトルの利用可能性を決定するためのクリアチャネルアセスメント（ＣＣＡ）をトリガするように構成される、
ようにプロセッサによって実行可能な命令を記憶する非一時的コンピュータ可読媒体
を備える、
ワイヤレス通信のためのコンピュータプログラム製品。
[Ｃ７８]  前記命令は、
前記無認可スペクトルが利用できるという決定がなされる場合、前記無認可スペクトルを介してデータを受信する、および
前記無認可スペクトルが利用できないという決定がなされる場合、前記認可スペクトルを介してデータを受信する
ように前記プロセッサによって実行可能である、
Ｃ７７に記載のコンピュータプログラム製品。
[Ｃ７９]  前記無認可スペクトルを介してデータを受信するように前記プロセッサによって実行可能な前記命令は、前記アップリンク許可によって示されるサブフレームの第１のサブセットを介して送信されたデータを受信するように前記プロセッサによって実行可能な命令を備え、
前記認可スペクトルを介してデータを受信するように前記プロセッサによって実行可能な前記命令は、前記アップリンク許可によって示されるサブフレームの第２のサブセットを介して送信されたデータを受信するように前記プロセッサによって実行可能な命令を備える、Ｃ７８に記載のコンピュータプログラム製品。
【図１】
0006416241.tif 000002
【図２Ａ】
0006416241.tif 000003
【図２Ｂ】
0006416241.tif 000004
【図３】
0006416241.tif 000005
【図４】
0006416241.tif 000006
【図５】
0006416241.tif 000007
【図６Ａ】
0006416241.tif 000008
【図６Ｂ】
0006416241.tif 000009
【図７】
0006416241.tif 000010
【図８】
0006416241.tif 000011
【図９Ａ】
0006416241.tif 000012
【図９Ｂ】
0006416241.tif 000013
【図１０Ａ】
0006416241.tif 000014
【図１０Ｂ】
0006416241.tif 000015
【図１１Ａ】
0006416241.tif 000016
【図１１Ｂ】
0006416241.tif 000017
【図１２】
0006416241.tif 000018
【図１３】
0006416241.tif 000019
【図１４】
0006416241.tif 000020
【図１５】
0006416241.tif 000021
【図１６】
0006416241.tif 000022
【図１７】
0006416241.tif 000023
【図１８】
0006416241.tif 000024
【図１９】
0006416241.tif 000025
【図２０】
0006416241.tif 000026